(57)【要約】  本発明の実施例は、データ伝送方法及び関連製品を開示し、端末は前記ＰＤＣＰ層エンティティのデータコピー伝送機能がアクティブ化されたことを検出する場合、前記第１のＲＬＣ層エンティティを有効化させることと、前記ＰＤＣＰ層エンティティを利用して第１のＰＤＣＰ  ＳＤＵに関連する第１のＰＤＣＰ  ＰＤＵを確定し、前記第１のＲＬＣ層エンティティに前記第１のＰＤＣＰ  ＰＤＵを送信することとを含み、前記第２のＲＬＣ層エンティティが有効化させた状態にあり、前記第１のＰＤＣＰ  ＰＤＵは、前記第１のＲＬＣ層エンティティと前記ＭＡＣ層エンティティとが第１のＰＤＣＰ  ＰＤＵをＭＡＣ  ＰＤＵとして処理して送信するために用いられる。本発明の実施例は、データ伝送の周波数ダイバーシティゲインの実現が容易になり、データ送信の信頼性が向上する。
2020532154.tif 000002
【特許請求の範囲】
【請求項１】
端末に応用されるデータ伝送方法であって、
前記端末は、ＰＤＣＰ層エンティティ、第１のＲＬＣ層エンティティ、第２のＲＣＬ層エンティティ及びＭＡＣ層エンティティを含み、
前記方法は、
前記ＰＤＣＰ層エンティティのデータコピー伝送機能がアクティブ化されたことを検出する場合、前記第１のＲＬＣ層エンティティを有効化させることと、
前記ＰＤＣＰ層エンティティを利用して第１のＰＤＣＰ  ＳＤＵに関連する第１のＰＤＣＰ  ＰＤＵを確定し、前記第１のＲＬＣ層エンティティに前記第１のＰＤＣＰ  ＰＤＵを送信することとを含み、
前記第２のＲＬＣ層エンティティが有効化させた状態にあり、
前記第１のＰＤＣＰ  ＰＤＵは、前記第１のＲＬＣ層エンティティと前記ＭＡＣ層エンティティとが第１のＰＤＣＰ  ＰＤＵをＭＡＣ  ＰＤＵとして処理して送信するために用いられる
ことを特徴とするデータ伝送方法。
【請求項２】
前記ＰＤＣＰ層エンティティを利用して第１のＰＤＣＰ  ＳＤＵに関連する第１のＰＤＣＰ  ＰＤＵを確定することは、
前記ＰＤＣＰ層エンティティが所定の条件を満たしていると検出した場合、前記ＰＤＣＰ層エンティティを利用して、予め記憶されたＰＤＣＰ  ＰＤＵのバックアップを前記第１のＰＤＣＰ  ＳＤＵに関連する前記第１のＰＤＣＰ  ＰＤＵとして確定することを含む
ことを特徴とする請求項１に記載のデータ伝送方法。
【請求項３】
前記所定の条件は、
前記ＰＤＣＰ層エンティティ内のタイマＤｉｓｃａｒｄ  Ｔｉｍｅｒがタイムアウトしないこと、
前記ＰＤＣＰ層エンティティの状態レポートＳｔａｔｕｓ  Ｒｅｐｏｒｔが前記第１のＰＤＣＰ  ＰＤＵの削除を示さないこと、
前記ＰＤＣＰ層エンティティが前記第２のＲＬＣ層エンティティにより送信された前記第１のＰＤＣＰ  ＰＤＵの削除指示を受信しないことのうちの少なくとも１つを含む
ことを特徴とする請求項２に記載のデータ伝送方法。
【請求項４】
前記第１のＰＤＣＰ  ＰＤＵは、前記第１のＲＬＣ層エンティティが前記第１のＰＤＣＰ  ＰＤＵを第１のＲＬＣ  ＰＤＵとしてカプセル化し、前記ＭＡＣ層エンティティに前記第１のＲＬＣ  ＰＤＵを送信するために用いられ、
前記第１のＲＬＣ  ＰＤＵは、前記ＭＡＣ層エンティティが前記第１のＲＬＣ  ＰＤＵを前記ＭＡＣ  ＰＤＵとしてカプセル化し、前記ＭＡＣ  ＰＤＵを送信するために用いられる
ことを特徴とする請求項１〜３のいずれか１項に記載のデータ伝送方法。
【請求項５】
前記ＰＤＣＰ層エンティティのデータコピー伝送機能がアクティブ化されたことを検出する場合、前記第１のＲＬＣ層エンティティを有効化させた後、前記方法は、さらに、
前記ＰＤＣＰ層エンティティが第２のＰＤＣＰ  ＳＤＵを受信したことを検出された場合、前記ＰＤＣＰ層エンティティを利用して前記第２のＰＤＣＰ  ＳＤＵを第２のＰＤＣＰ  ＰＤＵとしてカプセル化することと、
前記ＰＤＣＰ層エンティティを利用して前記第１のＲＬＣ層エンティティと前記第２のＲＬＣ層エンティティに前記第２のＰＤＣＰ  ＰＤＵを送信することとを含む
ことを特徴とする請求項１〜４のいずれか１項に記載のデータ伝送方法。
【請求項６】
前記第１のＲＬＣ層エンティティと前記第２のＲＬＣ層エンティティに前記第２のＰＤＣＰ  ＰＤＵを送信した後、前記方法は、さらに、
前記ＰＤＣＰ層エンティティのデータコピー伝送機能がオフされたことを検出する場合、前記ＰＤＣＰ層エンティティを利用して前記第１のＲＬＣ層エンティティにプリセット指示を送信することと、
前記第１のＲＬＣ層エンティティを利用して前記プリセット指示を受信し、前記プリセット指示に基づいて前記第２のＰＤＣＰ  ＰＤＵに対応する前記第１のＲＬＣ層エンティティ内の第２のＲＬＣ  ＳＤＵを削除することとを含み、
前記第２のＲＬＣ  ＳＤＵは、前記第１のＲＬＣ層エンティティにより第２のＲＬＣ  ＰＤＵとしてカプセル化されない
ことを特徴とする請求項５に記載のデータ伝送方法。
【請求項７】
ネットワーク側デバイスが端末のＭＡＣ  ＰＤＵを取得することを含み、
前記ＭＡＣ  ＰＤＵは、第１のＲＬＣ層エンティティとＭＡＣ層エンティティとが第１のＰＤＣＰ  ＰＤＵを処理したものであり、
前記第１のＰＤＣＰ  ＰＤＵは、前記端末がＰＤＣＰ層エンティティのデータコピー伝送機能がアクティブ化されたことを検出する場合、前記第１のＲＬＣ層エンティティを有効化させ、前記ＰＤＣＰ層エンティティを利用して確定した第１のＰＤＣＰ  ＳＤＵに関連する前記第１のＰＤＣＰ  ＰＤＵであって、前記第１のＲＬＣ層エンティティに送信した前記第１のＰＤＣＰ  ＰＤＵであり、
前記第２のＲＬＣ層エンティティを有効化させた状態にある
ことを特徴とするデータ伝送方法。
【請求項８】
端末に応用されるデータ伝送方法であって、
前記端末は、ＰＤＣＰ層エンティティ、第１のＲＬＣ層エンティティ、第２のＲＣＬ層エンティティ及びＭＡＣ層エンティティを含み、
前記方法は、
前記ＰＤＣＰ層エンティティのデータコピー伝送機能がアクティブ化されたことを検出する場合、前記第１のＲＬＣ層エンティティを有効化させることと、
前記第１のＲＬＣ層エンティティを利用して前記第２のＲＬＣ層エンティティからの第１のＲＬＣ  ＳＤＵを受信することと、
前記第１のＲＬＣ層エンティティと前記ＭＡＣ層エンティティを利用して、前記第１のＲＬＣ  ＳＤＵをＭＡＣ  ＰＤＵとして処理し、前記ＭＡＣ  ＰＤＵを送信することとを含み、
前記第２のＲＬＣ層エンティティを有効化させた状態にある
ことを特徴とするデータ伝送方法。
【請求項９】
前記第１のＲＬＣ層エンティティとＭＡＣ層エンティティを利用して、前記第１のＲＬＣ  ＳＤＵをＭＡＣ  ＰＤＵとして処理し、前記ＭＡＣ  ＰＤＵを送信することは、
前記第１のＲＬＣ層エンティティを利用して前記第１のＲＬＣ  ＳＤＵを第１のＲＬＣ  ＰＤＵとしてカプセル化し、前記ＭＡＣ層エンティティに前記第１のＲＬＣ  ＰＤＵを送信することと、
前記ＭＡＣ層エンティティを利用して、前記第１のＲＬＣ  ＰＤＵを前記ＭＡＣ  ＰＤＵとしてカプセル化し、前記ＭＡＣ  ＰＤＵを送信することとを含む
ことを特徴とする請求項８に記載のデータ伝送方法。
【請求項１０】
前記ＰＤＣＰ層エンティティのデータコピー伝送機能がアクティブ化されたことを検出する場合、前記第１のＲＬＣ層エンティティを有効化させた後、前記方法は、さらに、
前記ＰＤＣＰ層エンティティがＰＤＣＰ  ＳＤＵを受信したことが検出された場合、前記ＰＤＣＰ層エンティティを利用して前記ＰＤＣＰ  ＳＤＵをＰＤＣＰ  ＰＤＵとしてカプセル化することと、
前記ＰＤＣＰ層エンティティを利用して前記第１のＲＬＣ層エンティティと前記第２のＲＬＣ層エンティティに前記ＰＤＣＰ  ＰＤＵを送信することとを含む
ことを特徴とする請求項８又は９に記載のデータ伝送方法。
【請求項１１】
前記第１のＲＬＣ層エンティティと前記第２のＲＬＣ層エンティティに前記ＰＤＣＰ  ＰＤＵを送信した後、前記方法は、
前記ＰＤＣＰ層エンティティのデータコピー伝送機能がオフされたことを検出する場合、前記ＰＤＣＰ層エンティティを利用して前記第１のＲＬＣ層エンティティにプリセット指示を送信することと、
前記第１のＲＬＣ層エンティティを利用して前記プリセット指示を受信し、前記プリセット指示に基づいて前記ＰＤＣＰ  ＰＤＵに対応する前記第１のＲＬＣ層エンティティ内の第２のＲＬＣ  ＳＤＵを削除することとを含み、
前記第２のＲＬＣ  ＳＤＵは、前記第１のＲＬＣ層エンティティにより第２のＲＬＣ  ＰＤＵとしてカプセル化されない
ことを特徴とする請求項１０に記載のデータ伝送方法。
【請求項１２】
ネットワーク側デバイスが端末のＭＡＣ  ＰＤＵを取得することを含み、
前記ＭＡＣ  ＰＤＵは、第１のＲＬＣ層エンティティとＭＡＣ層エンティティが第１のＲＬＣ  ＳＤＵを処理したものであり、
前記第１のＲＬＣ  ＳＤＵは、前記端末がＰＤＣＰ層エンティティのデータコピー伝送機能がアクティブ化されたことを検出した場合、前記第１のＲＬＣ層エンティティを有効化させ、前記第１のＲＬＣ層エンティティを利用して第２のＲＬＣ層エンティティから受信した前記第１のＲＬＣ  ＳＤＵであり、
前記第２のＲＬＣ層エンティティを有効化させた状態にある
ことを特徴とするデータ伝送方法。
【請求項１３】
処理ユニット及び通信ユニットを含む端末であって、
前記処理ユニットは、ＰＤＣＰ層エンティティのデータコピー伝送機能がアクティブ化されたことを検出する場合、第１のＲＬＣ層エンティティを有効化させ、前記ＰＤＣＰ層エンティティを利用して第１のＰＤＣＰ  ＳＤＵに関連する第１のＰＤＣＰ  ＰＤＵを確定し、前記第１のＲＬＣ層エンティティに前記第１のＰＤＣＰ  ＰＤＵを送信し、前記第１のＲＬＣ層エンティティとＭＡＣ層エンティティを利用して前記第１のＰＤＣＰ  ＰＤＵをＭＡＣ  ＰＤＵとして処理し、前記通信ユニットを介して送信するように構成され、
第２のＲＬＣ層エンティティを有効化させる状態になる
ことを特徴とする端末。
【請求項１４】
処理ユニット及び通信ユニットを含むネットワーク側デバイスであって、
前記処理ユニットは、前記通信ユニットを介して端末のＭＡＣ  ＰＤＵを取得するように構成され、
前記ＭＡＣ  ＰＤＵは、第１のＲＬＣ層エンティティとＭＡＣ層エンティティとが第１のＰＤＣＰ  ＰＤＵを処理したものであり、
前記第１のＰＤＣＰ  ＰＤＵは、前記端末がＰＤＣＰ層エンティティのデータコピー伝送機能がアクティブ化されたことを検出する場合、前記第１のＲＬＣ層エンティティを有効化させ、前記ＰＤＣＰ層エンティティを利用して確定した第１のＰＤＣＰ  ＳＤＵに関連する前記第１のＰＤＣＰ  ＰＤＵであって、前記第１のＲＬＣ層エンティティに送信した前記第１のＰＤＣＰ  ＰＤＵであり、
前記第２のＲＬＣ層エンティティを有効化させた状態にある
ことを特徴とするネットワーク側デバイス。
【請求項１５】
処理ユニット及び通信ユニットを含む端末であって、
前記処理ユニットは、ＰＤＣＰ層エンティティのデータコピー伝送機能がアクティブ化されたことを検出する場合、第１のＲＬＣ層エンティティを有効化させ、前記第１のＲＬＣ層エンティティを利用して前記第２のＲＬＣ層エンティティからの第１のＲＬＣ  ＳＤＵを受信し、前記第１のＲＬＣ層エンティティとＭＡＣ層エンティティを利用して前記第１のＲＬＣ  ＳＤＵをＭＡＣ  ＰＤＵとして処理し、前記通信ユニットを介して前記ＭＡＣ  ＰＤＵを送信するように構成され、
第２のＲＬＣ層エンティティを有効化させる状態になる
ことを特徴とする端末。
【請求項１６】
処理ユニット及び通信ユニットを含むネットワーク側デバイスであって、
前記処理ユニットは、前記通信ユニットを介して端末のＭＡＣ  ＰＤＵを取得すように構成され、
前記ＭＡＣ  ＰＤＵは、第１のＲＬＣ層エンティティとＭＡＣ層エンティティが第１のＲＬＣ  ＳＤＵを処理したものであり、
前記第１のＲＬＣ  ＳＤＵは、前記端末がＰＤＣＰ層エンティティのデータコピー伝送機能がアクティブ化されたことを検出した場合、前記第１のＲＬＣ層エンティティを有効化させ、前記第１のＲＬＣ層エンティティを利用して第２のＲＬＣ層エンティティから受信した前記第１のＲＬＣ  ＳＤＵであり、
前記第２のＲＬＣ層エンティティを有効化させた状態にある
ことを特徴とするネットワーク側デバイス。
【請求項１７】
プロセッサ、メモリ、通信インターフェース、及び１つ以上のプログラムを含む端末であって、
前記１つ以上のプログラムが前記メモリに記憶され、前記プロセッサにより実行され、
前記プログラムは、請求項１〜６及び／又は８〜１１のいずれか１項に記載の方法のステップを実行する命令を含む
ことを特徴とする端末。
【請求項１８】
プロセッサ、メモリ、送受信機、及び１つ以上のプログラムを含むネットワーク側デバイスであって、
前記１つ以上のプログラムが前記メモリに記憶され、前記プロセッサにより実行され、
前記プログラムは、請求項７及び／又は１２に記載の方法のステップを実行する命令を含む
ことを特徴とするネットワーク側デバイス。
【請求項１９】
電子データ交換のためのコンピュータプログラムが記憶され、
前記コンピュータプログラムは、コンピュータにより請求項１〜６及び／又は８〜１１のいずれか１項に記載の方法を実行する
ことを特徴とするコンピューター読み取り可能な記憶媒体。
【請求項２０】
電子データ交換のためのコンピュータプログラムが記憶され、
前記コンピュータプログラムは、コンピュータにより請求項７及び／又は１２に記載の方法を実行する
ことを特徴とするコンピューター読み取り可能な記憶媒体。
【発明の詳細な説明】
【技術分野】
【０００１】
本発明は、通信技術分野に関し、特に、データ伝送方法及び関連製品に関する。
【背景技術】
【０００２】
ロングタームエボリューション( Ｌｏｎｇ Ｔｅｒｍ Ｅｖｏｌｕｔｉｏｎ：ＬＴＥ )ネットワークなどの第４世代( ４ｔｈ Ｇｅｎｅｒａｔｉｏｎ：４Ｇ )移動通信ネットワークは、現在、広いカバレッジを実現している。４Ｇネットワークは、通信速度が速く、ネットワーク帯域が広く、通信に柔軟性がある等の特徴がある。しかし、モノのインターネット、車のネットワークのニーズが現れ、次世代移動通信ネットワーク、すなわち、第５世代( ５ｔｈ Ｇｅｎｅｒａｔｉｏｎ：５Ｇ )移動通信ネットワークに対するユーザのニーズは、例えば、１００メガバイト/毎秒( Ｍｂｐｓ )のユーザ体験速度、ホットスポット１ギガバイト/毎秒( Ｇｂｐｓ )のユーザ体験速度、１ミリ秒( ｍｓ )以内のエアインターフェース時間遅延、１００ ms以内のエンドツーエンド時間遅延、信頼性保障など、連続的な広域カバレッジが要求されるようになってきている。
【０００３】
通信システムのスペクトル効率及びユーザのデータスループットを更に改善するために、キャリアアグリゲーション( ｃａｒｒｉｅｒ ａｇｇｒｅｇａｔｉｏｎ：ＣＡ )技術がＬＴＥ−Ａ ( ＬＴＥ−ａｄｖａｎｃｅｄ、ロングタームエボリューション、後続のエボリューション)システムに導入される。キャリアアグリゲーションは、ユーザデバイス( Ｕｓｅｒ Ｅｑｕｉｐｍｅｎｔ：ＵＥ )が複数のメンバーキャリア( Ｃｏｍｐｏｎｅｎｔ Ｃａｒｒｉｅｒ：ＣＣ )を同時に用いて上下通信を行うことができ、それによって高速データ伝送を実現することができることを意味する。
【０００４】
現在、５Ｇ(ＮＲ：Ｎｅｗ Ｒａｄｉｏ )システムにおいて、キャリアアグリゲーション技術がデータコピー伝送( Ｄａｔａ Ｄｕｐｌｉｃａｔｉｏｎ)をサポートする方式では、パケットデータコンバージェンスプロトコル( Ｐａｃｋｅｔ Ｄａｔａ Ｃｏｎｖｅｒｇｅｎｃｅ Ｐｒｏｔｏｃｏｌ：ＰＤＣＰ )層エンティティのデータコピー機能を利用して、コピーされたＰＤＣＰプロトコルデータユニット( ＰＤＣＰ Ｐｒｏｔｏｃｏｌ Ｄａｔａ Ｕｎｉｔ：ＰＤＣＰ ＰＤＵ )を、２つの無線リンクコントロールプロトコル( Ｒａｄｉｏ Ｌｉｎｋ Ｃｏｎｔｒｏｌ：ＲＬＣ )層エンティティ(それぞれ異なる論理チャネルを有する)にそれぞれ送信し、最終的に、コピーされたＰＤＣＰ  ＰＤＵが異なる物理層アグリゲーションキャリア上でデータを送信できることを保証する。
【発明の概要】
【０００５】
本発明の実施例は、周波数ダイバーシチゲインが実現され、データ伝送の信頼性を向上させるデータ伝送方法及び関連製品を提供する。
【０００６】
第１の形態として、本発明の実施例は、データ伝送方法を提供し、端末に応用され、前記端末は、ＰＤＣＰ層エンティティ、第１のＲＬＣ層エンティティ、第２のＲＣＬ層エンティティ及びＭＡＣ層エンティティを含み、前記方法は、
前記ＰＤＣＰ層エンティティのデータコピー伝送機能がアクティブ化されたことを検出する場合、前記第１のＲＬＣ層エンティティを有効化させることと、
前記ＰＤＣＰ層エンティティを利用して第１のＰＤＣＰ  ＳＤＵに関連する第１のＰＤＣＰ  ＰＤＵを確定し、前記第１のＲＬＣ層エンティティに前記第１のＰＤＣＰ  ＰＤＵを送信することとを含み、
前記第２のＲＬＣ層エンティティが有効化させた状態にあり、
前記第１のＰＤＣＰ  ＰＤＵは、前記第１のＲＬＣ層エンティティと前記ＭＡＣ層エンティティとが第１のＰＤＣＰ  ＰＤＵをＭＡＣ  ＰＤＵとして処理して送信するために用いられる。
【０００７】
第２の形態、本発明の実施例は、データ伝送方法を提供し、
ネットワーク側デバイスが端末のＭＡＣ  ＰＤＵを取得することを含み、前記ＭＡＣ  ＰＤＵは、第１のＲＬＣ層エンティティとＭＡＣ層エンティティとが第１のＰＤＣＰ  ＰＤＵを処理したものであり、前記第１のＰＤＣＰ  ＰＤＵは、前記端末がＰＤＣＰ層エンティティのデータコピー伝送機能がアクティブ化されたことを検出する場合、前記第１のＲＬＣ層エンティティを有効化させ、前記ＰＤＣＰ層エンティティを利用して確定した第１のＰＤＣＰ  ＳＤＵに関連する前記第１のＰＤＣＰ  ＰＤＵであって、前記第１のＲＬＣ層エンティティに送信した前記第１のＰＤＣＰ  ＰＤＵであり、前記第２のＲＬＣ層エンティティを有効化させた状態にある。
【０００８】
第３の形態として、本発明の実施例は、データ伝送方法を提供し、端末に応用され、前記端末は、ＰＤＣＰ層エンティティ、第１のＲＬＣ層エンティティ、第２のＲＣＬ層エンティティ及びＭＡＣ層エンティティを含み、前記方法は、
前記ＰＤＣＰ層エンティティのデータコピー伝送機能がアクティブ化されたことを検出する場合、前記第１のＲＬＣ層エンティティを有効化させることと、
前記第１のＲＬＣ層エンティティを利用して前記第２のＲＬＣ層エンティティからの第１のＲＬＣ  ＳＤＵを受信することと、
前記第１のＲＬＣ層エンティティと前記ＭＡＣ層エンティティを利用して、前記第１のＲＬＣ  ＳＤＵをＭＡＣ  ＰＤＵとして処理し、前記ＭＡＣ  ＰＤＵを送信することとを含み、
前記第２のＲＬＣ層エンティティを有効化させた状態にある。
【０００９】
第４の形態として、本発明の実施例は、データ伝送方法を提供し、
ネットワーク側デバイスが端末のＭＡＣ  ＰＤＵを取得することを含み、前記ＭＡＣ  ＰＤＵは、第１のＲＬＣ層エンティティとＭＡＣ層エンティティが第１のＲＬＣ  ＳＤＵを処理したものであり、前記第１のＲＬＣ  ＳＤＵは、前記端末がＰＤＣＰ層エンティティのデータコピー伝送機能がアクティブ化されたことを検出した場合、前記第１のＲＬＣ層エンティティを有効化させ、前記第１のＲＬＣ層エンティティを利用して第２のＲＬＣ層エンティティから受信した前記第１のＲＬＣ  ＳＤＵであり、前記第２のＲＬＣ層エンティティを有効化させた状態にある。
【００１０】
第５の形態として、本発明の実施例は、上記構成の端末の動作を実現する機能を有する端末を提供する。これらの機能は、ハードウェアで実現してもよいし、対応するソフトウェアをハードウェアで実行することで実現してもよい。ハードウェア又はソフトウェアは、上述の機能に対応する１つ以上のモジュールを含む。
【００１１】
１つの可能な設計では、端末は、上記の方法のそれぞれの機能を実行するように端末をサポートするように構成されたプロセッサを含む。さらに、端末は、端末とネットワーク側デバイスとの間の通信をサポートするための送受信機をさらに含むことができる。さらに、端末は、端末に必要なプログラム命令およびデータを保持するプロセッサと結合するためのメモリをさらに含むことができる。
【００１２】
第６の形態として、本発明の実施例は、上記構成のネットワーク側デバイスの動作を実現する機能を有するネットワーク側デバイスを提供する。これらの機能は、ハードウェアで実現してもよいし、対応するソフトウェアをハードウェアで実行することで実現してもよい。ハードウェア又はソフトウェアは、上述の機能に対応する１つ以上のモジュールを含む。
【００１３】
１つの可能な設計では、ネットワーク側デバイスは、ネットワーク側デバイスが上述の方法の対応する機能を実行することをサポートするように構成されたプロセッサを含む。さらに、ネットワーク側デバイスは、ネットワーク側デバイスと端末との間の通信をサポートするための送受信機をさらに備えていてもよい。さらに、ネットワーク側デバイスは、ネットワーク側デバイスに必要なプログラム命令およびデータを保持するプロセッサと結合するためのメモリをさらに含むことができる。
【００１４】
第７の形態として、本発明の実施例は、プロセッサと、メモリと、通信インターフェースと、１つ以上のプログラムとを備える端末を提供し、１つ以上のプログラムは、メモリに記憶され、プロセッサによって実行されるように構成され、プログラムは、本発明の実施例の第１の形態のいずれかの方法および/または第３の形態のいずれかの方法におけるステップを実行するための命令を含む。
【００１５】
第８の形態として、本発明の実施例は、プロセッサと、メモリと、送受信機と、１つまたは複数のプログラムとを備えるネットワーク側デバイスを提供し、１つまたは複数のプログラムは、メモリに記憶され、プロセッサによって実行されるように構成され、プログラムは、本発明の実施例の第２の形態のいずれかの方法および/または第４の形態のいずれかの方法におけるステップを実行するための命令を含む。
【００１６】
第９の形態として、本発明の実施例は、電子データ交換のためのコンピュータプログラムを記憶するコンピュータ可読記憶媒体を提供し、コンピュータプログラムは、コンピュータに、本発明の第１の形態のいずれかの方法及び/又は第３の形態のいずれかの方法において説明されるステップの一部又は全部を実行させる。
【００１７】
第１０の形態として、本発明の実施例は、電子データ交換のためのコンピュータプログラムを記憶するコンピュータ可読記憶媒体を提供し、コンピュータプログラムは、コンピュータに本発明の第２の形態のいずれかの方法及び/又は第４の形態のいずれかの方法において説明されるステップの一部又は全部をコンピュータに実行させる。
【００１８】
第１１の形態として、本発明の実施例は、コンピュータプログラム製品を提供し、コンピュータプログラム製品は、コンピュータプログラムを記憶する非一時的コンピュータ可読記憶媒体を含み、コンピュータプログラムは、本発明の実施例の第１の形態のいずれかの方法及び/又は第３の形態のいずれかの方法において説明されるステップの一部又は全部をコンピュータに実行させるように動作可能である。また、前記コンピュータプログラムは、ソフトウェアのインストールパッケージであってもよい。
【００１９】
第１２の形態として、本発明の実施例は、コンピュータプログラム製品を提供し、コンピュータプログラム製品は、コンピュータプログラムを記憶する非一時的コンピュータ可読記憶媒体を含み、コンピュータプログラムは、本発明の実施例の第２の形態のいずれかの方法及び/又は第４の形態のいずれかの方法において説明されるステップの一部又は全部をコンピュータに実行させるように動作可能である。また、前記コンピュータプログラムは、ソフトウェアのインストールパッケージであってもよい。
【００２０】
このように、本発明の実施例において、まず、端末が前記ＰＤＣＰ層エンティティのデータコピー伝送機能がアクティブ化されたことを検出する場合、前記第１のＲＬＣ層エンティティを有効化させ、前記第２のＲＬＣ層エンティティが有効化させた状態にあり、次に、前記ＰＤＣＰ層エンティティを利用して第１のＰＤＣＰ  ＳＤＵに関連する第１のＰＤＣＰ  ＰＤＵを確定し、前記第１のＲＬＣ層エンティティに前記第１のＰＤＣＰ  ＰＤＵを送信し、前記第１のＰＤＣＰ  ＰＤＵは、前記第１のＲＬＣ層エンティティと前記ＭＡＣ層エンティティとが第１のＰＤＣＰ  ＰＤＵをＭＡＣ  ＰＤＵとして処理して送信するために用いられる。このように、ＰＤＣＰ層エンティティのデータコピー伝送機能がアクティブ化されると、ＰＤＣＰ層エンティティによって、コピー伝送を必要とする第１のＰＤＣＰ  ＳＤＵに関連する第１のＰＤＣＰ  ＰＤＵが決定されて第１のＲＬＣ層エンティティに送信され、第２のＲＬＣ層エンティティがパケットを送信する際に、第１のＲＬＣ層エンティティの同じパケットの送信が実現され、これにより、第１のＰＤＣＰ  ＳＤＵのコピー伝送が実現され、第１のＰＤＣＰ  ＳＤＵが２つの論理チャネル上で送信されることが可能になり、データ伝送の周波数ダイバーシティゲインの実現が容易になり、データ送信の信頼性が向上する。
【図面の簡単な説明】
【００２１】
以下、本発明の実施例について図面を参照して説明する。
【図１】本発明の実施例における通信システムのネットワークアーキテクチャである。
【図２Ａ】本発明の実施例におけるデータ伝送方法のフローチャートである。
【図２Ｂ】本発明の実施例におけるデータ伝送プロトコルの構成の模式図である。
【図２Ｃ】本発明の実施例における５Ｇ  ＮＲシーンのデータ伝送方法のフローチャートである。
【図２Ｄ】本発明の実施例における５Ｇ  ＮＲシーンのデータ伝送方法のフローチャートである。
【図３】本発明の実施例におけるデータ伝送方法のフローチャートである。
【図４Ａ】本発明の実施例における端末の構成の模式図である。
【図４Ｂ】本発明の実施例におけるネットワーク側デバイスの構成の模式図である。
【図５Ａ】本発明の実施例における端末の構成の模式図である。
【図５Ｂ】本発明の実施例におけるネットワーク側デバイスの構成の模式図である。
【図６】本発明の実施例における端末の機能ユニット構成のブロック図である。
【図７】本発明の実施例におけるネットワーク側デバイス機能ユニット構成のブロック図である。
【図８】本発明の実施例における他の端末の構成の模式図である。
【発明を実施するための形態】
【００２２】
以下、本発明の実施例について図面を参照して説明する。
【００２３】
図１を参照すると、図１は、本発明の実施例による通信システムの一例の可能なネットワークアーキテクチャである。この例示的な通信システムは、例えば、グローバルシステム移動通信システム( Ｇｌｏｂａｌ Ｓｙｓｔｅｍ ｆｏｒ Ｍｏｂｉｌｅ ｃｏｍｍｕｎｉｃａｔｉｏｎｓ：ＧＳＭ)、符号分割多元接続( Ｃｏｄｅ Ｄｉｖｉｓｉｏｎ Ｍｕｌｔｉｐｌｅ Ａｃｃｅｓｓ：ＣＤＭＡ )システム、時分割多元接続( Ｔｉｍｅ Ｄｉｖｉｓｉｏｎ Ｍｕｌｔｉｐｌｅ Ａｃｃｅｓｓ：ＴＤＭＡ )システム、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ Ｗｉｒｅｌｅｓｓ：ＷＣＤＭＡ)、周波数分割多元接続( Ｆｒｅｑｕｅｎｃｙ Ｄｉｖｉｓｉｏｎ Ｍｕｌｔｉｐｌｅ Ａｄｄｒｅｓｓｉｎｇ：ＦＤＭＡ )システム、直交周波数分割多元接続( Ｏｒｔｈｏｇｏｎａｌ Ｆｒｅｑｕｅｎｃｙ−Ｄｉｖｉｓｉｏｎ Ｍｕｌｔｉｐｌｅ Ａｃｃｅｓｓ：ＯＦＤＭＡ )システム、シングルキャリアＦＤＭＡ ( ＳＣ−ＦＤＭＡ )システム、ユニバーサルパケット無線サービス( Ｇｅｎｅｒａｌ Ｐａｃｋｅｔ Ｒａｄｉｏ Ｓｅｒｖｉｃｅ：ＧＰＲＳ )システム、ＬＴＥシステム、５Ｇ/ＮＲシステム、及び他のそのような通信システムであり得る。この通信システムは、具体的には、ネットワーク側デバイスと、ネットワーク側デバイスが提供する移動体通信網にアクセスする端末とを備え、端末とネットワーク側デバイスとの間を無線リンク通信により接続し、この通信接続方式は、シングル接続方式又はデュアル接続方式又はマルチ接続方式であってもよく、通信接続方式がシングル接続方式である場合には、ネットワーク側デバイスは、ＬＴＥ基地局またはＮＲ基地局( ｇＮＢ基地局とも呼ばれる)であってよく、通信方式がデュアルコネクティビティである場合(特に、キャリアアグリゲーションＣＡ技術によって実装され得るか、または複数のネットワーク側デバイスによって実装され得る)、端末が複数のネットワーク側機器を接続する場合、複数のネットワーク側デバイスは、バックホールリンクを用いて基地局間でデータの再送を行うプライマリ基地局と、ＬＴＥ基地局と、セカンダリ基地局と、を有し、また、プライマリ基地局がＮＲ基地局、セカンダリ基地局がＬＴＥ基地局であってもよいし、プライマリ基地局がNR基地局、セカンダリ基地局がＮＲ基地局であってもよい。
【００２４】
本発明の実施例において、「ネットワーク」と「システム」は、交互に使用され、当業者はその意味を理解することができる。本発明の実施例に係る端末は、無線モデムに接続される様々なハンドヘルド装置、車載装置、ウェアラブル装置、コンピューティング装置、又は他の処理装置、並びに様々な形態のユーザ装置( Ｕｓｅｒ Ｅｑｕｉｐｍｅｎｔ：ＵＥ )、移動局( Ｍｏｂｉｌｅ Ｓｔａｔｉｏｎ：ＭＳ )、端末装置( ｔｅｒｍｉｎａｌ ｄｅｖｉｃｅ )等を含み得る。なお、説明の便宜上、上記の装置を総称して端末と呼ぶ。
【００２５】
図２Ａを参照し、図２Ａは本発明の実施例におけるデータ伝送方法であり、端末に応用され、前記端末は、ＰＤＣＰ層エンティティ、第１のＲＬＣ層エンティティ、第２のＲＣＬ層エンティティ及びＭＡＣ層エンティティを含み、当該方法は、以下のステップを含む。
【００２６】
２ａ０１において、端末が前記ＰＤＣＰ層エンティティのデータコピー伝送機能がアクティブ化されたことを検出する場合、前記第１のＲＬＣ層エンティティを有効化させ、前記第２のＲＬＣ層エンティティが有効化させた状態にある。
【００２７】
ここで、前記ＰＤＣＰ層エンティティのデータコピー伝送機能がアクティブ化の状態又はオフ状態にある場合、前記第２のＲＬＣ層エンティティが常に有効化された状態にある。
【００２８】
ここで、前記ＰＤＣＰ層エンティティのデータコピー伝送機能がアクティブ化される場合、前記第１のＲＬＣ層エンティティを有効化させ、前記ＰＤＣＰ層エンティティのデータコピー伝送機能がオフされる場合、前記第１のＲＬＣ層エンティティを無効化させる。
【００２９】
ここで、前記ＰＤＣＰ層エンティティのデータコピー伝送機能は、図２Ｂに示すように、ＰＤＣＰ層エンティティのデータコピー伝送機能がオフ状態にある場合、前記ＰＤＣＰ層エンティティが前記第１のＰＤＣＰ  ＳＤＵを受信すると、前記第１のＰＤＣＰ  ＳＤＵをＰＤＣＰ  ＰＤＵとしてカプセル化し、前記第２のＲＬＣ層エンティティに送信し、前記第２のＲＬＣ層エンティティがＲＬＣ  ＰＤＵとしてカプセル化して処理し、ＭＡＣ層エンティティに伝送するが、前記ＰＤＣＰ層エンティティのデータコピー伝送機能がアクティブ化される場合、前記ＰＤＣＰ層エンティティは前記第１のＰＤＣＰ  ＳＤＵをＰＤＣＰ  ＰＤＵ及びバックアップであるＰＤＣＰ  ＰＤＵ（即ち第１のＰＤＣＰ  ＰＤＵ）との２つの同じＰＤＣＰ  ＰＤＵとしてカプセル化して処理し、前記ＰＤＣＰ層エンティティは、前記ＰＤＣＰ  ＰＤＵと前記第１のＰＤＣＰ  ＰＤＵを前記第１のＲＬＣ層エンティティと前記第２のＲＬＣ層エンティティとにそれぞれ伝送する。
【００３０】
ここで、データ伝送過程で経由する各層エンティティのＳＤＵは、上層エンティティが送信するＰＤＵに対応し、各層エンティティのＰＤＵは、下層エンティティのＳＤＵに対応する。
【００３１】
２ａ０２において、前記端末が前記ＰＤＣＰ層エンティティを利用して第１のＰＤＣＰ  ＳＤＵに関連する第１のＰＤＣＰ  ＰＤＵを確定し、前記第１のＲＬＣ層エンティティに前記第１のＰＤＣＰ  ＰＤＵを送信し、前記第１のＰＤＣＰ  ＰＤＵは、前記第１のＲＬＣ層エンティティと前記ＭＡＣ層エンティティとが第１のＰＤＣＰ  ＰＤＵをＭＡＣ  ＰＤＵとして処理して送信するために用いられる。
【００３２】
ここで、前記第１のＰＤＣＰ  ＳＤＵは、前記第２のＲＬＣ層エンティティが現在伝送するＲＬＣ  ＳＤＵに対応するＰＤＣＰ  ＳＤＵである。
【００３３】
ここで、前記第１のＰＤＣＰ  ＰＤＵは、前記第１のＲＬＣ層エンティティが前記第１のＰＤＣＰ  ＰＤＵを第１のＲＬＣ  ＰＤＵとしてカプセル化し、前記ＭＡＣ層エンティティに前記第１のＲＬＣ  ＰＤＵを送信するために用いられ、前記第１のＲＬＣ  ＰＤＵは、前記ＭＡＣ層エンティティが前記第１のＲＬＣ  ＰＤＵを前記ＭＡＣ  ＰＤＵとしてカプセル化し、前記ＭＡＣ  ＰＤＵを送信するために用いられる。
【００３４】
ここで、前記ＭＡＣ  ＰＤＵを送信することは、図２Ｂに示すように、端末が前記ＭＡＣ層エンティティを利用して、前記ＭＡＣ  ＰＤＵを第１の物理キャリアで物理ＰＨＹ層エンティティに送信し、前記ＭＡＣ  ＰＤＵがＰＨＹ層エンティティでの圧縮やカプセル化等の操作によりＰＨＹ  ＰＤＵを取得し、ＰＨＹ層エンティティによりネットワーク側デバイスに送信することを含む。
【００３５】
ここで、前記端末が前記ＰＤＣＰ層エンティティを利用して前記第１のＰＤＣＰ  ＳＤＵをカプセル化により複数のＰＤＣＰ  ＰＤＵとして処理し、ここで、現在伝送するＰＤＣＰ  ＰＤＵは、前記第１のＰＤＣＰ  ＳＤＵに関連する前記複数のＰＤＣＰ  ＰＤＵ内の第１のＰＤＣＰ  ＰＤＵである。
【００３６】
ここで、端末がＰＤＣＰ層エンティティのデータコピー伝送機能がオフ状態からアクティブ化されるに変更したことが検出された場合、前記第２のＲＬＣ層エンティティの現在伝送する前記ＲＬＣ  ＰＤＵが第１のＲＬＣ層エンティティで再伝送される必要があるため、ＰＤＣＰ層エンティティが第１のＰＤＣＰ  ＳＤＵに関する第１のＰＤＣＰ  ＰＤＵを確定し、前記第１のＲＬＣ層エンティティに送信して伝送する必要があり、前記第１のＰＤＣＰ  ＳＤＵは、前記第２のＲＬＣ層エンティティの現在伝送するＲＬＣ  ＳＤＵに対応するＰＤＣＰ  ＳＤＵである。
【００３７】
２ａ０３において、ネットワーク側デバイスが前記ＭＡＣ  ＰＤＵを取得する。
【００３８】
ここで、前記ネットワーク側デバイスが前記ＭＡＣ  ＰＤＵを取得することは、ネットワーク側デバイスが端末からの前記ＰＨＹ  ＰＤＵを受信し、ＰＨＹ層エンティティの復調、デカプセル化等の処理により前記ＭＡＣ  ＰＤＵを取得する。
【００３９】
このように、本発明の実施例において、まず、端末が前記ＰＤＣＰ層エンティティのデータコピー伝送機能がアクティブ化されたことを検出する場合、前記第１のＲＬＣ層エンティティを有効化させ、前記第２のＲＬＣ層エンティティが有効化させた状態にあり、次に、前記ＰＤＣＰ層エンティティを利用して第１のＰＤＣＰ  ＳＤＵに関連する第１のＰＤＣＰ  ＰＤＵを確定し、前記第１のＲＬＣ層エンティティに前記第１のＰＤＣＰ  ＰＤＵを送信し、前記第１のＰＤＣＰ  ＰＤＵは、前記第１のＲＬＣ層エンティティと前記ＭＡＣ層エンティティとが第１のＰＤＣＰ  ＰＤＵをＭＡＣ  ＰＤＵとして処理して送信するために用いられる。このように、ＰＤＣＰ層エンティティのデータコピー伝送機能がアクティブ化されると、ＰＤＣＰ層エンティティによって、コピー送信を必要とする第１のＰＤＣＰ  ＳＤＵに関連する第１のＰＤＣＰ  ＰＤＵが決定されて第１のＲＬＣ層エンティティに送信され、第２のＲＬＣ層エンティティがパケットを送信する際に、第１のＲＬＣ層エンティティの同じパケットの送信が実現され、これにより、第１のＰＤＣＰ  ＳＤＵのコピー伝送が実現され、第１のＰＤＣＰ  ＳＤＵが２つの論理チャネル上で送信されることが可能になり、データ伝送の周波数ダイバーシティゲインの実現が容易になり、データ送信の信頼性が向上する。
【００４０】
一例として、前記ＰＤＣＰ層エンティティを利用して第１のＰＤＣＰ  ＳＤＵに関連する第１のＰＤＣＰ  ＰＤＵを確定することは、
前記ＰＤＣＰ層エンティティが所定の条件を満たしていると検出した場合、前記ＰＤＣＰ層エンティティを利用して、予め記憶されたＰＤＣＰ  ＰＤＵのバックアップを前記第１のＰＤＣＰ  ＳＤＵに関連する前記第１のＰＤＣＰ  ＰＤＵとして確定することを含む。
【００４１】
ここで、前記所定の条件は、前記ＰＤＣＰ層エンティティ内のタイマＤｉｓｃａｒｄ  Ｔｉｍｅｒがタイムアウトしないこと、前記ＰＤＣＰ層エンティティの状態レポートＳｔａｔｕｓ  Ｒｅｐｏｒｔが前記第１のＰＤＣＰ  ＰＤＵの削除を示さないこと、前記ＰＤＣＰ層エンティティが前記第２のＲＬＣ層エンティティにより送信された前記第１のＰＤＣＰ  ＰＤＵの削除指示を受信しないことのうちの少なくとも１つを含む。
【００４２】
ここで、前記ＰＤＣＰ層エンティティのデータコピー伝送機能がオフ状態にある場合、前記ＰＤＣＰ層エンティティが前記第１のＰＤＣＰ  ＳＤＵを受信すると、前記第１のＰＤＣＰ  ＳＤＵを１つのＰＤＣＰ  ＰＤＵとしてカプセルし前記第２のＲＬＣ層エンティティに伝送するが、前記ＰＤＣＰ層エンティティが１つの前記ＰＤＣＰ  ＰＤＵのバックアップを保留し、即ち前記第１のＰＤＣＰ  ＰＤＵが前記ＰＤＣＰ層エンティティにあるため、前記ＰＤＣＰ層エンティティのデータコピー伝送機能がアクティブ化された後、端末は、前記ＰＤＣＰ層エンティティに予め記憶されたＰＤＣＰ  ＰＤＵバックアップが前記第１のＰＤＣＰ  ＰＤＵであると確定する。
【００４３】
ここで、前記ＰＤＣＰ  ＰＤＵのバックアップである前記第１のＰＤＣＰ  ＰＤＵは、前記所定の条件を満たさない場合に削除される。
【００４４】
このように、この例において、端末は、前記ＰＤＣＰ層エンティティのデータコピー伝送機能がオフ状態にある場合、前記ＰＤＣＰ層エンティティにＰＤＣＰ  ＰＤＵであるバックアップ前記第１のＰＤＣＰ  ＰＤＵが記憶し、前記ＰＤＣＰ層エンティティのデータコピー伝送機能がアクティブ化される時に、再度にコピー操作しなく、前記ＰＤＣＰ層エンティティ内のバックアップを直接に取得すればよく、端末のデータ伝送速度の向上に有利である。
【００４５】
一例として、前記ＰＤＣＰ層エンティティのデータコピー伝送機能がアクティブ化されたことを検出する場合、前記第１のＲＬＣ層エンティティを有効化させた後、前記方法は、さらに、
前記ＰＤＣＰ層エンティティが第２のＰＤＣＰ  ＳＤＵを受信したことを検出された場合、前記ＰＤＣＰ層エンティティを利用して前記第２のＰＤＣＰ  ＳＤＵを第２のＰＤＣＰ  ＰＤＵとしてカプセル化することと、
前記ＰＤＣＰ層エンティティを利用して前記第１のＲＬＣ層エンティティと前記第２のＲＬＣ層エンティティに前記第２のＰＤＣＰ  ＰＤＵを送信することとを含む。
【００４６】
ここで、前記第２のＰＤＣＰ  ＳＤＵは、前記第１のＰＤＣＰ  ＳＤＵと異なる、前記ＰＤＣＰ層エンティティが新たに受信したパケットである。
【００４７】
ここで、前記ＰＤＣＰ層エンティティのデータコピー伝送機能がアクティブ化されるため、前記ＰＤＣＰ層エンティティは、２つの同じ前記第２のＰＤＣＰ  ＰＤＵをカプセル化し、前記第１のＲＬＣ層エンティティと前記第２のＲＬＣ層エンティティにそれぞれ送信する。
【００４８】
この例において、前記第１のＲＬＣ層エンティティと前記第２のＲＬＣ層エンティティに前記第２のＰＤＣＰ  ＰＤＵを送信した後、前記方法は、さらに、
前記ＰＤＣＰ層エンティティのデータコピー伝送機能がオフされたことを検出する場合、前記ＰＤＣＰ層エンティティを利用して前記第１のＲＬＣ層エンティティにプリセット指示を送信することと、
前記第１のＲＬＣ層エンティティを利用して前記プリセット指示を受信し、前記プリセット指示に基づいて前記第２のＰＤＣＰ  ＰＤＵに対応する前記第１のＲＬＣ層エンティティ内の第２のＲＬＣ  ＳＤＵを削除することとを含み、前記第２のＲＬＣ  ＳＤＵは、前記第１のＲＬＣ層エンティティにより第２のＲＬＣ  ＰＤＵとしてカプセル化されない。
【００４９】
ここで、前記プリセット指示は、前記第１のＲＬＣ層エンティティが前記第２のＰＤＣＰ  ＰＤＵに対応する第２のＲＬＣＳＤＵを削除するように指示する。
【００５０】
ここで、前記ＰＤＣＰ層エンティティのデータコピー伝送機能がオフされる場合、前記第２のＰＤＣＰ  ＰＤＵが第２のＲＬＣ層エンティティのみに伝送されるため、前記端末は、第２のＲＬＣ層エンティティを利用して、前記ＭＡＣ層エンティティに前記第２のＰＤＣＰ  ＰＤＵに対応する前記第２のＲＬＣ層エンティティ内のＲＬＣＰＤＵを送信するが、前記第１のＲＬＣ層エンティティ内のＲＬＣＳＤＵに対応する処理伝送操作を中断する。
【００５１】
ここで、前記ＰＤＣＰ層エンティティのデータコピー伝送機能がオフされる場合、前記第２のＲＬＣ  ＳＤＵが前記第２のＲＬＣ  ＰＤＵとしてカプセル化処理された場合、削除操作を実行しなく、前記ＰＤＣＰ層エンティティのデータコピー伝送機能がアクティブ化される場合、前記第２のＲＬＣ  ＰＤＵを継続して伝送する。
【００５２】
このように、この例において、端末は、前記ＰＤＣＰ層エンティティのデータコピー伝送機能がオフされる場合、前記第１のＲＬＣ層エンティティにおいて伝送されなく且つ第２のＲＬＣ  ＰＤＵとしてカプセル化しない第２のＲＬＣ  ＳＤＵを削除し、前記第１のＲＬＣ層エンティティ内での送信すべきパケットの冗長性の存在を回避し、端末の後続のデータ送信の正確性を向上させるのに有利である。
【００５３】
以下、本発明の実施例について、具体的な応用場面を参照しながら具体的に説明する。
【００５４】
上述した図２Ａの実施例と一致する図２Ｃを参照すると、図２Ｃは、本発明の実施例における別のデータ伝送方法であり、通信システムは、５Ｇ/ＮＲ通信システムであり、ネットワーク側デバイスは、５Ｇ/ＮＲにおける基地局ｇＮＢであり、端末は、５Ｇ/ＮＲにおけるユーザデバイスＵＥであり、前記ＰＤＣＰ層エンティティのデータコピー伝送機能は、オフ状態にあり、前記第１のＲＬＣ層エンティティは、無効化の状態にあり、前記第２のＲＬＣ層エンティティは、有効化の状態にあり、前記ＰＤＣＰ層エンティティが第１のＰＤＣＰ  ＳＤＵを受信したとき、
２ｂ０１において、端末が前記ＰＤＣＰ層エンティティを利用して前記第１のＰＤＣＰ  ＳＤＵをＰＤＣＰ  ＰＤＵとしてカプセル化し、前記ＰＤＣＰ  ＰＤＵのバックアップを第１のＰＤＣＰ  ＰＤＵとして記憶する。
【００５５】
２ｂ０２において、前記端末が前記ＰＤＣＰ層エンティティを利用して前記第２のＲＬＣ層エンティティに前記ＰＤＣＰ  ＰＤＵを送信する。
【００５６】
２ｂ０３において、前記端末前記ＰＤＣＰ層エンティティのデータコピー伝送機能がアクティブ化されたことを検出する場合、前記第１のＲＬＣ層エンティティを有効化させる。
【００５７】
２ｂ０４において、前記端末前記ＰＤＣＰ層エンティティが所定の条件を満たしていると検出した場合、前記ＰＤＣＰ層エンティティを利用して、予め記憶されたＰＤＣＰ  ＰＤＵのバックアップを前記第１のＰＤＣＰ  ＳＤＵに関連する前記第１のＰＤＣＰ  ＰＤＵとして確定し、前記第１のＲＬＣ層エンティティに前記第１のＰＤＣＰ  ＰＤＵを送信する。
【００５８】
ここで、前記所定の条件は、前記ＰＤＣＰ層エンティティ内のタイマＤｉｓｃａｒｄ  Ｔｉｍｅｒがタイムアウトしないこと、前記ＰＤＣＰ層エンティティの状態レポートＳｔａｔｕｓ  Ｒｅｐｏｒｔが前記第１のＰＤＣＰ  ＰＤＵの削除を示さないこと、前記ＰＤＣＰ層エンティティが前記第２のＲＬＣ層エンティティにより送信された前記第１のＰＤＣＰ  ＰＤＵの削除指示を受信しないことのうちの少なくとも１つを含む。
【００５９】
２ｂ０５において、前記端末が前記第１のＲＬＣ層エンティティと前記ＭＡＣ層エンティティを利用して前記第１のＰＤＣＰ  ＰＤＵをＭＡＣ  ＰＤＵとして処理して送信する。
【００６０】
２ｂ０６において、前記ネットワーク側デバイスが前記ＭＡＣ  ＰＤＵを受信する。
【００６１】
このように、本発明の実施例において、まず、端末は前記ＰＤＣＰ層エンティティのデータコピー伝送機能がアクティブ化されたことを検出する場合、前記第１のＲＬＣ層エンティティを有効化させ、前記第２のＲＬＣ層エンティティが有効化させた状態にあり、次に、前記ＰＤＣＰ層エンティティを利用して第１のＰＤＣＰ  ＳＤＵに関連する第１のＰＤＣＰ  ＰＤＵを確定し、前記第１のＲＬＣ層エンティティに前記第１のＰＤＣＰ  ＰＤＵを送信し、前記第１のＰＤＣＰ  ＰＤＵは、前記第１のＲＬＣ層エンティティと前記ＭＡＣ層エンティティとが第１のＰＤＣＰ  ＰＤＵをＭＡＣ  ＰＤＵとして処理して送信するために用いられる。このように、ＰＤＣＰ層エンティティのデータコピー伝送機能がアクティブ化されると、ＰＤＣＰ層エンティティによって、コピー送信を必要とする第１のＰＤＣＰ  ＳＤＵに関連する第１のＰＤＣＰ  ＰＤＵが決定されて第１のＲＬＣ層エンティティに送信され、第２のＲＬＣ層エンティティがパケットを送信する際に、第１のＲＬＣ層エンティティの同じパケットの送信が実現され、これにより、第１のＰＤＣＰ  ＳＤＵのコピー伝送が実現され、第１のＰＤＣＰ  ＳＤＵが２つの論理チャネル上で送信されることが可能になり、データ伝送の周波数ダイバーシティゲインの実現が容易になり、データ送信の信頼性が向上する。
【００６２】
また、端末は、前記ＰＤＣＰ層エンティティのデータコピー伝送機能がオフ状態にある場合、前記ＰＤＣＰ層エンティティにＰＤＣＰ  ＰＤＵであるバックアップ前記第１のＰＤＣＰ  ＰＤＵが記憶し、前記ＰＤＣＰ層エンティティのデータコピー伝送機能がアクティブ化される時に、再度にコピー操作しなく、前記ＰＤＣＰ層エンティティ内のバックアップを直接に取得すればよく、端末のデータ伝送速度の向上に有利である。
【００６３】
上述した図２Ａの実施例と一致する図２Ｄを参照し、図２Ｄは、本発明の実施例における別のデータ伝送方法であり、通信システムは、５Ｇ／ＮＲ通信システムであり、ネットワーク側デバイスは、５Ｇ／ＮＲにおける基地局ｇＮＢであり、端末は、５Ｇ／ＮＲにおけるユーザデバイスＵＥであり、前記ＰＤＣＰ層エンティティのデータコピー伝送機能は、アクティブ状態であり、前記第１のＲＬＣ層エンティティは、有効化の状態であり、前記第２のＲＬＣ層エンティティは、有効化状態であり、前記ＰＤＣＰ層エンティティが第２のＰＤＣＰ ＳＤＵを受信したとき、
２ｃ０１において、端末前記ＰＤＣＰ層エンティティを利用して前記第２のＰＤＣＰ  ＳＤＵを第２のＰＤＣＰ  ＰＤＵとしてカプセル化する。
【００６４】
２ｃ０２において、前記端末前記ＰＤＣＰ層エンティティを利用して前記第１のＲＬＣ層エンティティと前記第２のＲＬＣ層エンティティに前記第２のＰＤＣＰ  ＰＤＵを送信する。
【００６５】
２ｃ０３において、前記端末前記ＰＤＣＰ層エンティティのデータコピー伝送機能がオフされたことを検出する場合、前記ＰＤＣＰ層エンティティを利用して前記第１のＲＬＣ層エンティティにプリセット指示を送信する。
【００６６】
２ｃ０４において、前記端末は、前記第１のＲＬＣ層エンティティを利用して前記プリセット指示を受信し、前記プリセット指示に基づいて前記第２のＰＤＣＰ  ＰＤＵに対応する前記第１のＲＬＣ層エンティティ内の第２のＲＬＣＳＤＵを削除し、前記第２のＲＬＣ  ＳＤＵは、前記第１のＲＬＣ層エンティティにより第２のＲＬＣ  ＰＤＵとしてカプセル化されない。
【００６７】
このように、本発明の実施例において、端末は、前記ＰＤＣＰ層エンティティのデータコピー伝送機能がオフされる場合、前記第１のＲＬＣ層エンティティにおいて伝送されなく且つ第２のＲＬＣ  ＰＤＵとしてカプセルかしない第２のＲＬＣ  ＳＤＵを削除し、前記第１のＲＬＣ層エンティティ内での送信すべきパケットの冗長性の存在を回避し、端末の後続のデータ送信の正確性を向上させるのに有利である
図３を参照し、図３は本発明の実施例におけるデータ伝送方法であり、端末に応用され、前記端末は、ＰＤＣＰ層エンティティ、第１のＲＬＣ層エンティティ、第２のＲＣＬ層エンティティ及びＭＡＣ層エンティティを含み、当該方法は、３０１〜３０４を含む。
【００６８】
３０１において、端末前記ＰＤＣＰ層エンティティのデータコピー伝送機能がアクティブ化されたことを検出する場合、前記第１のＲＬＣ層エンティティを有効化させ、前記第２のＲＬＣ層エンティティが有効化させた状態にある。
【００６９】
３０２において、前記端末前記第１のＲＬＣ層エンティティを利用して前記第２のＲＬＣ層エンティティからの第１のＲＬＣ  ＳＤＵを受信する。
【００７０】
ここで、前記第１のＲＬＣ  ＳＤＵは、前記第２のＲＬＣ層エンティティの現在伝送するＲＬＣ  ＳＤＵと同じＲＬＣ  ＳＤＵである。
【００７１】
ここで、前記ＰＤＣＰ層エンティティのデータコピー伝送機能がアクティブ化されたことを検出する場合、前記第１のＲＬＣ層エンティティが前記第２のＲＬＣ層エンティティの現在伝送するＲＬＣ  ＳＤＵをコピーする必要があるため、前記端末は、第１のＲＬＣ層エンティティを利用して第２のＲＬＣ層エンティティのバッファのＲＬＣ  ＳＤＵを取得して前記第１のＲＬＣ  ＳＤＵとし、この場合、前記ＰＤＣＰ層エンティティのデータコピー伝送機能がアクティブ化される前に、前記ＰＤＣＰ層エンティティは、前記第２のＲＬＣ層エンティティの現在伝送するＲＬＣ  ＳＤＵに対応するＰＤＣＰ  ＰＤＵのバックアップを記憶しない。
【００７２】
３０３において、前記端末は、前記第１のＲＬＣ層エンティティと前記ＭＡＣ層エンティティを利用して、前記第１のＲＬＣ  ＳＤＵをＭＡＣ  ＰＤＵとして処理し、前記ＭＡＣ  ＰＤＵを送信する。
【００７３】
一例として、前記第１のＲＬＣ層エンティティとＭＡＣ層エンティティを利用して、前記第１のＲＬＣ  ＳＤＵをＭＡＣ  ＰＤＵとして処理し、前記ＭＡＣ  ＰＤＵを送信することは、
前記第１のＲＬＣ層エンティティを利用して前記第１のＲＬＣ  ＳＤＵを第１のＲＬＣ  ＰＤＵとしてカプセル化し、前記ＭＡＣ層エンティティに前記第１のＲＬＣ  ＰＤＵを送信することと、
前記ＭＡＣ層エンティティを利用して、前記第１のＲＬＣ  ＰＤＵを前記ＭＡＣ  ＰＤＵとしてカプセル化し、前記ＭＡＣ  ＰＤＵを送信することとを含む。
【００７４】
ここで、ＭＡＣ  ＰＤＵを送信することは、具体的には、図２Ｂに示すように、端末がＭＡＣ層エンティティを利用して、ＭＡＣ  ＰＤＵを第１の物理キャリアで物理層ＰＨＹ層エンティティに送信し、前記ＭＡＣ  ＰＤＵをＰＨＹ層エンティティの圧縮カプセル化等の処理によりＰＨＹ  ＰＤＵを取得し、ＰＨＹ層エンティティからネットワークデバイスに送信することを含む。
【００７５】
３０４において、ネットワーク側デバイスが前記ＭＡＣ  ＰＤＵを取得する。
【００７６】
ここで、上記の３０１、３０４は、図２Ａに記載された実施例における対応するステップを参照し得る。
【００７７】
このように、本発明の実施例において、まず、端末は前記ＰＤＣＰ層エンティティのデータコピー伝送機能がアクティブ化されたことを検出する場合、前記第１のＲＬＣ層エンティティを有効化させ、次に、前記第１のＲＬＣ層エンティティを利用して前記第２のＲＬＣ層エンティティからの第１のＲＬＣ  ＳＤＵを受信し、最後、前記第１のＲＬＣ層エンティティと前記ＭＡＣ層エンティティを利用して、前記第１のＲＬＣ  ＳＤＵをＭＡＣ  ＰＤＵとして処理し、前記ＭＡＣ  ＰＤＵを送信する。このように、ＰＤＣＰ層エンティティのデータコピー転送機能がアクティブ化されると、第１のＲＬＣ層エンティティが、コピー伝送を必要とする第２のＲＬＣ層エンティティの第１のＲＬＣ  ＳＤＵを決定し、第２のＲＬＣ層エンティティがパケットを伝送する際に、第１のＲＬＣ層エンティティの同一パケットの伝送を実現することで、データのコピー伝送を実現し、２つの論理チャネル上でのデータ伝送を可能にし、データ転送の周波数ダイバーシチゲインの実現を容易にし、データ転送の信頼性を向上させる
一例として、前記ＰＤＣＰ層エンティティのデータコピー伝送機能がアクティブ化されたことを検出する場合、前記第１のＲＬＣ層エンティティを有効化させた後、前記方法は、さらに、
前記ＰＤＣＰ層エンティティがＰＤＣＰ  ＳＤＵを受信したことが検出された場合、前記ＰＤＣＰ層エンティティを利用して前記ＰＤＣＰ  ＳＤＵをＰＤＣＰ  ＰＤＵとしてカプセル化することと、
前記ＰＤＣＰ層エンティティを利用して前記第１のＲＬＣ層エンティティと前記第２のＲＬＣ層エンティティに前記ＰＤＣＰ  ＰＤＵを送信することとを含む。
【００７８】
ここで、前記ＰＤＣＰ  ＳＤＵは、上記のＭＡＣ  ＰＤＵに関係ない、前記ＰＤＣＰ層エンティティが新たに受信したパケットである。
【００７９】
ここで、前記ＰＤＣＰ層エンティティのデータコピー伝送機能がアクティブ化されるため、前記ＰＤＣＰ層エンティティは、前記ＰＤＣＰ  ＳＤＵを２つの同じ前記ＰＤＣＰ  ＰＤＵとしてカプセル化し、前記第１のＲＬＣ層エンティティと前記第２のＲＬＣ層エンティティにそれぞれ送信する。
【００８０】
一例として、前記第１のＲＬＣ層エンティティと前記第２のＲＬＣ層エンティティに前記ＰＤＣＰ  ＰＤＵを送信した後、前記方法は、さらに、
前記ＰＤＣＰ層エンティティのデータコピー伝送機能がオフされたことを検出する場合、前記ＰＤＣＰ層エンティティを利用して前記第１のＲＬＣ層エンティティにプリセット指示を送信することと、
前記第１のＲＬＣ層エンティティを利用して前記プリセット指示を受信し、前記プリセット指示に基づいて前記ＰＤＣＰ  ＰＤＵに対応する前記第１のＲＬＣ層エンティティ内の第２のＲＬＣ  ＳＤＵを削除することとを含み、前記第２のＲＬＣ  ＳＤＵは、前記第１のＲＬＣ層エンティティにより第２のＲＬＣ  ＰＤＵとしてカプセル化されない。
【００８１】
ここで、前記プリセット指示は、前記第１のＲＬＣ層エンティティが前記第２のＰＤＣＰ  ＰＤＵに対応する第２のＲＬＣＳＤＵを削除するように指示する。
【００８２】
ここで、前記ＰＤＣＰ層エンティティのデータコピー伝送機能がオフされる場合、前記第２のＰＤＣＰ  ＰＤＵが第２のＲＬＣ層エンティティのみに伝送されるため、前記端末は、第２のＲＬＣ層エンティティを利用して、前記ＭＡＣ層エンティティに前記第２のＰＤＣＰ  ＰＤＵに対応する前記第２のＲＬＣ層エンティティ内のＲＬＣＰＤＵを送信するが、前記第１のＲＬＣ層エンティティ内のＲＬＣＳＤＵに対応する処理伝送操作を中断する。
【００８３】
ここで、前記ＰＤＣＰ層エンティティのデータコピー伝送機能がオフされる場合、前記第２のＲＬＣ  ＳＤＵが前記第２のＲＬＣ  ＰＤＵとしてカプセル化処理された場合、削除操作を実行しなく、前記ＰＤＣＰ層エンティティのデータコピー伝送機能がアクティブ化される場合、前記第２のＲＬＣ  ＰＤＵを継続して伝送する。
【００８４】
このように、この例において、端末は、前記ＰＤＣＰ層エンティティのデータコピー伝送機能がオフされる場合、前記第１のＲＬＣ層エンティティにおいて伝送されなく且つ第２のＲＬＣ  ＰＤＵとしてカプセルかしない第２のＲＬＣ  ＳＤＵを削除し、前記第１のＲＬＣ層エンティティ内での送信すべきパケットの冗長性の存在を回避し、端末の後続のデータ送信の正確性を向上させるのに有利である。
【００８５】
図２Ａに示された実施例と一致して、図４Ａを参照し、図４Ａは本発明の実施例における端末の構成の模式図であり、図示されるように、端末は、プロセッサと、メモリと、通信インターフェースと、１つ以上のプログラムとを備え、１つ以上のプログラムは、メモリに記憶され、プロセッサによって実行されるように構成され、プログラムは、以下のステップを実行するための命令を含む。
【００８６】
前記ＰＤＣＰ層エンティティのデータコピー伝送機能がアクティブ化されたことを検出する場合、前記第１のＲＬＣ層エンティティを有効化させ、前記第２のＲＬＣ層エンティティが有効化させた状態にあり、
前記ＰＤＣＰ層エンティティを利用して第１のＰＤＣＰ  ＳＤＵに関連する第１のＰＤＣＰ  ＰＤＵを確定し、前記第１のＲＬＣ層エンティティに前記第１のＰＤＣＰ  ＰＤＵを送信し、前記第１のＰＤＣＰ  ＰＤＵは、前記第１のＲＬＣ層エンティティと前記ＭＡＣ層エンティティとが第１のＰＤＣＰ  ＰＤＵをＭＡＣ  ＰＤＵとして処理して送信するために用いられる。
【００８７】
このように、本発明に実施例において、まず、端末は前記ＰＤＣＰ層エンティティのデータコピー伝送機能がアクティブ化されたことを検出する場合、前記第１のＲＬＣ層エンティティを有効化させ、前記第２のＲＬＣ層エンティティが有効化させた状態にあり、次に、前記ＰＤＣＰ層エンティティを利用して第１のＰＤＣＰ  ＳＤＵに関連する第１のＰＤＣＰ  ＰＤＵを確定し、前記第１のＲＬＣ層エンティティに前記第１のＰＤＣＰ  ＰＤＵを送信し、前記第１のＰＤＣＰ  ＰＤＵは、前記第１のＲＬＣ層エンティティと前記ＭＡＣ層エンティティとが第１のＰＤＣＰ  ＰＤＵをＭＡＣ  ＰＤＵとして処理して送信するために用いられる。このように、ＰＤＣＰ層エンティティのデータコピー伝送機能がアクティブ化されると、ＰＤＣＰ層エンティティによって、コピー送信を必要とする第１のＰＤＣＰ  ＳＤＵに関連する第１のＰＤＣＰ  ＰＤＵが決定されて第１のＲＬＣ層エンティティに送信され、第２のＲＬＣ層エンティティがパケットを送信する際に、第１のＲＬＣ層エンティティの同じパケットの送信が実現され、これにより、第１のＰＤＣＰ  ＳＤＵのコピー伝送が実現され、第１のＰＤＣＰ  ＳＤＵが２つの論理チャネル上で送信されることが可能になり、データ伝送の周波数ダイバーシティゲインの実現が容易になり、データ送信の信頼性が向上する。
【００８８】
一例として、前記ＰＤＣＰ層エンティティを利用して第１のＰＤＣＰ  ＳＤＵに関連する第１のＰＤＣＰ  ＰＤＵ形態を確定する時に、上記のプログラムの命令は、以下のステップを実行する。前記ＰＤＣＰ層エンティティが所定の条件を満たしていると検出した場合、前記ＰＤＣＰ層エンティティを利用して、予め記憶されたＰＤＣＰ  ＰＤＵのバックアップを前記第１のＰＤＣＰ  ＳＤＵに関連する前記第１のＰＤＣＰ  ＰＤＵとして確定することを含む。
【００８９】
この例において、前記所定の条件は、前記ＰＤＣＰ層エンティティ内のタイマＤｉｓｃａｒｄ  Ｔｉｍｅｒがタイムアウトしないこと、前記ＰＤＣＰ層エンティティの状態レポートＳｔａｔｕｓ  Ｒｅｐｏｒｔが前記第１のＰＤＣＰ  ＰＤＵの削除を示さないこと、前記ＰＤＣＰ層エンティティが前記第２のＲＬＣ層エンティティにより送信された前記第１のＰＤＣＰ  ＰＤＵの削除指示を受信しないことのうちの少なくとも１つを含む。
【００９０】
一例として、前記第１のＰＤＣＰ  ＰＤＵは、前記第１のＲＬＣ層エンティティが前記第１のＰＤＣＰ  ＰＤＵを第１のＲＬＣ  ＰＤＵとしてカプセル化し、前記ＭＡＣ層エンティティに前記第１のＲＬＣ  ＰＤＵを送信するために用いられ、前記ＭＡＣ層エンティティが前記第１のＲＬＣ  ＰＤＵを前記ＭＡＣ  ＰＤＵとしてカプセル化し、前記ＭＡＣ  ＰＤＵに送信する。
【００９１】
一例として、前記プログラムは、以下のステップを実行するための命令を含む。前記ＰＤＣＰ層エンティティのデータコピー伝送機能がアクティブ化されたことを検出する場合、前記第１のＲＬＣ層エンティティを有効化させた後、前記ＰＤＣＰ層エンティティが第２のＰＤＣＰ  ＳＤＵを受信したことを検出された場合、前記ＰＤＣＰ層エンティティを利用して前記第２のＰＤＣＰ  ＳＤＵを第２のＰＤＣＰ  ＰＤＵとしてカプセル化し、前記ＰＤＣＰ層エンティティを利用して前記第１のＲＬＣ層エンティティと前記第２のＲＬＣ層エンティティに前記第２のＰＤＣＰ  ＰＤＵを送信する。
【００９２】
この例において、前記プログラムは、以下のステップを実行するための命令を含む。前記第１のＲＬＣ層エンティティと前記第２のＲＬＣ層エンティティに前記第２のＰＤＣＰ  ＰＤＵを送信した後、前記ＰＤＣＰ層エンティティのデータコピー伝送機能がオフされたことを検出する場合、前記ＰＤＣＰ層エンティティを利用して前記第１のＲＬＣ層エンティティにプリセット指示を送信し、前記第１のＲＬＣ層エンティティを利用して前記プリセット指示を受信し、前記プリセット指示に基づいて前記第２のＰＤＣＰ  ＰＤＵに対応する前記第１のＲＬＣ層エンティティ内の第２のＲＬＣ  ＳＤＵを削除し、前記第２のＲＬＣ  ＳＤＵは、前記第１のＲＬＣ層エンティティにより第２のＲＬＣ  ＰＤＵとしてカプセル化されない。
【００９３】
上記の図２Ａの実施例と一致し、図４Ｂを参照し、図４Ｂは本発明の実施例におけるネットワーク側デバイスの構成の模式図である。図に示すように、当該ネットワーク側デバイスは、プロセッサ、メモリ、送受信機及び１つ以上のプログラムを含み、ここで、前記１つ以上のプログラムが前記メモリに記憶され、前記プロセッサにより実行され、前記プログラムは、以下のステップを実行する命令を含む。
【００９４】
ネットワーク側デバイスが端末のＭＡＣ  ＰＤＵを取得し、前記ＭＡＣ  ＰＤＵは、第１のＲＬＣ層エンティティとＭＡＣ層エンティティとが第１のＰＤＣＰ  ＰＤＵを処理したものであり、前記第１のＰＤＣＰ  ＰＤＵは、前記端末がＰＤＣＰ層エンティティのデータコピー伝送機能がアクティブ化されたことを検出する場合、前記第１のＲＬＣ層エンティティを有効化させ、前記ＰＤＣＰ層エンティティを利用して確定した第１のＰＤＣＰ  ＳＤＵに関連する前記第１のＰＤＣＰ  ＰＤＵであって、前記第１のＲＬＣ層エンティティに送信した前記第１のＰＤＣＰ  ＰＤＵであり、前記第２のＲＬＣ層エンティティが有効化させた状態にある。
【００９５】
このように、本発明の実施例において、ネットワーク側デバイスが端末のＭＡＣ  ＰＤＵを取得し、前記ＭＡＣ  ＰＤＵは、第１のＰＤＣＰ  ＰＤＵの伝送により取得したものであり、ＰＤＣＰ層エンティティのデータコピー伝送機能がアクティブ化された後、前記ＰＤＣＰ層エンティティは、第１のＰＤＣＰ  ＳＤＵに関連する前記第１のＰＤＣＰ  ＰＤＵを確定し、第１のＲＬＣ層エンティティに送信し、第２のＲＬＣ層エンティティがパケットを伝送する時に第１のＲＬＣ層エンティティの同じパケットの伝送を実現し、これにより、第１のＰＤＣＰ  ＳＤＵのコピー伝送が実現され、第１のＰＤＣＰ  ＳＤＵが２つの論理チャネル上で送信されることが可能になり、データ伝送の周波数ダイバーシティゲインの実現が容易になり、データ送信の信頼性が向上する。
【００９６】
上記の図３の実施例と一致し、図５Ａを参照し、図５Ａは本発明の実施例における端末の構成の模式図である。図に示すように、当該端末は、プロセッサ、メモリ、通信インターフェース及び１つ以上のプログラムを含み、ここで、前記１つ以上のプログラムが前記メモリに記憶され、前記プロセッサにより実行され、前記プログラムは、以下のステップを実行する命令を含む。
【００９７】
前記ＰＤＣＰ層エンティティのデータコピー伝送機能がアクティブ化されたことを検出する場合、前記第１のＲＬＣ層エンティティを有効化させ、前記第２のＲＬＣ層エンティティが有効化させた状態にあり、
前記第１のＲＬＣ層エンティティを利用して前記第２のＲＬＣ層エンティティからの第１のＲＬＣ  ＳＤＵを受信し、
前記第１のＲＬＣ層エンティティと前記ＭＡＣ層エンティティを利用して、前記第１のＲＬＣ  ＳＤＵをＭＡＣ  ＰＤＵとして処理し、前記ＭＡＣ  ＰＤＵを送信する。
【００９８】
このように、本発明の実施例において、まず、端末は前記ＰＤＣＰ層エンティティのデータコピー伝送機能がアクティブ化されたことを検出する場合、前記第１のＲＬＣ層エンティティを有効化させ、次に、前記第１のＲＬＣ層エンティティを利用して前記第２のＲＬＣ層エンティティからの第１のＲＬＣ  ＳＤＵを受信し、最後、前記第１のＲＬＣ層エンティティと前記ＭＡＣ層エンティティを利用して、前記第１のＲＬＣ  ＳＤＵをＭＡＣ  ＰＤＵとして処理し、前記ＭＡＣ  ＰＤＵを送信する。このように、ＰＤＣＰ層エンティティのデータコピー伝送機能がアクティブ化されると、第１のＲＬＣ層エンティティが、コピー伝送を必要とする第２のＲＬＣ層エンティティの第１のＲＬＣ  ＳＤＵを決定し、第２のＲＬＣ層エンティティがパケットを伝送する際に、第１のＲＬＣ層エンティティの同一パケットの伝送を実現することで、データのコピー伝送を実現し、２つの論理チャネル上でのデータ伝送を可能にし、データ転送の周波数ダイバーシチゲインの実現を容易にし、データ転送の信頼性を向上させる
一例として、前記第１のＲＬＣ層エンティティ及びＭＡＣ層エンティティを利用して前記第１のＲＬＣ  ＳＤＵをＭＡＣ  ＰＤＵとして処理し、前記ＭＡＣ  ＰＤＵを送信する時に、上記プログラムの命令は、以下のステップを実行する命令を含む。前記第１のＲＬＣ層エンティティを利用して前記第１のＲＬＣ  ＳＤＵを第１のＲＬＣ  ＰＤＵとしてカプセル化し、前記ＭＡＣ層エンティティに前記第１のＲＬＣ  ＰＤＵを送信し、前記ＭＡＣ層エンティティを利用して、前記第１のＲＬＣ  ＰＤＵを前記ＭＡＣ  ＰＤＵとしてカプセル化し、前記ＭＡＣ  ＰＤＵを送信する。
【００９９】
一例として、前記プログラムは、以下のステップを実行する命令を含む。前記ＰＤＣＰ層エンティティのデータコピー伝送機能がアクティブ化されたことを検出する場合、前記第１のＲＬＣ層エンティティを有効化させた後、前記ＰＤＣＰ層エンティティがＰＤＣＰ  ＳＤＵを受信したことが検出された場合、前記ＰＤＣＰ層エンティティを利用して前記ＰＤＣＰ  ＳＤＵをＰＤＣＰ  ＰＤＵとしてカプセル化し、前記ＰＤＣＰ層エンティティを利用して前記第１のＲＬＣ層エンティティと前記第２のＲＬＣ層エンティティに前記ＰＤＣＰ  ＰＤＵを送信する。
【０１００】
この例において、前記プログラムは、以下のステップを実行する命令を含む。前記第１のＲＬＣ層エンティティと前記第２のＲＬＣ層エンティティに前記ＰＤＣＰ  ＰＤＵを送信した後、前記ＰＤＣＰ層エンティティのデータコピー伝送機能がオフされたことを検出する場合、前記ＰＤＣＰ層エンティティを利用して前記第１のＲＬＣ層エンティティにプリセット指示を送信し、前記第１のＲＬＣ層エンティティを利用して前記プリセット指示を受信し、前記プリセット指示に基づいて前記ＰＤＣＰ  ＰＤＵに対応する前記第１のＲＬＣ層エンティティ内の第２のＲＬＣ  ＳＤＵを削除し、前記第２のＲＬＣ  ＳＤＵは、前記第１のＲＬＣ層エンティティにより第２のＲＬＣ  ＰＤＵとしてカプセル化されない。
【０１０１】
上記の図３の実施例と一致し、図５Ｂを参照し、図５Ｂは本発明の実施例におけるネットワーク側デバイスの構成の模式図である。図に示すように、当該ネットワーク側デバイスは、プロセッサ、メモリ、送受信機及び１つ以上のプログラムを含み、ここで、前記１つ以上のプログラムが前記メモリに記憶され、前記プロセッサにより実行され、前記プログラムは、以下のステップを実行する命令を含む。
【０１０２】
ネットワーク側デバイスが端末のＭＡＣ  ＰＤＵを取得し、前記ＭＡＣ  ＰＤＵは、第１のＲＬＣ層エンティティとＭＡＣ層エンティティが第１のＲＬＣ  ＳＤＵを処理したものであり、前記第１のＲＬＣ  ＳＤＵは、前記端末がＰＤＣＰ層エンティティのデータコピー伝送機能がアクティブ化されたことを検出した場合、前記第１のＲＬＣ層エンティティを有効化させ、前記第１のＲＬＣ層エンティティを利用して第２のＲＬＣ層エンティティから受信した前記第１のＲＬＣ  ＳＤＵであり、前記第２のＲＬＣ層エンティティが有効化させた状態にある。
【０１０３】
このように、本発明の実施例において、ネットワーク側デバイスが端末のＭＡＣ  ＰＤＵを取得し、前記ＭＡＣ  ＰＤＵは、第１のＲＬＣ  ＳＤＵの伝送により取得したものであり、
ＰＤＣＰ層エンティティのデータコピー伝送機能がアクティブ化された後、第１のＲＬＣ層エンティティが第２のＲＬＣ層エンティティからの前記第１のＲＬＣ  ＳＤＵを受信し、第２のＲＬＣ層エンティティがパケットを伝送する際に、第１のＲＬＣ層エンティティの同一パケットの伝送を実現することで、データのコピー伝送を実現し、２つの論理チャネル上でのデータ伝送を可能にし、データ転送の周波数ダイバーシチゲインの実現を容易にし、データ転送の信頼性を向上させる
以上、主に各ネットワーク要素間のインタラクションという観点から本発明の実施例の構成を説明した。端末及びネットワーク側デバイスは、上記機能を実現するために、それぞれの機能を実行するためのハードウェア構成及び/又はソフトウェアモジュールを含むことが理解される。当業者は、本明細書に開示された実施例に関連して説明された様々な例のユニットおよびアルゴリズムステップが、ハードウェアまたはハードウェアとコンピュータソフトウェアとの組合せの形態で本発明を実施できることが容易に理解されるであろう。ある機能がハードウェアで実行されるか、コンピュータソフトウェアドライバハードウェアで実行されるかは、特許請求の範囲の特定のアプリケーション及び設計制約に依存する。当業者は、説明された機能を実施するために、特定のアプリケーションごとに異なる方法を使用することができるが、そのような実施は、本発明の範囲から逸脱するものと考えられるべきではない。
【０１０４】
本発明の実施例は、上記の方法例に従って端末とネットワーク側デバイスとに機能ユニットの分割を行ってもよく、例えば、各機能ユニットを各機能に応じて分割してもよく、２つ以上の機能を１つの処理ユニットに統合してもよい。上記の統合されたユニットは、ハードウェアの形態で実現されてもよいし、ソフトウェアプログラムモジュールの形態で実現されてもよい。なお、本発明の実施例におけるユニットの分割は模式的なものであり、一種類の論理的な機能分割のみであり、実際の実現に際しては別の分割形態があり得る。
【０１０５】
集積ユニットを用いる場合には、図６は上記実施例に係る端末の機能的な構成を示すブロック図である。端末６００は、処理ユニット６０２と、通信ユニット６０３とを備える。処理ユニット６０２は、端末の動作を制御管理するために使用され、例えば、処理ユニット６０２は、端末が図２Ａにおけるステップ２Ａ０１〜２Ａ０２、図２Ｃにおけるステップ２ｂ０１〜２ｂ０５、図２Ｄにおけるステップ２Ｃ０１〜２Ｃ０４、図３におけるステップ３０１-３０３、及び/又は本明細書に記載の技術のための他のプロセスを実行することを支援するために使用される。通信ユニット６０３は、図４(Ｂ)や図５(Ｂ)に示すネットワーク側デバイスなど、他の装置との通信を端末に支援するためのものである。端末は、端末のプログラムコード及びデータを記憶するための記憶ユニット６０１を更に含むことができる。
【０１０６】
ここで、処理ユニット６０２は、プロセッサ又はコントローラであってよく、例えば、中央処理装置( Ｃｅｎｔｒａｌ Ｐｒｏｃｅｓｓｉｎｇ Ｕｎｉｔ：ＣＰＵ )、汎用プロセッサ、デジタル信号プロセッサ( Ｄｉｇｉｔａｌ Ｓｉｇｎａｌ Ｐｒｏｃｅｓｓｏｒ：ＤＳＰ )、特定用途向け集積回路( Ａｐｐｌｉｃａｔｉｏｎ−Ｓｐｅｃｉｆｉｃ Ｉｎｔｅｇｒａｔｅｄ Ｃｉｒｃｕｉｔ：ＡＳＩＣ )、フィールドプログラマブルゲートアレイ( Ｆｉｅｌｄ Ｐｒｏｇｒａｍｍａｂｌｅ Ｇａｔｅ Ａｒｒａｙ：ＦＰＧＡ )、又は他のプログラマブル論理デバイス、トランジスタロジックデバイス、ハードウェアコンポーネント、又はこれらの任意の組み合わせであってよい。本開示に関連して説明された様々な例示的な論理ブロック、モジュール、および回路を実装または実行することができる。プロセッサはまた、例えば、１つ以上のマイクロプロセッサの組み合わせ、ＤＳＰとマイクロプロセッサの組み合わせなどを含む、計算機能を実装する組み合わせであってもよい。通信ユニット６０３は、通信インターフェース、送受信部、送受信回路等であり、記憶ユニット６０１は、メモリ等である。
【０１０７】
ここで、前記処理ユニット６０２は、ＰＤＣＰ層エンティティのデータコピー伝送機能がアクティブ化されることを検出した場合、第１のＲＬＣ層エンティティを有効化させ、第２のＲＬＣ層エンティティが有効化の状態にあり、前記ＰＤＣＰ層エンティティを利用して第１のＰＤＣＰ  ＳＤＵに関連する第１のＰＤＣＰ  ＰＤＵを確定し、前記第１のＲＬＣ層エンティティに前記第１のＰＤＣＰ  ＰＤＵを送信し、前記第１のＲＬＣ層エンティティとＭＡＣ層エンティティを利用して前記第１のＰＤＣＰ  ＰＤＵをＭＡＣ  ＰＤＵとして処理し、前記通信ユニット６０３を介して送信する。
【０１０８】
一例として、前記ＰＤＣＰ層エンティティを利用して第１のＰＤＣＰ  ＳＤＵに関連する第１のＰＤＣＰ  ＰＤＵ形態を確定する前に、前記処理ユニット６０２は、前記ＰＤＣＰ層エンティティが所定の条件を満たしていると検出した場合、前記ＰＤＣＰ層エンティティを利用して、予め記憶されたＰＤＣＰ  ＰＤＵのバックアップを前記第１のＰＤＣＰ  ＳＤＵに関連する前記第１のＰＤＣＰ  ＰＤＵとして確定するように構成される。
【０１０９】
この例において、前記所定の条件は、前記ＰＤＣＰ層エンティティ内のタイマＤｉｓｃａｒｄ  Ｔｉｍｅｒがタイムアウトしないこと、前記ＰＤＣＰ層エンティティの状態レポートＳｔａｔｕｓ  Ｒｅｐｏｒｔが前記第１のＰＤＣＰ  ＰＤＵの削除を示さないこと、前記ＰＤＣＰ層エンティティが前記第２のＲＬＣ層エンティティにより送信された前記第１のＰＤＣＰ  ＰＤＵの削除指示を受信しないことのうちの少なくとも１つを含む。
【０１１０】
一例として、前記第１のＰＤＣＰ  ＰＤＵは、前記第１のＲＬＣ層エンティティが前記第１のＰＤＣＰ  ＰＤＵを第１のＲＬＣ  ＰＤＵとしてカプセル化し、前記ＭＡＣ層エンティティに前記第１のＲＬＣ  ＰＤＵを送信し、前記ＭＡＣ層エンティティが前記第１のＲＬＣ  ＰＤＵを前記ＭＡＣ  ＰＤＵとしてカプセル化し、前記ＭＡＣ  ＰＤＵに送信するために用いられる。
【０１１１】
一例として、前記処理ユニット６０２は、前記ＰＤＣＰ層エンティティのデータコピー伝送機能がアクティブ化されたことを検出する場合、前記第１のＲＬＣ層エンティティを有効化させた後、前記ＰＤＣＰ層エンティティが第２のＰＤＣＰ  ＳＤＵを受信したことを検出された場合、前記ＰＤＣＰ層エンティティを利用して前記第２のＰＤＣＰ  ＳＤＵを第２のＰＤＣＰ  ＰＤＵとしてカプセル化し、前記ＰＤＣＰ層エンティティを利用して前記第１のＲＬＣ層エンティティと前記第２のＲＬＣ層エンティティに前記第２のＰＤＣＰ  ＰＤＵを送信するように構成される。
【０１１２】
この例において、前記処理ユニット６０２は、前記第１のＲＬＣ層エンティティと前記第２のＲＬＣ層エンティティに前記第２のＰＤＣＰ  ＰＤＵを送信した後、前記ＰＤＣＰ層エンティティのデータコピー伝送機能がオフされたことを検出する場合、前記ＰＤＣＰ層エンティティを利用して前記第１のＲＬＣ層エンティティにプリセット指示を送信し、前記第１のＲＬＣ層エンティティを利用して前記プリセット指示を受信し、前記プリセット指示に基づいて前記第２のＰＤＣＰ  ＰＤＵに対応する前記第１のＲＬＣ層エンティティ内の第２のＲＬＣ  ＳＤＵを削除するように構成され、前記第２のＲＬＣ  ＳＤＵは、前記第１のＲＬＣ層エンティティにより第２のＲＬＣ  ＰＤＵとしてカプセル化されない。
【０１１３】
又は、
ここで、前記処理ユニット６０２は、前記ＰＤＣＰ層エンティティのデータコピー伝送機能がアクティブ化されたことを検出する場合、前記第１のＲＬＣ層エンティティを有効化させ、前記第２のＲＬＣ層エンティティが有効化させた状態にあり、前記第１のＲＬＣ層エンティティを利用して前記第２のＲＬＣ層エンティティからの第１のＲＬＣ  ＳＤＵを受信し、前記第１のＲＬＣ層エンティティと前記ＭＡＣ層エンティティを利用して前記第１のＲＬＣ  ＳＤＵをＭＡＣ  ＰＤＵとして処理し、前記通信ユニット６０３を介して前記ＭＡＣ  ＰＤＵを送信するように構成される。
【０１１４】
一例として、前記第１のＲＬＣ層エンティティとＭＡＣ層エンティティを利用して前記第１のＲＬＣ  ＳＤＵをＭＡＣ  ＰＤＵとして処理し、前記通信ユニット６０３を介して前記ＭＡＣ  ＰＤＵ形態を送信する時に、前記処理ユニット６０２は、前記第１のＲＬＣ層エンティティを利用して前記第１のＲＬＣ  ＳＤＵを第１のＲＬＣ  ＰＤＵとしてカプセル化し、前記ＭＡＣ層エンティティに前記第１のＲＬＣ  ＰＤＵを送信し、前記ＭＡＣ層エンティティを利用して前記第１のＲＬＣ  ＰＤＵを前記ＭＡＣ  ＰＤＵとしてカプセル化し、前記通信ユニット６０３を介して前記ＭＡＣ  ＰＤＵを送信するように構成される。
【０１１５】
一例として、前記処理ユニット６０２は、前記ＰＤＣＰ層エンティティのデータコピー伝送機能がアクティブ化されたことを検出する場合、前記第１のＲＬＣ層エンティティを有効化させた後、前記ＰＤＣＰ層エンティティがＰＤＣＰ  ＳＤＵを受信したことが検出された場合、前記ＰＤＣＰ層エンティティを利用して前記ＰＤＣＰ  ＳＤＵをＰＤＣＰ  ＰＤＵとしてカプセル化し、前記ＰＤＣＰ層エンティティを利用して前記第１のＲＬＣ層エンティティと前記第２のＲＬＣ層エンティティに前記ＰＤＣＰ  ＰＤＵを送信するように構成される。
【０１１６】
この例において、前記処理ユニット６０２は、前記第１のＲＬＣ層エンティティと前記第２のＲＬＣ層エンティティに前記ＰＤＣＰ  ＰＤＵを送信した後、前記ＰＤＣＰ層エンティティのデータコピー伝送機能がオフされたことを検出する場合、前記ＰＤＣＰ層エンティティを利用して前記第１のＲＬＣ層エンティティにプリセット指示を送信し、前記第１のＲＬＣ層エンティティを利用して前記プリセット指示を受信し、前記プリセット指示に基づいて前記ＰＤＣＰ  ＰＤＵに対応する前記第１のＲＬＣ層エンティティ内の第２のＲＬＣ  ＳＤＵを削除するように構成され、前記第２のＲＬＣ  ＳＤＵは、前記第１のＲＬＣ層エンティティにより第２のＲＬＣ  ＰＤＵとしてカプセル化されない。
【０１１７】
処理ユニット６０２がプロセッサ、通信ユニット６０３が通信インターフェース、記憶ユニット６０１がメモリである場合、本発明の実施例に係る端末は、図４Ａ又は図５Ａの端末であってもよい。
【０１１８】
集積ユニットを用いた場合、図７は、上記実施例に係るネットワーク側デバイスの機能的な構成を示すブロック図である。ネットワーク側デバイス７００は、処理ユニット７０２と、通信ユニット７０３とを備える。処理ユニット７０２は、ネットワーク側デバイスの動作を制御管理するために使用され、例えば、処理ユニット７０２は、ネットワーク側デバイスが図２Ａのステップ２Ａ０３、図２Ｃのステップ２ｂ０６、図３のステップ３０４、及び/又は本明細書に記載の技術のための他のプロセスを実行することをサポートするために使用される。通信ユニット７０３は、ネットワーク側デバイスが他の装置、例えば図４(Ａ)や図５(Ａ)に示す端末との間で通信を行う際に、その通信を支援するものである。また、ネットワーク側デバイスは、ネットワーク側デバイスのプログラムコード及びデータを記憶する記憶ユニット７０１を有していてもよい。
【０１１９】
ここで、処理ユニット７０２は、プロセッサ又はコントローラであってよく、例えば、中央処理装置( Ｃｅｎｔｒａｌ Ｐｒｏｃｅｓｓｉｎｇ Ｕｎｉｔ：ＣＰＵ )、汎用プロセッサ、デジタル信号プロセッサ( Ｄｉｇｉｔａｌ Ｓｉｇｎａｌ Ｐｒｏｃｅｓｓｏｒ：ＤＳＰ )、特定用途向け集積回路( Ａｐｐｌｉｃａｔｉｏｎ−Ｓｐｅｃｉｆｉｃ Ｉｎｔｅｇｒａｔｅｄ Ｃｉｒｃｕｉｔ：ＡＳＩＣ )、フィールドプログラマブルゲートアレイ( Ｆｉｅｌｄ Ｐｒｏｇｒａｍｍａｂｌｅ Ｇａｔｅ Ａｒｒａｙ：ＦＰＧＡ )、又は他のプログラマブル論理デバイス、トランジスタロジックデバイス、ハードウェアコンポーネント、又はこれらの任意の組み合わせであってよい。本開示に関連して説明された様々な例示的な論理ブロック、モジュール、および回路を実装または実行することができる。プロセッサはまた、例えば、１つ以上のマイクロプロセッサの組み合わせ、ＤＳＰとマイクロプロセッサの組み合わせなどを含む、計算機能を実装する組み合わせであってもよい。通信ユニット７０３は、送受信機、送受信回路、無線チップ等であり、記憶ユニット７０１は、メモリ等である。
【０１２０】
ここで、前記処理ユニット７０２が前記通信ユニット７０３を介して端末のＭＡＣ  ＰＤＵを取得し、前記ＭＡＣ  ＰＤＵは、第１のＲＬＣ層エンティティとＭＡＣ層エンティティとが第１のＰＤＣＰ  ＰＤＵを処理したものであり、前記第１のＰＤＣＰ  ＰＤＵは、前記端末がＰＤＣＰ層エンティティのデータコピー伝送機能がアクティブ化されたことを検出する場合、前記第１のＲＬＣ層エンティティを有効化させ、前記ＰＤＣＰ層エンティティを利用して確定した第１のＰＤＣＰ  ＳＤＵに関連する前記第１のＰＤＣＰ  ＰＤＵであって、前記第１のＲＬＣ層エンティティに送信した前記第１のＰＤＣＰ  ＰＤＵであり、前記第２のＲＬＣ層エンティティが有効化させた状態にある。
【０１２１】
又は、
ここで、前記処理ユニット７０２は、前記通信ユニット７０３を介して端末のＭＡＣ  ＰＤＵを取得し、前記ＭＡＣ  ＰＤＵは、第１のＲＬＣ層エンティティとＭＡＣ層エンティティが第１のＲＬＣ  ＳＤＵを処理したものであり、前記第１のＲＬＣ  ＳＤＵは、前記端末がＰＤＣＰ層エンティティのデータコピー伝送機能がアクティブ化されたことを検出した場合、前記第１のＲＬＣ層エンティティを有効化させ、前記第１のＲＬＣ層エンティティを利用して第２のＲＬＣ層エンティティから受信した前記第１のＲＬＣ  ＳＤＵであり、前記第２のＲＬＣ層エンティティが有効化させた状態にある。
【０１２２】
処理ユニット７０２がプロセッサ、通信ユニット７０３が送受信機、記憶ユニット７０１がメモリである場合、本発明の実施例に係るネットワーク側デバイスは、図４Ｂ又は図５Ｂに示すネットワーク側デバイスであってもよい。
【０１２３】
本発明の実施例は、端末を提供し、図８に示すように、説明の便宜上、本発明の実施例に関連する部分のみを示し、具体的な技術の詳細は開示されていないが、本発明の実施例の方法の部分を参照されたい。この端末は、携帯電話、タブレット、ＰＤＡ ( Ｐｅｒｓｏｎａｌ Ｄｉｇｉｔａｌ Ａｓｓｉｓｔａｎｔ、携帯情報端末)、ＰＯＳ ( Ｐｏｉｎｔ ｏｆ Ｓａｌｅｓ、販売端末)、車載コンピュータなどを含む任意の端末機器であってよく、端末は、携帯電話を例とする。
【０１２４】
図８は、本発明の実施例に係る端末に係る携帯電話機の一部の構成を示すブロック図である。図８を参照すると、携帯電話機は、無線周波数( Ｒａｄｉｏ Ｆｒｅｑｕｅｎｃｙ：ＲＦ )回路９１０、メモリ９２０、入力ユニット９３０、表示ユニット９４０、センサ９５０、オーディオ回路９６０、ＷｉＦｉモジュール９７０、プロセッサ９８０、電源９９０などを備える。図８に示される携帯電話の構造は、携帯電話を限定するものではなく、図示されるよりも多いか少ない構成要素を含んでもよく、特定の構成要素を組み合わせたり、異なる構成要素を配置してもよいことは、当業者には理解されるであろう。
【０１２５】
以下、図８を参照して携帯電話機の各構成部材について具体的に説明する。
【０１２６】
ＲＦ回路９１０は、情報の受信および送信に使用され得る。一般に、ＲＦ回路９１０は、アンテナ、少なくとも１つの増幅器、送受信機、結合器、低雑音増幅器( Ｌｏｗ Ｎｏｉｓｅ Ａｍｐｌｉｆｉｅｒ：ＬＮＡ )、デュプレクサなどを含むが、これらに限定されない。さらに、ＲＦ回路９１０は、無線通信を介してネットワークおよび他のデバイスと通信することもできる。上記のワイヤレス通信は、限定されないが、全地球移動通信システム( Ｇｌｏｂａｌ Ｓｙｓｔｅｍ ｏｆ Ｍｏｂｉｌｅ ｃｏｍｍｕｎｉｃａｔｉｏｎ：ＧＳＭ )、ユニバーサルパケット無線サービス( Ｇｅｎｅｒａｌ Ｐａｃｋｅｔ Ｒａｄｉｏ Ｓｅｒｖｉｃｅ：ＧＰＲＳ )、符号分割多元接続( Ｃｏｄｅ Ｄｉｖｉｓｉｏｎ Ｍｕｌｔｉｐｌｅ Ａｃｃｅｓｓ：ＣＤＭＡ )、ブロードバンド符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ：ＷＣＤＭＡ )、ロングタームエボリューション( Ｌｏｎｇ Ｔｅｒｍ Ｅｖｏｌｕｔｉｏｎ：ＬＴＥ )、電子メール、ショートメッセージサービス( Ｓｈｏｒｔ Ｍｅｓｓａｇｉｎｇ Ｓｅｒｖｉｃｅ：ＳＭＳ )などを含む、任意の通信標準またはプロトコルを使用し得る。
【０１２７】
メモリ９２０は、ソフトウェアプログラム及びモジュールを格納するために使用されてもよく、プロセッサ９８０は、メモリ９２０に格納されたソフトウェアプログラム及びモジュールを実行することによって、携帯電話の様々な機能アプリケーション及びデータ処理を実行する。メモリ９２０は、オペレーティングシステム、少なくとも１つの機能に必要なアプリケーションなどを格納することができるプログラム格納領域と、データ格納領域とを主に含んでもよい。記憶データ領域には、携帯電話機の使用に応じて作成されたデータ等が記憶される。さらに、メモリ９２０は、高速ランダムアクセスメモリを含んでもよく、少なくとも１つの磁気ディスク記憶装置、フラッシュメモリデバイス、または他の揮発性固体記憶デバイスなどの不揮発性メモリを含んでもよい。
【０１２８】
入力ユニット９３０は、数字又は文字情報の入力を受信し、携帯電話機の使用者の設定及び機能制御に関するキー信号入力を生成するために使用される。具体的には、入力ユニット９３０は、指紋認識モジュール９３１及び他の入力装置９３２を含む。指紋認識モジュール９３１は、ユーザが存在する指紋データを取得することができる。入力ユニット９３０は、指紋認識モジュール９３１に加えて、他の入力装置９３２を含んでもよい。具体的には、他の入力装置９３２は、タッチスクリーン、物理的なキーボード、機能キー(例えば、音量調節キー、スイッチキーなど)、トラックボール、マウス、ジョイスティックなどのうちの１つ以上を含み得るが、これらに限定されない。
【０１２９】
表示ユニット９４０は、ユーザが入力した情報、またはユーザに提供された情報を表示するために使用され、携帯電話機の様々なメニューを表示するために使用される。表示ユニット９４０は、表示画面９４１を含んでもよく、任意選択的に、液晶ディスプレイ( Ｌｉｑｕｉｄ Ｃｒｙｓｔａｌ Ｄｉｓｐｌａｙ：ＬＣＤ )、有機発光ダイオード( Ｏｒｇａｎｉｃ Ｌｉｇｈｔ−Ｅｍｉｔｔｉｎｇ Ｄｉｏｄｅ：ＯＬＥＤ )などの形態で構成されてもよい。図８では、指紋認識モジュール９３１と表示画面９４１は、２つの独立した部品として携帯電話の入力及び入力機能を実現するが、いくつかの実施例において、指紋認識モジュール９３１と表示画面９４１を統合して携帯電話の入力及び再生機能を実現することができる。
【０１３０】
携帯電話は、光センサ、モーションセンサ、及び他のセンサなどの少なくとも１つのセンサ９５０を更に含むことができる。具体的には、光センサは、周辺光センサ及び近接センサを含み、周辺光センサは、周辺光の明暗に応じて表示画面９４１の輝度を調節し、近接センサは、携帯電話が耳に移動したときに表示画面９４１及び/又はバックライトをオフにすることができる。モーションセンサの一種として、加速度計センサは、様々な方向(一般的には３軸)の加速度の大きさを検出し、静止時は重力の大きさ及び方向を検出し、携帯電話機の姿勢を認識するアプリケーション(例えば、縦横画面切替、関連ゲーム、磁力計の姿勢較正)、振動認識関連機能(例えば、歩数計、ストローク)等に用いることができる。携帯電話に配置可能なジャイロスコープ、気圧計、湿度計、温度計、赤外線センサ等の他のセンサについては説明を省略する。
【０１３１】
オーディオ回路９６０、スピーカ９６１、マイク９６２は、ユーザと携帯電話との間のオーディオインターフェースを提供し得る。オーディオ回路９６０は、受信されたオーディオデータを変換した電気信号をスピーカ９６１に伝送し、スピーカ９６１で音声信号に変換して再生する。一方、マイク９６２は、集音した音声信号を電気信号に変換し、オーディオ回路９６０で受信して音声データに変換し、音声データ再生処理ユニット９８０で処理した後、ＲＦ回路９１０を介して他の携帯電話機等に送信したり、メモリ９２０に再生して処理する。
【０１３２】
ＷｉＦｉは、近距離無線送信技術に属し、ＷｉＦｉモジュール９７０を通じて、携帯電話は、ユーザが無線ブロードバンドインターネットアクセスを提供する電子メールの送受信、ウェブページの閲覧、ストリーミングメディアへのアクセスなどを支援し得る。図８はＷｉＦｉモジュール９７０を示しているが、携帯電話の必須構成ではなく、必要に応じて発明の本質を変更しない範囲で完全に省略できることは理解される。
【０１３３】
プロセッサ９８０は、携帯電話機の制御センターであり、各種のインターフェース及び回線を用いて携帯電話機全体の各部を接続し、メモリ９２０に格納されたソフトウェアプログラム及び/又はモジュールを実行又は実行し、メモリ９２０に格納されたデータを呼び出して携帯電話機の各種機能及び処理データを実行することにより、携帯電話機全体の監視を行う。任意選択で、プロセッサ９８０は、１つまたは複数の処理ユニットを備えてもよく、好ましくは、プロセッサ９８０は、オペレーティングシステム、ユーザインターフェース、およびアプリケーションなどを主に処理するアプリケーションプロセッサと、ワイヤレス通信を主に処理するモデムプロセッサとを統合することができる。プロセッサ９８０に上記モデムプロセッサが統合されなくてもよいことが理解される。
【０１３４】
携帯電話は、好ましくは、電源管理システムを介してプロセッサ９８０に論理的に接続され得る様々な構成要素に電力を供給するための電池のような電源９９０をさらに含み、これにより、充電、放電、および電力消費の管理などを電源管理システムを介して管理する機能が実現される。
【０１３５】
図示されていないが、携帯電話は、カメラ、ブルートゥースモジュールなどをさらに含むことができ、ここではその説明を省略する。
【０１３６】
前述の図２Ａ、図２Ｃ-図３に示される実施例において、各ステップ方法における端末側のフローは、当該携帯電話機の構成に基づいて実現されてもよい。
【０１３７】
前記４Ａ、図５Ａに示した実施例において、各手段の機能は、この携帯電話機の構成に基づいて実現することができる。
【０１３８】
本願の実施例は、コンピューター読み取り可能な記憶媒体を提供し、電子データ交換のためのコンピュータープログラムが記憶され、ここで、前記コンピュータープログラムによりコンピューターが上記の方法実施例の端末に記載の全部又は一部のステップを実行する。
【０１３９】
本願の実施例は、コンピューター読み取り可能な記憶媒体を提供し、電子データ交換のためのコンピュータープログラムが記憶され、ここで、前記コンピュータープログラムによりコンピューターが上記の方法実施例のネットワーク側デバイスに記載の全部又は一部のステップを実行する。
【０１４０】
本願の実施例は、上記の方法実施例のユーザーデバイスに記載の方法をコンピュータに実行させるように動作可能なコンピュータプログラムを記憶した非一時的コンピュータ可読記憶媒体を備えるコンピュータプログラム製品を提供し、前記コンピュータープログラムによりコンピューターが上記の方法実施例の端末に記載の全部又は一部のステップを実行する。当該コンピュータープログラム製品は、１つのソフトウェアインストールパッケージであってもよい。
【０１４１】
本願の実施例は、上記の方法実施例のユーザーデバイスに記載の方法をコンピュータに実行させるように動作可能なコンピュータプログラムを記憶した非一時的コンピュータ可読記憶媒体を備えるコンピュータプログラム製品を提供し、前記コンピュータープログラムによりコンピューターが上記の方法実施例のネットワーク側デバイスに記載の全部又は一部のステップを実行する。当該コンピュータープログラム製品は、１つのソフトウェアインストールパッケージであってもよい。
【０１４２】
本出願の実施例に記載された方法またはアルゴリズムのステップは、ハードウェアで実現されてもよく、プロセッサがソフトウェア命令を実行する方式で実現されてもよい。ソフトウェア命令は、ランダムアクセスメモリ( Ｒａｎｄｏｍ Ａｃｃｅｓｓ Ｍｅｍｏｒｙ：ＲＡＭ )、フラッシュメモリ、リードオンリーメモリ( Ｒｅａｄ Ｏｎｌｙ Ｍｅｍｏｒｙ：ＲＯＭ )、消去可能プログラマブルリードオンリーメモリ( Ｅｒａｓａｂｌｅ Ｐｒｏｇｒａｍｍａｂｌｅ ＲＯＭ：ＥＰＲＯＭ )、電気的消去可能プログラマブルリードオンリーメモリ( Ｅｌｅｃｔｒｉｃａｌｌｙ ＥＰＲＯＭ：ＥＥＰＲＯＭ )、レジスタ、ハードディスク、モバイルハードディスク、リードオンリーディスク( ＣＤ−ＲＯＭ )、または当技術分野で周知の任意の他の形態の記憶媒体に格納され得る、対応するソフトウェアモジュールから構成され得る。例示的な記憶媒体は、プロセッサが記憶媒体から情報を読み取り、記憶媒体に情報を書き込むことを可能にするように、プロセッサに結合される。もちろん、記憶媒体はプロセッサの一部であってもよい。プロセッサおよび記憶媒体は、ＡＳＩＣ内に配置され得る。また、ＡＳＩＣは、アクセスネットワークデバイス、ターゲットネットワークデバイス、またはコアネットワークデバイス内に配置され得る。もちろん、プロセッサおよび記憶媒体は、アクセスネットワークデバイス、ターゲットネットワークデバイス、またはコアネットワークデバイス内に個別構成要素として存在してもよい。
【０１４３】
当業者は、上述の１つ以上の例において、本願の実施例に記載される機能が、ソフトウェア、ハードウェア、ファームウェア、またはそれらの任意の組合せによって、全体的にまたは部分的に実装され得ることを認識するであろう。ソフトウェアで実装する場合、全体的に又は部分的にコンピュータプログラム製品の形態で実装することができる。コンピュータプログラム製品は、１つ以上のコンピュータ命令を含む。コンピュータプログラム命令は、コンピュータ上でロードされ実行されると、本願の実施例にしたがったフローまたは機能を全体的にまたは部分的に生成する。コンピュータは、汎用コンピュータ、専用コンピュータ、コンピュータネットワーク、又は他のプログラム可能な装置であってもよい。コンピュータ命令は、コンピュータ可読記憶媒体に記憶されてもよく、または、例えば、１つのウェブサイト、コンピュータ、サーバ、またはデータセンターから、別のウェブサイト、コンピュータ、サーバ、またはデータセンターへ、有線(例えば、同軸ケーブル、光ファイバ、デジタル加入者線( Ｄｉｇｉｔａｌ Ｓｕｂｓｃｒｉｂｅｒ Ｌｉｎｅ：ＤＳＬ ) )、または無線(例えば、赤外線、無線、マイクロ波など)手段によって送信されてもよい。コンピュータ可読記憶媒体は、コンピュータによってアクセス可能な任意の利用可能な媒体、または１つ以上の利用可能な媒体と一体化されたサーバ、データセンターなどを含むデータ記憶デバイスであり得る。利用可能な媒体は、磁気媒体(例えば、フロッピーディスク、ハードディスク、磁気テープ)、光学媒体(例えば、デジタルビデオディスク( Ｄｉｇｉｔａｌ Ｖｉｄｅｏ Ｄｉｓｃ：ＤＶＤ ) )、又は半導体媒体(例えば、ソリッドステートドライブ( ＳＳＤ ) )などであってもよい。
【０１４４】
本発明の実施例の目的、技術的解決策、および効果を、上記の具体的な実施例についてさらに詳細に説明したが、上記の説明は、本発明の実施例の具体的な実施例にすぎず、本発明の実施例の保護範囲を制限するものではなく、本発明の実施例の技術的解決策に基づいて、本発明の実施例の保護範囲内に含まれるあらゆる修正、均等物、および改良がなされるべきであることが理解される。
【図１】
2020532154.tif 000003
【図２Ａ】
2020532154.tif 000004
【図２Ｂ】
2020532154.tif 000005
【図２Ｃ】
2020532154.tif 000006
【図２Ｄ】
2020532154.tif 000007
【図３】
2020532154.tif 000008
【図４Ａ】
2020532154.tif 000009
【図４Ｂ】
2020532154.tif 000010
【図５Ａ】
2020532154.tif 000011
【図５Ｂ】
2020532154.tif 000012
【図６】
2020532154.tif 000013
【図７】
2020532154.tif 000014
【図８】
2020532154.tif 000015
【手続補正書】
【提出日】令和2年6月29日(2020.6.29)
【手続補正１】
【補正対象書類名】明細書
【補正対象項目名】全文
【補正方法】変更
【補正の内容】
【発明の詳細な説明】
【技術分野】
【０００１】
本発明は、通信技術分野に関し、特に、データ伝送方法及び関連製品に関する。
【背景技術】
【０００２】
ロングタームエボリューション( Ｌｏｎｇ Ｔｅｒｍ Ｅｖｏｌｕｔｉｏｎ：ＬＴＥ )ネットワークなどの第４世代( ４ｔｈ Ｇｅｎｅｒａｔｉｏｎ：４Ｇ )移動通信ネットワークは、現在、広いカバレッジを実現している。４Ｇネットワークは、通信速度が速く、ネットワーク帯域が広く、通信に柔軟性がある等の特徴がある。しかし、モノのインターネット、車のネットワークのニーズが現れ、次世代移動通信ネットワーク、すなわち、第５世代( ５ｔｈ Ｇｅｎｅｒａｔｉｏｎ：５Ｇ )移動通信ネットワークに対するユーザのニーズは、例えば、１００メガバイト/毎秒( Ｍｂｐｓ )のユーザ体験速度、ホットスポット１ギガバイト/毎秒( Ｇｂｐｓ )のユーザ体験速度、１ミリ秒( ｍｓ )以内のエアインターフェース時間遅延、１００ ms以内のエンドツーエンド時間遅延、信頼性保障など、連続的な広域カバレッジが要求されるようになってきている。
【０００３】
通信システムのスペクトル効率及びユーザのデータスループットを更に改善するために、キャリアアグリゲーション( ｃａｒｒｉｅｒ ａｇｇｒｅｇａｔｉｏｎ：ＣＡ )技術がＬＴＥ−Ａ ( ＬＴＥ−ａｄｖａｎｃｅｄ、ロングタームエボリューション、後続のエボリューション)システムに導入される。キャリアアグリゲーションは、ユーザデバイス( Ｕｓｅｒ Ｅｑｕｉｐｍｅｎｔ：ＵＥ )が複数のメンバーキャリア( Ｃｏｍｐｏｎｅｎｔ Ｃａｒｒｉｅｒ：ＣＣ )を同時に用いて上下通信を行うことができ、それによって高速データ伝送を実現することができることを意味する。
【０００４】
現在、５Ｇ(ＮＲ：Ｎｅｗ Ｒａｄｉｏ )システムにおいて、キャリアアグリゲーション技術がデータコピー伝送( Ｄａｔａ Ｄｕｐｌｉｃａｔｉｏｎ)をサポートする方式では、パケットデータコンバージェンスプロトコル( Ｐａｃｋｅｔ Ｄａｔａ Ｃｏｎｖｅｒｇｅｎｃｅ Ｐｒｏｔｏｃｏｌ：ＰＤＣＰ )層エンティティのデータコピー機能を利用して、コピーされたＰＤＣＰプロトコルデータユニット( ＰＤＣＰ Ｐｒｏｔｏｃｏｌ Ｄａｔａ Ｕｎｉｔ：ＰＤＣＰ ＰＤＵ )を、２つの無線リンクコントロールプロトコル( Ｒａｄｉｏ Ｌｉｎｋ Ｃｏｎｔｒｏｌ：ＲＬＣ )層エンティティ(それぞれ異なる論理チャネルを有する)にそれぞれ送信し、最終的に、コピーされたＰＤＣＰ  ＰＤＵが異なる物理層アグリゲーションキャリア上でデータを送信できることを保証する。
【発明の概要】
【０００５】
本発明の実施例は、周波数ダイバーシチゲインが実現され、データ伝送の信頼性を向上させるデータ伝送方法及び関連製品を提供する。
【０００６】
第１の形態として、本発明の実施例は、データ伝送方法を提供し、端末に応用され、前記端末は、ＰＤＣＰ層エンティティ、第１のＲＬＣ層エンティティ、第２のＲＣＬ層エンティティ及びＭＡＣ層エンティティを含み、前記方法は、
前記ＰＤＣＰ層エンティティのデータコピー伝送機能がアクティブ化されたことを検出する場合、前記第１のＲＬＣ層エンティティを有効化させることと、
前記ＰＤＣＰ層エンティティを利用して第１のＰＤＣＰ  ＳＤＵに関連する第１のＰＤＣＰ  ＰＤＵを確定し、前記第１のＲＬＣ層エンティティに前記第１のＰＤＣＰ  ＰＤＵを送信することとを含み、
前記第２のＲＬＣ層エンティティが有効化させた状態にあり、
前記第１のＰＤＣＰ  ＰＤＵは、前記第１のＲＬＣ層エンティティと前記ＭＡＣ層エンティティとが第１のＰＤＣＰ  ＰＤＵをＭＡＣ  ＰＤＵとして処理して送信するために用いられる。
【０００７】
第２の形態、本発明の実施例は、データ伝送方法を提供し、
ネットワーク側デバイスが端末のＭＡＣ  ＰＤＵを取得することを含み、前記ＭＡＣ  ＰＤＵは、第１のＲＬＣ層エンティティとＭＡＣ層エンティティとが第１のＰＤＣＰ  ＰＤＵを処理したものであり、前記第１のＰＤＣＰ  ＰＤＵは、前記端末がＰＤＣＰ層エンティティのデータコピー伝送機能がアクティブ化されたことを検出する場合、前記第１のＲＬＣ層エンティティを有効化させ、前記ＰＤＣＰ層エンティティを利用して確定した第１のＰＤＣＰ  ＳＤＵに関連する前記第１のＰＤＣＰ  ＰＤＵであって、前記第１のＲＬＣ層エンティティに送信した前記第１のＰＤＣＰ  ＰＤＵであり、前記第２のＲＬＣ層エンティティを有効化させた状態にある。
【０００８】
第３の形態として、本発明の実施例は、データ伝送方法を提供し、端末に応用され、前記端末は、ＰＤＣＰ層エンティティ、第１のＲＬＣ層エンティティ、第２のＲＣＬ層エンティティ及びＭＡＣ層エンティティを含み、前記方法は、
前記ＰＤＣＰ層エンティティのデータコピー伝送機能がアクティブ化されたことを検出する場合、前記第１のＲＬＣ層エンティティを有効化させることと、
前記第１のＲＬＣ層エンティティを利用して前記第２のＲＬＣ層エンティティからの第１のＲＬＣ  ＳＤＵを受信することと、
前記第１のＲＬＣ層エンティティと前記ＭＡＣ層エンティティを利用して、前記第１のＲＬＣ  ＳＤＵをＭＡＣ  ＰＤＵとして処理し、前記ＭＡＣ  ＰＤＵを送信することとを含み、
前記第２のＲＬＣ層エンティティを有効化させた状態にある。
【０００９】
第４の形態として、本発明の実施例は、データ伝送方法を提供し、
ネットワーク側デバイスが端末のＭＡＣ  ＰＤＵを取得することを含み、前記ＭＡＣ  ＰＤＵは、第１のＲＬＣ層エンティティとＭＡＣ層エンティティが第１のＲＬＣ  ＳＤＵを処理したものであり、前記第１のＲＬＣ  ＳＤＵは、前記端末がＰＤＣＰ層エンティティのデータコピー伝送機能がアクティブ化されたことを検出した場合、前記第１のＲＬＣ層エンティティを有効化させ、前記第１のＲＬＣ層エンティティを利用して第２のＲＬＣ層エンティティから受信した前記第１のＲＬＣ  ＳＤＵであり、前記第２のＲＬＣ層エンティティを有効化させた状態にある。
【００１０】
第５の形態として、本発明の実施例は、上記構成の端末の動作を実現する機能を有する端末を提供する。これらの機能は、ハードウェアで実現してもよいし、対応するソフトウェアをハードウェアで実行することで実現してもよい。ハードウェア又はソフトウェアは、上述の機能に対応する１つ以上のモジュールを含む。
【００１１】
１つの可能な設計では、端末は、上記の方法のそれぞれの機能を実行するように端末をサポートするように構成されたプロセッサを含む。さらに、端末は、端末とネットワーク側デバイスとの間の通信をサポートするための送受信機をさらに含むことができる。さらに、端末は、端末に必要なプログラム命令およびデータを保持するプロセッサと結合するためのメモリをさらに含むことができる。
【００１２】
第６の形態として、本発明の実施例は、上記構成のネットワーク側デバイスの動作を実現する機能を有するネットワーク側デバイスを提供する。これらの機能は、ハードウェアで実現してもよいし、対応するソフトウェアをハードウェアで実行することで実現してもよい。ハードウェア又はソフトウェアは、上述の機能に対応する１つ以上のモジュールを含む。
【００１３】
１つの可能な設計では、ネットワーク側デバイスは、ネットワーク側デバイスが上述の方法の対応する機能を実行することをサポートするように構成されたプロセッサを含む。さらに、ネットワーク側デバイスは、ネットワーク側デバイスと端末との間の通信をサポートするための送受信機をさらに備えていてもよい。さらに、ネットワーク側デバイスは、ネットワーク側デバイスに必要なプログラム命令およびデータを保持するプロセッサと結合するためのメモリをさらに含むことができる。
【００１４】
第７の形態として、本発明の実施例は、プロセッサと、メモリと、通信インターフェースと、１つ以上のプログラムとを備える端末を提供し、１つ以上のプログラムは、メモリに記憶され、プロセッサによって実行されるように構成され、プログラムは、本発明の実施例の第１の形態のいずれかの方法および/または第３の形態のいずれかの方法におけるステップを実行するための命令を含む。
【００１５】
第８の形態として、本発明の実施例は、プロセッサと、メモリと、送受信機と、１つまたは複数のプログラムとを備えるネットワーク側デバイスを提供し、１つまたは複数のプログラムは、メモリに記憶され、プロセッサによって実行されるように構成され、プログラムは、本発明の実施例の第２の形態のいずれかの方法および/または第４の形態のいずれかの方法におけるステップを実行するための命令を含む。
【００１６】
第９の形態として、本発明の実施例は、電子データ交換のためのコンピュータプログラムを記憶するコンピュータ可読記憶媒体を提供し、コンピュータプログラムは、コンピュータに、本発明の第１の形態のいずれかの方法及び/又は第３の形態のいずれかの方法において説明されるステップの一部又は全部を実行させる。
【００１７】
第１０の形態として、本発明の実施例は、電子データ交換のためのコンピュータプログラムを記憶するコンピュータ可読記憶媒体を提供し、コンピュータプログラムは、コンピュータに本発明の第２の形態のいずれかの方法及び/又は第４の形態のいずれかの方法において説明されるステップの一部又は全部をコンピュータに実行させる。
【００１８】
第１１の形態として、本発明の実施例は、コンピュータプログラム製品を提供し、コンピュータプログラム製品は、コンピュータプログラムを記憶する非一時的コンピュータ可読記憶媒体を含み、コンピュータプログラムは、本発明の実施例の第１の形態のいずれかの方法及び/又は第３の形態のいずれかの方法において説明されるステップの一部又は全部をコンピュータに実行させるように動作可能である。また、前記コンピュータプログラムは、ソフトウェアのインストールパッケージであってもよい。
【００１９】
第１２の形態として、本発明の実施例は、コンピュータプログラム製品を提供し、コンピュータプログラム製品は、コンピュータプログラムを記憶する非一時的コンピュータ可読記憶媒体を含み、コンピュータプログラムは、本発明の実施例の第２の形態のいずれかの方法及び/又は第４の形態のいずれかの方法において説明されるステップの一部又は全部をコンピュータに実行させるように動作可能である。また、前記コンピュータプログラムは、ソフトウェアのインストールパッケージであってもよい。
【００２０】
このように、本発明の実施例において、まず、端末が前記ＰＤＣＰ層エンティティのデータコピー伝送機能がアクティブ化されたことを検出する場合、前記第１のＲＬＣ層エンティティを有効化させ、前記第２のＲＬＣ層エンティティが有効化させた状態にあり、次に、前記ＰＤＣＰ層エンティティを利用して第１のＰＤＣＰ  ＳＤＵに関連する第１のＰＤＣＰ  ＰＤＵを確定し、前記第１のＲＬＣ層エンティティに前記第１のＰＤＣＰ  ＰＤＵを送信し、前記第１のＰＤＣＰ  ＰＤＵは、前記第１のＲＬＣ層エンティティと前記ＭＡＣ層エンティティとが第１のＰＤＣＰ  ＰＤＵをＭＡＣ  ＰＤＵとして処理して送信するために用いられる。このように、ＰＤＣＰ層エンティティのデータコピー伝送機能がアクティブ化されると、ＰＤＣＰ層エンティティによって、コピー伝送を必要とする第１のＰＤＣＰ  ＳＤＵに関連する第１のＰＤＣＰ  ＰＤＵが決定されて第１のＲＬＣ層エンティティに送信され、第２のＲＬＣ層エンティティがパケットを送信する際に、第１のＲＬＣ層エンティティの同じパケットの送信が実現され、これにより、第１のＰＤＣＰ  ＳＤＵのコピー伝送が実現され、第１のＰＤＣＰ  ＳＤＵが２つの論理チャネル上で送信されることが可能になり、データ伝送の周波数ダイバーシティゲインの実現が容易になり、データ送信の信頼性が向上する。
【図面の簡単な説明】
【００２１】
以下、本発明の実施例について図面を参照して説明する。
【図１】本発明の実施例における通信システムのネットワークアーキテクチャである。
【図２Ａ】本発明の実施例におけるデータ伝送方法のフローチャートである。
【図２Ｂ】本発明の実施例におけるデータ伝送プロトコルの構成の模式図である。
【図２Ｃ】本発明の実施例における５Ｇ  ＮＲシーンのデータ伝送方法のフローチャートである。
【図２Ｄ】本発明の実施例における５Ｇ  ＮＲシーンのデータ伝送方法のフローチャートである。
【図３】本発明の実施例におけるデータ伝送方法のフローチャートである。
【図４Ａ】本発明の実施例における端末の構成の模式図である。
【図４Ｂ】本発明の実施例におけるネットワーク側デバイスの構成の模式図である。
【図５Ａ】本発明の実施例における端末の構成の模式図である。
【図５Ｂ】本発明の実施例におけるネットワーク側デバイスの構成の模式図である。
【図６】本発明の実施例における端末の機能ユニット構成のブロック図である。
【図７】本発明の実施例におけるネットワーク側デバイス機能ユニット構成のブロック図である。
【図８】本発明の実施例における他の端末の構成の模式図である。
【発明を実施するための形態】
【００２２】
以下、本発明の実施例について図面を参照して説明する。
【００２３】
図１を参照すると、図１は、本発明の実施例による通信システムの一例の可能なネットワークアーキテクチャである。この例示的な通信システムは、例えば、グローバルシステム移動通信システム( Ｇｌｏｂａｌ Ｓｙｓｔｅｍ ｆｏｒ Ｍｏｂｉｌｅ ｃｏｍｍｕｎｉｃａｔｉｏｎｓ：ＧＳＭ)、符号分割多元接続( Ｃｏｄｅ Ｄｉｖｉｓｉｏｎ Ｍｕｌｔｉｐｌｅ Ａｃｃｅｓｓ：ＣＤＭＡ )システム、時分割多元接続( Ｔｉｍｅ Ｄｉｖｉｓｉｏｎ Ｍｕｌｔｉｐｌｅ Ａｃｃｅｓｓ：ＴＤＭＡ )システム、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ Ｗｉｒｅｌｅｓｓ：ＷＣＤＭＡ)、周波数分割多元接続( Ｆｒｅｑｕｅｎｃｙ Ｄｉｖｉｓｉｏｎ Ｍｕｌｔｉｐｌｅ Ａｄｄｒｅｓｓｉｎｇ：ＦＤＭＡ )システム、直交周波数分割多元接続( Ｏｒｔｈｏｇｏｎａｌ Ｆｒｅｑｕｅｎｃｙ−Ｄｉｖｉｓｉｏｎ Ｍｕｌｔｉｐｌｅ Ａｃｃｅｓｓ：ＯＦＤＭＡ )システム、シングルキャリアＦＤＭＡ ( ＳＣ−ＦＤＭＡ )システム、ユニバーサルパケット無線サービス( Ｇｅｎｅｒａｌ Ｐａｃｋｅｔ Ｒａｄｉｏ Ｓｅｒｖｉｃｅ：ＧＰＲＳ )システム、ＬＴＥシステム、５Ｇ/ＮＲシステム、及び他のそのような通信システムであり得る。この通信システムは、具体的には、ネットワーク側デバイスと、ネットワーク側デバイスが提供する移動体通信網にアクセスする端末とを備え、端末とネットワーク側デバイスとの間を無線リンク通信により接続し、この通信接続方式は、シングル接続方式又はデュアル接続方式又はマルチ接続方式であってもよく、通信接続方式がシングル接続方式である場合には、ネットワーク側デバイスは、ＬＴＥ基地局またはＮＲ基地局( ｇＮＢ基地局とも呼ばれる)であってよく、通信方式がデュアルコネクティビティである場合(特に、キャリアアグリゲーションＣＡ技術によって実装され得るか、または複数のネットワーク側デバイスによって実装され得る)、端末が複数のネットワーク側機器を接続する場合、複数のネットワーク側デバイスは、バックホールリンクを用いて基地局間でデータの再送を行うプライマリ基地局と、ＬＴＥ基地局と、セカンダリ基地局と、を有し、また、プライマリ基地局がＮＲ基地局、セカンダリ基地局がＬＴＥ基地局であってもよいし、プライマリ基地局がNR基地局、セカンダリ基地局がＮＲ基地局であってもよい。
【００２４】
本発明の実施例において、「ネットワーク」と「システム」は、交互に使用され、当業者はその意味を理解することができる。本発明の実施例に係る端末は、無線モデムに接続される様々なハンドヘルド装置、車載装置、ウェアラブル装置、コンピューティング装置、又は他の処理装置、並びに様々な形態のユーザ装置( Ｕｓｅｒ Ｅｑｕｉｐｍｅｎｔ：ＵＥ )、移動局( Ｍｏｂｉｌｅ Ｓｔａｔｉｏｎ：ＭＳ )、端末装置( ｔｅｒｍｉｎａｌ ｄｅｖｉｃｅ )等を含み得る。なお、説明の便宜上、上記の装置を総称して端末と呼ぶ。
【００２５】
図２Ａを参照し、図２Ａは本発明の実施例におけるデータ伝送方法であり、端末に応用され、前記端末は、ＰＤＣＰ層エンティティ、第１のＲＬＣ層エンティティ、第２のＲＣＬ層エンティティ及びＭＡＣ層エンティティを含み、当該方法は、以下のステップを含む。
【００２６】
２ａ０１において、端末が前記ＰＤＣＰ層エンティティのデータコピー伝送機能がアクティブ化されたことを検出する場合、前記第１のＲＬＣ層エンティティを有効化させ、前記第２のＲＬＣ層エンティティが有効化させた状態にある。
【００２７】
ここで、前記ＰＤＣＰ層エンティティのデータコピー伝送機能がアクティブ化の状態又はオフ状態にある場合、前記第２のＲＬＣ層エンティティが常に有効化された状態にある。
【００２８】
ここで、前記ＰＤＣＰ層エンティティのデータコピー伝送機能がアクティブ化される場合、前記第１のＲＬＣ層エンティティを有効化させ、前記ＰＤＣＰ層エンティティのデータコピー伝送機能がオフされる場合、前記第１のＲＬＣ層エンティティを無効化させる。
【００２９】
ここで、前記ＰＤＣＰ層エンティティのデータコピー伝送機能は、図２Ｂに示すように、ＰＤＣＰ層エンティティのデータコピー伝送機能がオフ状態にある場合、前記ＰＤＣＰ層エンティティが前記第１のＰＤＣＰ  ＳＤＵを受信すると、前記第１のＰＤＣＰ  ＳＤＵをＰＤＣＰ  ＰＤＵとしてカプセル化し、前記第２のＲＬＣ層エンティティに送信し、前記第２のＲＬＣ層エンティティがＲＬＣ  ＰＤＵとしてカプセル化して処理し、ＭＡＣ層エンティティに伝送するが、前記ＰＤＣＰ層エンティティのデータコピー伝送機能がアクティブ化される場合、前記ＰＤＣＰ層エンティティは前記第１のＰＤＣＰ  ＳＤＵをＰＤＣＰ  ＰＤＵ及びバックアップであるＰＤＣＰ  ＰＤＵ（即ち第１のＰＤＣＰ  ＰＤＵ）との２つの同じＰＤＣＰ  ＰＤＵとしてカプセル化して処理し、前記ＰＤＣＰ層エンティティは、前記ＰＤＣＰ  ＰＤＵと前記第１のＰＤＣＰ  ＰＤＵを前記第１のＲＬＣ層エンティティと前記第２のＲＬＣ層エンティティとにそれぞれ伝送する。
【００３０】
ここで、データ伝送過程で経由する各層エンティティのＳＤＵは、上層エンティティが送信するＰＤＵに対応し、各層エンティティのＰＤＵは、下層エンティティのＳＤＵに対応する。
【００３１】
２ａ０２において、前記端末が前記ＰＤＣＰ層エンティティを利用して第１のＰＤＣＰ  ＳＤＵに関連する第１のＰＤＣＰ  ＰＤＵを確定し、前記第１のＲＬＣ層エンティティに前記第１のＰＤＣＰ  ＰＤＵを送信し、前記第１のＰＤＣＰ  ＰＤＵは、前記第１のＲＬＣ層エンティティと前記ＭＡＣ層エンティティとが第１のＰＤＣＰ  ＰＤＵをＭＡＣ  ＰＤＵとして処理して送信するために用いられる。
【００３２】
ここで、前記第１のＰＤＣＰ  ＳＤＵは、前記第２のＲＬＣ層エンティティが現在伝送するＲＬＣ  ＳＤＵに対応するＰＤＣＰ  ＳＤＵである。
【００３３】
ここで、前記第１のＰＤＣＰ  ＰＤＵは、前記第１のＲＬＣ層エンティティが前記第１のＰＤＣＰ  ＰＤＵを第１のＲＬＣ  ＰＤＵとしてカプセル化し、前記ＭＡＣ層エンティティに前記第１のＲＬＣ  ＰＤＵを送信するために用いられ、前記第１のＲＬＣ  ＰＤＵは、前記ＭＡＣ層エンティティが前記第１のＲＬＣ  ＰＤＵを前記ＭＡＣ  ＰＤＵとしてカプセル化し、前記ＭＡＣ  ＰＤＵを送信するために用いられる。
【００３４】
ここで、前記ＭＡＣ  ＰＤＵを送信することは、図２Ｂに示すように、端末が前記ＭＡＣ層エンティティを利用して、前記ＭＡＣ  ＰＤＵを第１の物理キャリアで物理ＰＨＹ層エンティティに送信し、前記ＭＡＣ  ＰＤＵがＰＨＹ層エンティティでの圧縮やカプセル化等の操作によりＰＨＹ  ＰＤＵを取得し、ＰＨＹ層エンティティによりネットワーク側デバイスに送信することを含む。
【００３５】
ここで、前記端末が前記ＰＤＣＰ層エンティティを利用して前記第１のＰＤＣＰ  ＳＤＵをカプセル化により複数のＰＤＣＰ  ＰＤＵとして処理し、ここで、現在伝送するＰＤＣＰ  ＰＤＵは、前記第１のＰＤＣＰ  ＳＤＵに関連する前記複数のＰＤＣＰ  ＰＤＵ内の第１のＰＤＣＰ  ＰＤＵである。
【００３６】
ここで、端末がＰＤＣＰ層エンティティのデータコピー伝送機能がオフ状態からアクティブ化されるに変更したことが検出された場合、前記第２のＲＬＣ層エンティティの現在伝送する前記ＲＬＣ  ＰＤＵが第１のＲＬＣ層エンティティで再伝送される必要があるため、ＰＤＣＰ層エンティティが第１のＰＤＣＰ  ＳＤＵに関する第１のＰＤＣＰ  ＰＤＵを確定し、前記第１のＲＬＣ層エンティティに送信して伝送する必要があり、前記第１のＰＤＣＰ  ＳＤＵは、前記第２のＲＬＣ層エンティティの現在伝送するＲＬＣ  ＳＤＵに対応するＰＤＣＰ  ＳＤＵである。
【００３７】
２ａ０３において、ネットワーク側デバイスが前記ＭＡＣ  ＰＤＵを取得する。
【００３８】
ここで、前記ネットワーク側デバイスが前記ＭＡＣ  ＰＤＵを取得することは、ネットワーク側デバイスが端末からの前記ＰＨＹ  ＰＤＵを受信し、ＰＨＹ層エンティティの復調、デカプセル化等の処理により前記ＭＡＣ  ＰＤＵを取得する。
【００３９】
このように、本発明の実施例において、まず、端末が前記ＰＤＣＰ層エンティティのデータコピー伝送機能がアクティブ化されたことを検出する場合、前記第１のＲＬＣ層エンティティを有効化させ、前記第２のＲＬＣ層エンティティが有効化させた状態にあり、次に、前記ＰＤＣＰ層エンティティを利用して第１のＰＤＣＰ  ＳＤＵに関連する第１のＰＤＣＰ  ＰＤＵを確定し、前記第１のＲＬＣ層エンティティに前記第１のＰＤＣＰ  ＰＤＵを送信し、前記第１のＰＤＣＰ  ＰＤＵは、前記第１のＲＬＣ層エンティティと前記ＭＡＣ層エンティティとが第１のＰＤＣＰ  ＰＤＵをＭＡＣ  ＰＤＵとして処理して送信するために用いられる。このように、ＰＤＣＰ層エンティティのデータコピー伝送機能がアクティブ化されると、ＰＤＣＰ層エンティティによって、コピー送信を必要とする第１のＰＤＣＰ  ＳＤＵに関連する第１のＰＤＣＰ  ＰＤＵが決定されて第１のＲＬＣ層エンティティに送信され、第２のＲＬＣ層エンティティがパケットを送信する際に、第１のＲＬＣ層エンティティの同じパケットの送信が実現され、これにより、第１のＰＤＣＰ  ＳＤＵのコピー伝送が実現され、第１のＰＤＣＰ  ＳＤＵが２つの論理チャネル上で送信されることが可能になり、データ伝送の周波数ダイバーシティゲインの実現が容易になり、データ送信の信頼性が向上する。
【００４０】
一例として、前記ＰＤＣＰ層エンティティを利用して第１のＰＤＣＰ  ＳＤＵに関連する第１のＰＤＣＰ  ＰＤＵを確定することは、
前記ＰＤＣＰ層エンティティが所定の条件を満たしていると検出した場合、前記ＰＤＣＰ層エンティティを利用して、予め記憶されたＰＤＣＰ  ＰＤＵのバックアップを前記第１のＰＤＣＰ  ＳＤＵに関連する前記第１のＰＤＣＰ  ＰＤＵとして確定することを含む。
【００４１】
ここで、前記所定の条件は、前記ＰＤＣＰ層エンティティ内のタイマＤｉｓｃａｒｄ  Ｔｉｍｅｒがタイムアウトしないこと、前記ＰＤＣＰ層エンティティの状態レポートＳｔａｔｕｓ  Ｒｅｐｏｒｔが前記第１のＰＤＣＰ  ＰＤＵの削除を示さないこと、前記ＰＤＣＰ層エンティティが前記第２のＲＬＣ層エンティティにより送信された前記第１のＰＤＣＰ  ＰＤＵの削除指示を受信しないことのうちの少なくとも１つを含む。
【００４２】
ここで、前記ＰＤＣＰ層エンティティのデータコピー伝送機能がオフ状態にある場合、前記ＰＤＣＰ層エンティティが前記第１のＰＤＣＰ  ＳＤＵを受信すると、前記第１のＰＤＣＰ  ＳＤＵを１つのＰＤＣＰ  ＰＤＵとしてカプセルし前記第２のＲＬＣ層エンティティに伝送するが、前記ＰＤＣＰ層エンティティが１つの前記ＰＤＣＰ  ＰＤＵのバックアップを保留し、即ち前記第１のＰＤＣＰ  ＰＤＵが前記ＰＤＣＰ層エンティティにあるため、前記ＰＤＣＰ層エンティティのデータコピー伝送機能がアクティブ化された後、端末は、前記ＰＤＣＰ層エンティティに予め記憶されたＰＤＣＰ  ＰＤＵバックアップが前記第１のＰＤＣＰ  ＰＤＵであると確定する。
【００４３】
ここで、前記ＰＤＣＰ  ＰＤＵのバックアップである前記第１のＰＤＣＰ  ＰＤＵは、前記所定の条件を満たさない場合に削除される。
【００４４】
このように、この例において、端末は、前記ＰＤＣＰ層エンティティのデータコピー伝送機能がオフ状態にある場合、前記ＰＤＣＰ層エンティティにＰＤＣＰ  ＰＤＵであるバックアップ前記第１のＰＤＣＰ  ＰＤＵが記憶し、前記ＰＤＣＰ層エンティティのデータコピー伝送機能がアクティブ化される時に、再度にコピー操作しなく、前記ＰＤＣＰ層エンティティ内のバックアップを直接に取得すればよく、端末のデータ伝送速度の向上に有利である。
【００４５】
一例として、前記ＰＤＣＰ層エンティティのデータコピー伝送機能がアクティブ化されたことを検出する場合、前記第１のＲＬＣ層エンティティを有効化させた後、前記方法は、さらに、
前記ＰＤＣＰ層エンティティが第２のＰＤＣＰ  ＳＤＵを受信したことを検出された場合、前記ＰＤＣＰ層エンティティを利用して前記第２のＰＤＣＰ  ＳＤＵを第２のＰＤＣＰ  ＰＤＵとしてカプセル化することと、
前記ＰＤＣＰ層エンティティを利用して前記第１のＲＬＣ層エンティティと前記第２のＲＬＣ層エンティティに前記第２のＰＤＣＰ  ＰＤＵを送信することとを含む。
【００４６】
ここで、前記第２のＰＤＣＰ  ＳＤＵは、前記第１のＰＤＣＰ  ＳＤＵと異なる、前記ＰＤＣＰ層エンティティが新たに受信したパケットである。
【００４７】
ここで、前記ＰＤＣＰ層エンティティのデータコピー伝送機能がアクティブ化されるため、前記ＰＤＣＰ層エンティティは、２つの同じ前記第２のＰＤＣＰ  ＰＤＵをカプセル化し、前記第１のＲＬＣ層エンティティと前記第２のＲＬＣ層エンティティにそれぞれ送信する。
【００４８】
この例において、前記第１のＲＬＣ層エンティティと前記第２のＲＬＣ層エンティティに前記第２のＰＤＣＰ  ＰＤＵを送信した後、前記方法は、さらに、
前記ＰＤＣＰ層エンティティのデータコピー伝送機能がオフされたことを検出する場合、前記ＰＤＣＰ層エンティティを利用して前記第１のＲＬＣ層エンティティにプリセット指示を送信することと、
前記第１のＲＬＣ層エンティティを利用して前記プリセット指示を受信し、前記プリセット指示に基づいて前記第２のＰＤＣＰ  ＰＤＵに対応する前記第１のＲＬＣ層エンティティ内の第２のＲＬＣ  ＳＤＵを削除することとを含み、前記第２のＲＬＣ  ＳＤＵは、前記第１のＲＬＣ層エンティティにより第２のＲＬＣ  ＰＤＵとしてカプセル化されない。
【００４９】
ここで、前記プリセット指示は、前記第１のＲＬＣ層エンティティが前記第２のＰＤＣＰ  ＰＤＵに対応する第２のＲＬＣ  ＳＤＵを削除するように指示する。
【００５０】
ここで、前記ＰＤＣＰ層エンティティのデータコピー伝送機能がオフされる場合、前記第２のＰＤＣＰ  ＰＤＵが第２のＲＬＣ層エンティティのみに伝送されるため、前記端末は、第２のＲＬＣ層エンティティを利用して、前記ＭＡＣ層エンティティに前記第２のＰＤＣＰ  ＰＤＵに対応する前記第２のＲＬＣ層エンティティ内のＲＬＣＰＤＵを送信するが、前記第１のＲＬＣ層エンティティ内のＲＬＣ  ＳＤＵに対応する処理伝送操作を中断する。
【００５１】
ここで、前記ＰＤＣＰ層エンティティのデータコピー伝送機能がオフされる場合、前記第２のＲＬＣ  ＳＤＵが前記第２のＲＬＣ  ＰＤＵとしてカプセル化処理された場合、削除操作を実行しなく、前記ＰＤＣＰ層エンティティのデータコピー伝送機能がアクティブ化される場合、前記第２のＲＬＣ  ＰＤＵを継続して伝送する。
【００５２】
このように、この例において、端末は、前記ＰＤＣＰ層エンティティのデータコピー伝送機能がオフされる場合、前記第１のＲＬＣ層エンティティにおいて伝送されなく且つ第２のＲＬＣ  ＰＤＵとしてカプセル化しない第２のＲＬＣ  ＳＤＵを削除し、前記第１のＲＬＣ層エンティティ内での送信すべきパケットの冗長性の存在を回避し、端末の後続のデータ送信の正確性を向上させるのに有利である。
【００５３】
以下、本発明の実施例について、具体的な応用場面を参照しながら具体的に説明する。
【００５４】
上述した図２Ａの実施例と一致する図２Ｃを参照すると、図２Ｃは、本発明の実施例における別のデータ伝送方法であり、通信システムは、５Ｇ/ＮＲ通信システムであり、ネットワーク側デバイスは、５Ｇ/ＮＲにおける基地局ｇＮＢであり、端末は、５Ｇ/ＮＲにおけるユーザデバイスＵＥであり、前記ＰＤＣＰ層エンティティのデータコピー伝送機能は、オフ状態にあり、前記第１のＲＬＣ層エンティティは、無効化の状態にあり、前記第２のＲＬＣ層エンティティは、有効化の状態にあり、前記ＰＤＣＰ層エンティティが第１のＰＤＣＰ  ＳＤＵを受信したとき、
２ｂ０１において、端末が前記ＰＤＣＰ層エンティティを利用して前記第１のＰＤＣＰ  ＳＤＵをＰＤＣＰ  ＰＤＵとしてカプセル化し、前記ＰＤＣＰ  ＰＤＵのバックアップを第１のＰＤＣＰ  ＰＤＵとして記憶する。
【００５５】
２ｂ０２において、前記端末が前記ＰＤＣＰ層エンティティを利用して前記第２のＲＬＣ層エンティティに前記ＰＤＣＰ  ＰＤＵを送信する。
【００５６】
２ｂ０３において、前記端末前記ＰＤＣＰ層エンティティのデータコピー伝送機能がアクティブ化されたことを検出する場合、前記第１のＲＬＣ層エンティティを有効化させる。
【００５７】
２ｂ０４において、前記端末前記ＰＤＣＰ層エンティティが所定の条件を満たしていると検出した場合、前記ＰＤＣＰ層エンティティを利用して、予め記憶されたＰＤＣＰ  ＰＤＵのバックアップを前記第１のＰＤＣＰ  ＳＤＵに関連する前記第１のＰＤＣＰ  ＰＤＵとして確定し、前記第１のＲＬＣ層エンティティに前記第１のＰＤＣＰ  ＰＤＵを送信する。
【００５８】
ここで、前記所定の条件は、前記ＰＤＣＰ層エンティティ内のタイマＤｉｓｃａｒｄ  Ｔｉｍｅｒがタイムアウトしないこと、前記ＰＤＣＰ層エンティティの状態レポートＳｔａｔｕｓ  Ｒｅｐｏｒｔが前記第１のＰＤＣＰ  ＰＤＵの削除を示さないこと、前記ＰＤＣＰ層エンティティが前記第２のＲＬＣ層エンティティにより送信された前記第１のＰＤＣＰ  ＰＤＵの削除指示を受信しないことのうちの少なくとも１つを含む。
【００５９】
２ｂ０５において、前記端末が前記第１のＲＬＣ層エンティティと前記ＭＡＣ層エンティティを利用して前記第１のＰＤＣＰ  ＰＤＵをＭＡＣ  ＰＤＵとして処理して送信する。
【００６０】
２ｂ０６において、前記ネットワーク側デバイスが前記ＭＡＣ  ＰＤＵを受信する。
【００６１】
このように、本発明の実施例において、まず、端末は前記ＰＤＣＰ層エンティティのデータコピー伝送機能がアクティブ化されたことを検出する場合、前記第１のＲＬＣ層エンティティを有効化させ、前記第２のＲＬＣ層エンティティが有効化させた状態にあり、次に、前記ＰＤＣＰ層エンティティを利用して第１のＰＤＣＰ  ＳＤＵに関連する第１のＰＤＣＰ  ＰＤＵを確定し、前記第１のＲＬＣ層エンティティに前記第１のＰＤＣＰ  ＰＤＵを送信し、前記第１のＰＤＣＰ  ＰＤＵは、前記第１のＲＬＣ層エンティティと前記ＭＡＣ層エンティティとが第１のＰＤＣＰ  ＰＤＵをＭＡＣ  ＰＤＵとして処理して送信するために用いられる。このように、ＰＤＣＰ層エンティティのデータコピー伝送機能がアクティブ化されると、ＰＤＣＰ層エンティティによって、コピー送信を必要とする第１のＰＤＣＰ  ＳＤＵに関連する第１のＰＤＣＰ  ＰＤＵが決定されて第１のＲＬＣ層エンティティに送信され、第２のＲＬＣ層エンティティがパケットを送信する際に、第１のＲＬＣ層エンティティの同じパケットの送信が実現され、これにより、第１のＰＤＣＰ  ＳＤＵのコピー伝送が実現され、第１のＰＤＣＰ  ＳＤＵが２つの論理チャネル上で送信されることが可能になり、データ伝送の周波数ダイバーシティゲインの実現が容易になり、データ送信の信頼性が向上する。
【００６２】
また、端末は、前記ＰＤＣＰ層エンティティのデータコピー伝送機能がオフ状態にある場合、前記ＰＤＣＰ層エンティティにＰＤＣＰ  ＰＤＵであるバックアップ前記第１のＰＤＣＰ  ＰＤＵが記憶し、前記ＰＤＣＰ層エンティティのデータコピー伝送機能がアクティブ化される時に、再度にコピー操作しなく、前記ＰＤＣＰ層エンティティ内のバックアップを直接に取得すればよく、端末のデータ伝送速度の向上に有利である。
【００６３】
上述した図２Ａの実施例と一致する図２Ｄを参照し、図２Ｄは、本発明の実施例における別のデータ伝送方法であり、通信システムは、５Ｇ／ＮＲ通信システムであり、ネットワーク側デバイスは、５Ｇ／ＮＲにおける基地局ｇＮＢであり、端末は、５Ｇ／ＮＲにおけるユーザデバイスＵＥであり、前記ＰＤＣＰ層エンティティのデータコピー伝送機能は、アクティブ状態であり、前記第１のＲＬＣ層エンティティは、有効化の状態であり、前記第２のＲＬＣ層エンティティは、有効化状態であり、前記ＰＤＣＰ層エンティティが第２のＰＤＣＰ ＳＤＵを受信したとき、
２ｃ０１において、端末前記ＰＤＣＰ層エンティティを利用して前記第２のＰＤＣＰ  ＳＤＵを第２のＰＤＣＰ  ＰＤＵとしてカプセル化する。
【００６４】
２ｃ０２において、前記端末前記ＰＤＣＰ層エンティティを利用して前記第１のＲＬＣ層エンティティと前記第２のＲＬＣ層エンティティに前記第２のＰＤＣＰ  ＰＤＵを送信する。
【００６５】
２ｃ０３において、前記端末前記ＰＤＣＰ層エンティティのデータコピー伝送機能がオフされたことを検出する場合、前記ＰＤＣＰ層エンティティを利用して前記第１のＲＬＣ層エンティティにプリセット指示を送信する。
【００６６】
２ｃ０４において、前記端末は、前記第１のＲＬＣ層エンティティを利用して前記プリセット指示を受信し、前記プリセット指示に基づいて前記第２のＰＤＣＰ  ＰＤＵに対応する前記第１のＲＬＣ層エンティティ内の第２のＲＬＣ  ＳＤＵを削除し、前記第２のＲＬＣ  ＳＤＵは、前記第１のＲＬＣ層エンティティにより第２のＲＬＣ  ＰＤＵとしてカプセル化されない。
【００６７】
このように、本発明の実施例において、端末は、前記ＰＤＣＰ層エンティティのデータコピー伝送機能がオフされる場合、前記第１のＲＬＣ層エンティティにおいて伝送されなく且つ第２のＲＬＣ  ＰＤＵとしてカプセルかしない第２のＲＬＣ  ＳＤＵを削除し、前記第１のＲＬＣ層エンティティ内での送信すべきパケットの冗長性の存在を回避し、端末の後続のデータ送信の正確性を向上させるのに有利である
図３を参照し、図３は本発明の実施例におけるデータ伝送方法であり、端末に応用され、前記端末は、ＰＤＣＰ層エンティティ、第１のＲＬＣ層エンティティ、第２のＲＣＬ層エンティティ及びＭＡＣ層エンティティを含み、当該方法は、３０１〜３０４を含む。
【００６８】
３０１において、端末前記ＰＤＣＰ層エンティティのデータコピー伝送機能がアクティブ化されたことを検出する場合、前記第１のＲＬＣ層エンティティを有効化させ、前記第２のＲＬＣ層エンティティが有効化させた状態にある。
【００６９】
３０２において、前記端末前記第１のＲＬＣ層エンティティを利用して前記第２のＲＬＣ層エンティティからの第１のＲＬＣ  ＳＤＵを受信する。
【００７０】
ここで、前記第１のＲＬＣ  ＳＤＵは、前記第２のＲＬＣ層エンティティの現在伝送するＲＬＣ  ＳＤＵと同じＲＬＣ  ＳＤＵである。
【００７１】
ここで、前記ＰＤＣＰ層エンティティのデータコピー伝送機能がアクティブ化されたことを検出する場合、前記第１のＲＬＣ層エンティティが前記第２のＲＬＣ層エンティティの現在伝送するＲＬＣ  ＳＤＵをコピーする必要があるため、前記端末は、第１のＲＬＣ層エンティティを利用して第２のＲＬＣ層エンティティのバッファのＲＬＣ  ＳＤＵを取得して前記第１のＲＬＣ  ＳＤＵとし、この場合、前記ＰＤＣＰ層エンティティのデータコピー伝送機能がアクティブ化される前に、前記ＰＤＣＰ層エンティティは、前記第２のＲＬＣ層エンティティの現在伝送するＲＬＣ  ＳＤＵに対応するＰＤＣＰ  ＰＤＵのバックアップを記憶しない。
【００７２】
３０３において、前記端末は、前記第１のＲＬＣ層エンティティと前記ＭＡＣ層エンティティを利用して、前記第１のＲＬＣ  ＳＤＵをＭＡＣ  ＰＤＵとして処理し、前記ＭＡＣ  ＰＤＵを送信する。
【００７３】
一例として、前記第１のＲＬＣ層エンティティとＭＡＣ層エンティティを利用して、前記第１のＲＬＣ  ＳＤＵをＭＡＣ  ＰＤＵとして処理し、前記ＭＡＣ  ＰＤＵを送信することは、
前記第１のＲＬＣ層エンティティを利用して前記第１のＲＬＣ  ＳＤＵを第１のＲＬＣ  ＰＤＵとしてカプセル化し、前記ＭＡＣ層エンティティに前記第１のＲＬＣ  ＰＤＵを送信することと、
前記ＭＡＣ層エンティティを利用して、前記第１のＲＬＣ  ＰＤＵを前記ＭＡＣ  ＰＤＵとしてカプセル化し、前記ＭＡＣ  ＰＤＵを送信することとを含む。
【００７４】
ここで、ＭＡＣ  ＰＤＵを送信することは、具体的には、図２Ｂに示すように、端末がＭＡＣ層エンティティを利用して、ＭＡＣ  ＰＤＵを第１の物理キャリアで物理層ＰＨＹ層エンティティに送信し、前記ＭＡＣ  ＰＤＵをＰＨＹ層エンティティの圧縮カプセル化等の処理によりＰＨＹ  ＰＤＵを取得し、ＰＨＹ層エンティティからネットワークデバイスに送信することを含む。
【００７５】
３０４において、ネットワーク側デバイスが前記ＭＡＣ  ＰＤＵを取得する。
【００７６】
ここで、上記の３０１、３０４は、図２Ａに記載された実施例における対応するステップを参照し得る。
【００７７】
このように、本発明の実施例において、まず、端末は前記ＰＤＣＰ層エンティティのデータコピー伝送機能がアクティブ化されたことを検出する場合、前記第１のＲＬＣ層エンティティを有効化させ、次に、前記第１のＲＬＣ層エンティティを利用して前記第２のＲＬＣ層エンティティからの第１のＲＬＣ  ＳＤＵを受信し、最後、前記第１のＲＬＣ層エンティティと前記ＭＡＣ層エンティティを利用して、前記第１のＲＬＣ  ＳＤＵをＭＡＣ  ＰＤＵとして処理し、前記ＭＡＣ  ＰＤＵを送信する。このように、ＰＤＣＰ層エンティティのデータコピー転送機能がアクティブ化されると、第１のＲＬＣ層エンティティが、コピー伝送を必要とする第２のＲＬＣ層エンティティの第１のＲＬＣ  ＳＤＵを決定し、第２のＲＬＣ層エンティティがパケットを伝送する際に、第１のＲＬＣ層エンティティの同一パケットの伝送を実現することで、データのコピー伝送を実現し、２つの論理チャネル上でのデータ伝送を可能にし、データ転送の周波数ダイバーシチゲインの実現を容易にし、データ転送の信頼性を向上させる
一例として、前記ＰＤＣＰ層エンティティのデータコピー伝送機能がアクティブ化されたことを検出する場合、前記第１のＲＬＣ層エンティティを有効化させた後、前記方法は、さらに、
前記ＰＤＣＰ層エンティティがＰＤＣＰ  ＳＤＵを受信したことが検出された場合、前記ＰＤＣＰ層エンティティを利用して前記ＰＤＣＰ  ＳＤＵをＰＤＣＰ  ＰＤＵとしてカプセル化することと、
前記ＰＤＣＰ層エンティティを利用して前記第１のＲＬＣ層エンティティと前記第２のＲＬＣ層エンティティに前記ＰＤＣＰ  ＰＤＵを送信することとを含む。
【００７８】
ここで、前記ＰＤＣＰ  ＳＤＵは、上記のＭＡＣ  ＰＤＵに関係ない、前記ＰＤＣＰ層エンティティが新たに受信したパケットである。
【００７９】
ここで、前記ＰＤＣＰ層エンティティのデータコピー伝送機能がアクティブ化されるため、前記ＰＤＣＰ層エンティティは、前記ＰＤＣＰ  ＳＤＵを２つの同じ前記ＰＤＣＰ  ＰＤＵとしてカプセル化し、前記第１のＲＬＣ層エンティティと前記第２のＲＬＣ層エンティティにそれぞれ送信する。
【００８０】
一例として、前記第１のＲＬＣ層エンティティと前記第２のＲＬＣ層エンティティに前記ＰＤＣＰ  ＰＤＵを送信した後、前記方法は、さらに、
前記ＰＤＣＰ層エンティティのデータコピー伝送機能がオフされたことを検出する場合、前記ＰＤＣＰ層エンティティを利用して前記第１のＲＬＣ層エンティティにプリセット指示を送信することと、
前記第１のＲＬＣ層エンティティを利用して前記プリセット指示を受信し、前記プリセット指示に基づいて前記ＰＤＣＰ  ＰＤＵに対応する前記第１のＲＬＣ層エンティティ内の第２のＲＬＣ  ＳＤＵを削除することとを含み、前記第２のＲＬＣ  ＳＤＵは、前記第１のＲＬＣ層エンティティにより第２のＲＬＣ  ＰＤＵとしてカプセル化されない。
【００８１】
ここで、前記プリセット指示は、前記第１のＲＬＣ層エンティティが前記第２のＰＤＣＰ  ＰＤＵに対応する第２のＲＬＣＳＤＵを削除するように指示する。
【００８２】
ここで、前記ＰＤＣＰ層エンティティのデータコピー伝送機能がオフされる場合、前記第２のＰＤＣＰ  ＰＤＵが第２のＲＬＣ層エンティティのみに伝送されるため、前記端末は、第２のＲＬＣ層エンティティを利用して、前記ＭＡＣ層エンティティに前記第２のＰＤＣＰ  ＰＤＵに対応する前記第２のＲＬＣ層エンティティ内のＲＬＣＰＤＵを送信するが、前記第１のＲＬＣ層エンティティ内のＲＬＣＳＤＵに対応する処理伝送操作を中断する。
【００８３】
ここで、前記ＰＤＣＰ層エンティティのデータコピー伝送機能がオフされる場合、前記第２のＲＬＣ  ＳＤＵが前記第２のＲＬＣ  ＰＤＵとしてカプセル化処理された場合、削除操作を実行しなく、前記ＰＤＣＰ層エンティティのデータコピー伝送機能がアクティブ化される場合、前記第２のＲＬＣ  ＰＤＵを継続して伝送する。
【００８４】
このように、この例において、端末は、前記ＰＤＣＰ層エンティティのデータコピー伝送機能がオフされる場合、前記第１のＲＬＣ層エンティティにおいて伝送されなく且つ第２のＲＬＣ  ＰＤＵとしてカプセルかしない第２のＲＬＣ  ＳＤＵを削除し、前記第１のＲＬＣ層エンティティ内での送信すべきパケットの冗長性の存在を回避し、端末の後続のデータ送信の正確性を向上させるのに有利である。
【００８５】
図２Ａに示された実施例と一致して、図４Ａを参照し、図４Ａは本発明の実施例における端末の構成の模式図であり、図示されるように、端末は、プロセッサと、メモリと、通信インターフェースと、１つ以上のプログラムとを備え、１つ以上のプログラムは、メモリに記憶され、プロセッサによって実行されるように構成され、プログラムは、以下のステップを実行するための命令を含む。
【００８６】
前記ＰＤＣＰ層エンティティのデータコピー伝送機能がアクティブ化されたことを検出する場合、前記第１のＲＬＣ層エンティティを有効化させ、前記第２のＲＬＣ層エンティティが有効化させた状態にあり、
前記ＰＤＣＰ層エンティティを利用して第１のＰＤＣＰ  ＳＤＵに関連する第１のＰＤＣＰ  ＰＤＵを確定し、前記第１のＲＬＣ層エンティティに前記第１のＰＤＣＰ  ＰＤＵを送信し、前記第１のＰＤＣＰ  ＰＤＵは、前記第１のＲＬＣ層エンティティと前記ＭＡＣ層エンティティとが第１のＰＤＣＰ  ＰＤＵをＭＡＣ  ＰＤＵとして処理して送信するために用いられる。
【００８７】
このように、本発明に実施例において、まず、端末は前記ＰＤＣＰ層エンティティのデータコピー伝送機能がアクティブ化されたことを検出する場合、前記第１のＲＬＣ層エンティティを有効化させ、前記第２のＲＬＣ層エンティティが有効化させた状態にあり、次に、前記ＰＤＣＰ層エンティティを利用して第１のＰＤＣＰ  ＳＤＵに関連する第１のＰＤＣＰ  ＰＤＵを確定し、前記第１のＲＬＣ層エンティティに前記第１のＰＤＣＰ  ＰＤＵを送信し、前記第１のＰＤＣＰ  ＰＤＵは、前記第１のＲＬＣ層エンティティと前記ＭＡＣ層エンティティとが第１のＰＤＣＰ  ＰＤＵをＭＡＣ  ＰＤＵとして処理して送信するために用いられる。このように、ＰＤＣＰ層エンティティのデータコピー伝送機能がアクティブ化されると、ＰＤＣＰ層エンティティによって、コピー送信を必要とする第１のＰＤＣＰ  ＳＤＵに関連する第１のＰＤＣＰ  ＰＤＵが決定されて第１のＲＬＣ層エンティティに送信され、第２のＲＬＣ層エンティティがパケットを送信する際に、第１のＲＬＣ層エンティティの同じパケットの送信が実現され、これにより、第１のＰＤＣＰ  ＳＤＵのコピー伝送が実現され、第１のＰＤＣＰ  ＳＤＵが２つの論理チャネル上で送信されることが可能になり、データ伝送の周波数ダイバーシティゲインの実現が容易になり、データ送信の信頼性が向上する。
【００８８】
一例として、前記ＰＤＣＰ層エンティティを利用して第１のＰＤＣＰ  ＳＤＵに関連する第１のＰＤＣＰ  ＰＤＵ形態を確定する時に、上記のプログラムの命令は、以下のステップを実行する。前記ＰＤＣＰ層エンティティが所定の条件を満たしていると検出した場合、前記ＰＤＣＰ層エンティティを利用して、予め記憶されたＰＤＣＰ  ＰＤＵのバックアップを前記第１のＰＤＣＰ  ＳＤＵに関連する前記第１のＰＤＣＰ  ＰＤＵとして確定することを含む。
【００８９】
この例において、前記所定の条件は、前記ＰＤＣＰ層エンティティ内のタイマＤｉｓｃａｒｄ  Ｔｉｍｅｒがタイムアウトしないこと、前記ＰＤＣＰ層エンティティの状態レポートＳｔａｔｕｓ  Ｒｅｐｏｒｔが前記第１のＰＤＣＰ  ＰＤＵの削除を示さないこと、前記ＰＤＣＰ層エンティティが前記第２のＲＬＣ層エンティティにより送信された前記第１のＰＤＣＰ  ＰＤＵの削除指示を受信しないことのうちの少なくとも１つを含む。
【００９０】
一例として、前記第１のＰＤＣＰ  ＰＤＵは、前記第１のＲＬＣ層エンティティが前記第１のＰＤＣＰ  ＰＤＵを第１のＲＬＣ  ＰＤＵとしてカプセル化し、前記ＭＡＣ層エンティティに前記第１のＲＬＣ  ＰＤＵを送信するために用いられ、前記ＭＡＣ層エンティティが前記第１のＲＬＣ  ＰＤＵを前記ＭＡＣ  ＰＤＵとしてカプセル化し、前記ＭＡＣ  ＰＤＵに送信する。
【００９１】
一例として、前記プログラムは、以下のステップを実行するための命令を含む。前記ＰＤＣＰ層エンティティのデータコピー伝送機能がアクティブ化されたことを検出する場合、前記第１のＲＬＣ層エンティティを有効化させた後、前記ＰＤＣＰ層エンティティが第２のＰＤＣＰ  ＳＤＵを受信したことを検出された場合、前記ＰＤＣＰ層エンティティを利用して前記第２のＰＤＣＰ  ＳＤＵを第２のＰＤＣＰ  ＰＤＵとしてカプセル化し、前記ＰＤＣＰ層エンティティを利用して前記第１のＲＬＣ層エンティティと前記第２のＲＬＣ層エンティティに前記第２のＰＤＣＰ  ＰＤＵを送信する。
【００９２】
この例において、前記プログラムは、以下のステップを実行するための命令を含む。前記第１のＲＬＣ層エンティティと前記第２のＲＬＣ層エンティティに前記第２のＰＤＣＰ  ＰＤＵを送信した後、前記ＰＤＣＰ層エンティティのデータコピー伝送機能がオフされたことを検出する場合、前記ＰＤＣＰ層エンティティを利用して前記第１のＲＬＣ層エンティティにプリセット指示を送信し、前記第１のＲＬＣ層エンティティを利用して前記プリセット指示を受信し、前記プリセット指示に基づいて前記第２のＰＤＣＰ  ＰＤＵに対応する前記第１のＲＬＣ層エンティティ内の第２のＲＬＣ  ＳＤＵを削除し、前記第２のＲＬＣ  ＳＤＵは、前記第１のＲＬＣ層エンティティにより第２のＲＬＣ  ＰＤＵとしてカプセル化されない。
【００９３】
上記の図２Ａの実施例と一致し、図４Ｂを参照し、図４Ｂは本発明の実施例におけるネットワーク側デバイスの構成の模式図である。図に示すように、当該ネットワーク側デバイスは、プロセッサ、メモリ、送受信機及び１つ以上のプログラムを含み、ここで、前記１つ以上のプログラムが前記メモリに記憶され、前記プロセッサにより実行され、前記プログラムは、以下のステップを実行する命令を含む。
【００９４】
ネットワーク側デバイスが端末のＭＡＣ  ＰＤＵを取得し、前記ＭＡＣ  ＰＤＵは、第１のＲＬＣ層エンティティとＭＡＣ層エンティティとが第１のＰＤＣＰ  ＰＤＵを処理したものであり、前記第１のＰＤＣＰ  ＰＤＵは、前記端末がＰＤＣＰ層エンティティのデータコピー伝送機能がアクティブ化されたことを検出する場合、前記第１のＲＬＣ層エンティティを有効化させ、前記ＰＤＣＰ層エンティティを利用して確定した第１のＰＤＣＰ  ＳＤＵに関連する前記第１のＰＤＣＰ  ＰＤＵであって、前記第１のＲＬＣ層エンティティに送信した前記第１のＰＤＣＰ  ＰＤＵであり、前記第２のＲＬＣ層エンティティが有効化させた状態にある。
【００９５】
このように、本発明の実施例において、ネットワーク側デバイスが端末のＭＡＣ  ＰＤＵを取得し、前記ＭＡＣ  ＰＤＵは、第１のＰＤＣＰ  ＰＤＵの伝送により取得したものであり、ＰＤＣＰ層エンティティのデータコピー伝送機能がアクティブ化された後、前記ＰＤＣＰ層エンティティは、第１のＰＤＣＰ  ＳＤＵに関連する前記第１のＰＤＣＰ  ＰＤＵを確定し、第１のＲＬＣ層エンティティに送信し、第２のＲＬＣ層エンティティがパケットを伝送する時に第１のＲＬＣ層エンティティの同じパケットの伝送を実現し、これにより、第１のＰＤＣＰ  ＳＤＵのコピー伝送が実現され、第１のＰＤＣＰ  ＳＤＵが２つの論理チャネル上で送信されることが可能になり、データ伝送の周波数ダイバーシティゲインの実現が容易になり、データ送信の信頼性が向上する。
【００９６】
上記の図３の実施例と一致し、図５Ａを参照し、図５Ａは本発明の実施例における端末の構成の模式図である。図に示すように、当該端末は、プロセッサ、メモリ、通信インターフェース及び１つ以上のプログラムを含み、ここで、前記１つ以上のプログラムが前記メモリに記憶され、前記プロセッサにより実行され、前記プログラムは、以下のステップを実行する命令を含む。
【００９７】
前記ＰＤＣＰ層エンティティのデータコピー伝送機能がアクティブ化されたことを検出する場合、前記第１のＲＬＣ層エンティティを有効化させ、前記第２のＲＬＣ層エンティティが有効化させた状態にあり、
前記第１のＲＬＣ層エンティティを利用して前記第２のＲＬＣ層エンティティからの第１のＲＬＣ  ＳＤＵを受信し、
前記第１のＲＬＣ層エンティティと前記ＭＡＣ層エンティティを利用して、前記第１のＲＬＣ  ＳＤＵをＭＡＣ  ＰＤＵとして処理し、前記ＭＡＣ  ＰＤＵを送信する。
【００９８】
このように、本発明の実施例において、まず、端末は前記ＰＤＣＰ層エンティティのデータコピー伝送機能がアクティブ化されたことを検出する場合、前記第１のＲＬＣ層エンティティを有効化させ、次に、前記第１のＲＬＣ層エンティティを利用して前記第２のＲＬＣ層エンティティからの第１のＲＬＣ  ＳＤＵを受信し、最後、前記第１のＲＬＣ層エンティティと前記ＭＡＣ層エンティティを利用して、前記第１のＲＬＣ  ＳＤＵをＭＡＣ  ＰＤＵとして処理し、前記ＭＡＣ  ＰＤＵを送信する。このように、ＰＤＣＰ層エンティティのデータコピー伝送機能がアクティブ化されると、第１のＲＬＣ層エンティティが、コピー伝送を必要とする第２のＲＬＣ層エンティティの第１のＲＬＣ  ＳＤＵを決定し、第２のＲＬＣ層エンティティがパケットを伝送する際に、第１のＲＬＣ層エンティティの同一パケットの伝送を実現することで、データのコピー伝送を実現し、２つの論理チャネル上でのデータ伝送を可能にし、データ転送の周波数ダイバーシチゲインの実現を容易にし、データ転送の信頼性を向上させる
一例として、前記第１のＲＬＣ層エンティティ及びＭＡＣ層エンティティを利用して前記第１のＲＬＣ  ＳＤＵをＭＡＣ  ＰＤＵとして処理し、前記ＭＡＣ  ＰＤＵを送信する時に、上記プログラムの命令は、以下のステップを実行する命令を含む。前記第１のＲＬＣ層エンティティを利用して前記第１のＲＬＣ  ＳＤＵを第１のＲＬＣ  ＰＤＵとしてカプセル化し、前記ＭＡＣ層エンティティに前記第１のＲＬＣ  ＰＤＵを送信し、前記ＭＡＣ層エンティティを利用して、前記第１のＲＬＣ  ＰＤＵを前記ＭＡＣ  ＰＤＵとしてカプセル化し、前記ＭＡＣ  ＰＤＵを送信する。
【００９９】
一例として、前記プログラムは、以下のステップを実行する命令を含む。前記ＰＤＣＰ層エンティティのデータコピー伝送機能がアクティブ化されたことを検出する場合、前記第１のＲＬＣ層エンティティを有効化させた後、前記ＰＤＣＰ層エンティティがＰＤＣＰ  ＳＤＵを受信したことが検出された場合、前記ＰＤＣＰ層エンティティを利用して前記ＰＤＣＰ  ＳＤＵをＰＤＣＰ  ＰＤＵとしてカプセル化し、前記ＰＤＣＰ層エンティティを利用して前記第１のＲＬＣ層エンティティと前記第２のＲＬＣ層エンティティに前記ＰＤＣＰ  ＰＤＵを送信する。
【０１００】
この例において、前記プログラムは、以下のステップを実行する命令を含む。前記第１のＲＬＣ層エンティティと前記第２のＲＬＣ層エンティティに前記ＰＤＣＰ  ＰＤＵを送信した後、前記ＰＤＣＰ層エンティティのデータコピー伝送機能がオフされたことを検出する場合、前記ＰＤＣＰ層エンティティを利用して前記第１のＲＬＣ層エンティティにプリセット指示を送信し、前記第１のＲＬＣ層エンティティを利用して前記プリセット指示を受信し、前記プリセット指示に基づいて前記ＰＤＣＰ  ＰＤＵに対応する前記第１のＲＬＣ層エンティティ内の第２のＲＬＣ  ＳＤＵを削除し、前記第２のＲＬＣ  ＳＤＵは、前記第１のＲＬＣ層エンティティにより第２のＲＬＣ  ＰＤＵとしてカプセル化されない。
【０１０１】
上記の図３の実施例と一致し、図５Ｂを参照し、図５Ｂは本発明の実施例におけるネットワーク側デバイスの構成の模式図である。図に示すように、当該ネットワーク側デバイスは、プロセッサ、メモリ、送受信機及び１つ以上のプログラムを含み、ここで、前記１つ以上のプログラムが前記メモリに記憶され、前記プロセッサにより実行され、前記プログラムは、以下のステップを実行する命令を含む。
【０１０２】
ネットワーク側デバイスが端末のＭＡＣ  ＰＤＵを取得し、前記ＭＡＣ  ＰＤＵは、第１のＲＬＣ層エンティティとＭＡＣ層エンティティが第１のＲＬＣ  ＳＤＵを処理したものであり、前記第１のＲＬＣ  ＳＤＵは、前記端末がＰＤＣＰ層エンティティのデータコピー伝送機能がアクティブ化されたことを検出した場合、前記第１のＲＬＣ層エンティティを有効化させ、前記第１のＲＬＣ層エンティティを利用して第２のＲＬＣ層エンティティから受信した前記第１のＲＬＣ  ＳＤＵであり、前記第２のＲＬＣ層エンティティが有効化させた状態にある。
【０１０３】
このように、本発明の実施例において、ネットワーク側デバイスが端末のＭＡＣ  ＰＤＵを取得し、前記ＭＡＣ  ＰＤＵは、第１のＲＬＣ  ＳＤＵの伝送により取得したものであり、
ＰＤＣＰ層エンティティのデータコピー伝送機能がアクティブ化された後、第１のＲＬＣ層エンティティが第２のＲＬＣ層エンティティからの前記第１のＲＬＣ  ＳＤＵを受信し、第２のＲＬＣ層エンティティがパケットを伝送する際に、第１のＲＬＣ層エンティティの同一パケットの伝送を実現することで、データのコピー伝送を実現し、２つの論理チャネル上でのデータ伝送を可能にし、データ転送の周波数ダイバーシチゲインの実現を容易にし、データ転送の信頼性を向上させる
以上、主に各ネットワーク要素間のインタラクションという観点から本発明の実施例の構成を説明した。端末及びネットワーク側デバイスは、上記機能を実現するために、それぞれの機能を実行するためのハードウェア構成及び/又はソフトウェアモジュールを含むことが理解される。当業者は、本明細書に開示された実施例に関連して説明された様々な例のユニットおよびアルゴリズムステップが、ハードウェアまたはハードウェアとコンピュータソフトウェアとの組合せの形態で本発明を実施できることが容易に理解されるであろう。ある機能がハードウェアで実行されるか、コンピュータソフトウェアドライバハードウェアで実行されるかは、特許請求の範囲の特定のアプリケーション及び設計制約に依存する。当業者は、説明された機能を実施するために、特定のアプリケーションごとに異なる方法を使用することができるが、そのような実施は、本発明の範囲から逸脱するものと考えられるべきではない。
【０１０４】
本発明の実施例は、上記の方法例に従って端末とネットワーク側デバイスとに機能ユニットの分割を行ってもよく、例えば、各機能ユニットを各機能に応じて分割してもよく、２つ以上の機能を１つの処理ユニットに統合してもよい。上記の統合されたユニットは、ハードウェアの形態で実現されてもよいし、ソフトウェアプログラムモジュールの形態で実現されてもよい。なお、本発明の実施例におけるユニットの分割は模式的なものであり、一種類の論理的な機能分割のみであり、実際の実現に際しては別の分割形態があり得る。
【０１０５】
集積ユニットを用いる場合には、図６は上記実施例に係る端末の機能的な構成を示すブロック図である。端末６００は、処理ユニット６０２と、通信ユニット６０３とを備える。処理ユニット６０２は、端末の動作を制御管理するために使用され、例えば、処理ユニット６０２は、端末が図２Ａにおけるステップ２Ａ０１〜２Ａ０２、図２Ｃにおけるステップ２ｂ０１〜２ｂ０５、図２Ｄにおけるステップ２Ｃ０１〜２Ｃ０４、図３におけるステップ３０１-３０３、及び/又は本明細書に記載の技術のための他のプロセスを実行することを支援するために使用される。通信ユニット６０３は、図４(Ｂ)や図５(Ｂ)に示すネットワーク側デバイスなど、他の装置との通信を端末に支援するためのものである。端末は、端末のプログラムコード及びデータを記憶するための記憶ユニット６０１を更に含むことができる。
【０１０６】
ここで、処理ユニット６０２は、プロセッサ又はコントローラであってよく、例えば、中央処理装置( Ｃｅｎｔｒａｌ Ｐｒｏｃｅｓｓｉｎｇ Ｕｎｉｔ：ＣＰＵ )、汎用プロセッサ、デジタル信号プロセッサ( Ｄｉｇｉｔａｌ Ｓｉｇｎａｌ Ｐｒｏｃｅｓｓｏｒ：ＤＳＰ )、特定用途向け集積回路( Ａｐｐｌｉｃａｔｉｏｎ−Ｓｐｅｃｉｆｉｃ Ｉｎｔｅｇｒａｔｅｄ Ｃｉｒｃｕｉｔ：ＡＳＩＣ )、フィールドプログラマブルゲートアレイ( Ｆｉｅｌｄ Ｐｒｏｇｒａｍｍａｂｌｅ Ｇａｔｅ Ａｒｒａｙ：ＦＰＧＡ )、又は他のプログラマブル論理デバイス、トランジスタロジックデバイス、ハードウェアコンポーネント、又はこれらの任意の組み合わせであってよい。本開示に関連して説明された様々な例示的な論理ブロック、モジュール、および回路を実装または実行することができる。プロセッサはまた、例えば、１つ以上のマイクロプロセッサの組み合わせ、ＤＳＰとマイクロプロセッサの組み合わせなどを含む、計算機能を実装する組み合わせであってもよい。通信ユニット６０３は、通信インターフェース、送受信部、送受信回路等であり、記憶ユニット６０１は、メモリ等である。
【０１０７】
ここで、前記処理ユニット６０２は、ＰＤＣＰ層エンティティのデータコピー伝送機能がアクティブ化されることを検出した場合、第１のＲＬＣ層エンティティを有効化させ、第２のＲＬＣ層エンティティが有効化の状態にあり、前記ＰＤＣＰ層エンティティを利用して第１のＰＤＣＰ  ＳＤＵに関連する第１のＰＤＣＰ  ＰＤＵを確定し、前記第１のＲＬＣ層エンティティに前記第１のＰＤＣＰ  ＰＤＵを送信し、前記第１のＲＬＣ層エンティティとＭＡＣ層エンティティを利用して前記第１のＰＤＣＰ  ＰＤＵをＭＡＣ  ＰＤＵとして処理し、前記通信ユニット６０３を介して送信する。
【０１０８】
一例として、前記ＰＤＣＰ層エンティティを利用して第１のＰＤＣＰ  ＳＤＵに関連する第１のＰＤＣＰ  ＰＤＵ形態を確定する前に、前記処理ユニット６０２は、前記ＰＤＣＰ層エンティティが所定の条件を満たしていると検出した場合、前記ＰＤＣＰ層エンティティを利用して、予め記憶されたＰＤＣＰ  ＰＤＵのバックアップを前記第１のＰＤＣＰ  ＳＤＵに関連する前記第１のＰＤＣＰ  ＰＤＵとして確定するように構成される。
【０１０９】
この例において、前記所定の条件は、前記ＰＤＣＰ層エンティティ内のタイマＤｉｓｃａｒｄ  Ｔｉｍｅｒがタイムアウトしないこと、前記ＰＤＣＰ層エンティティの状態レポートＳｔａｔｕｓ  Ｒｅｐｏｒｔが前記第１のＰＤＣＰ  ＰＤＵの削除を示さないこと、前記ＰＤＣＰ層エンティティが前記第２のＲＬＣ層エンティティにより送信された前記第１のＰＤＣＰ  ＰＤＵの削除指示を受信しないことのうちの少なくとも１つを含む。
【０１１０】
一例として、前記第１のＰＤＣＰ  ＰＤＵは、前記第１のＲＬＣ層エンティティが前記第１のＰＤＣＰ  ＰＤＵを第１のＲＬＣ  ＰＤＵとしてカプセル化し、前記ＭＡＣ層エンティティに前記第１のＲＬＣ  ＰＤＵを送信し、前記ＭＡＣ層エンティティが前記第１のＲＬＣ  ＰＤＵを前記ＭＡＣ  ＰＤＵとしてカプセル化し、前記ＭＡＣ  ＰＤＵに送信するために用いられる。
【０１１１】
一例として、前記処理ユニット６０２は、前記ＰＤＣＰ層エンティティのデータコピー伝送機能がアクティブ化されたことを検出する場合、前記第１のＲＬＣ層エンティティを有効化させた後、前記ＰＤＣＰ層エンティティが第２のＰＤＣＰ  ＳＤＵを受信したことを検出された場合、前記ＰＤＣＰ層エンティティを利用して前記第２のＰＤＣＰ  ＳＤＵを第２のＰＤＣＰ  ＰＤＵとしてカプセル化し、前記ＰＤＣＰ層エンティティを利用して前記第１のＲＬＣ層エンティティと前記第２のＲＬＣ層エンティティに前記第２のＰＤＣＰ  ＰＤＵを送信するように構成される。
【０１１２】
この例において、前記処理ユニット６０２は、前記第１のＲＬＣ層エンティティと前記第２のＲＬＣ層エンティティに前記第２のＰＤＣＰ  ＰＤＵを送信した後、前記ＰＤＣＰ層エンティティのデータコピー伝送機能がオフされたことを検出する場合、前記ＰＤＣＰ層エンティティを利用して前記第１のＲＬＣ層エンティティにプリセット指示を送信し、前記第１のＲＬＣ層エンティティを利用して前記プリセット指示を受信し、前記プリセット指示に基づいて前記第２のＰＤＣＰ  ＰＤＵに対応する前記第１のＲＬＣ層エンティティ内の第２のＲＬＣ  ＳＤＵを削除するように構成され、前記第２のＲＬＣ  ＳＤＵは、前記第１のＲＬＣ層エンティティにより第２のＲＬＣ  ＰＤＵとしてカプセル化されない。
【０１１３】
又は、
ここで、前記処理ユニット６０２は、前記ＰＤＣＰ層エンティティのデータコピー伝送機能がアクティブ化されたことを検出する場合、前記第１のＲＬＣ層エンティティを有効化させ、前記第２のＲＬＣ層エンティティが有効化させた状態にあり、前記第１のＲＬＣ層エンティティを利用して前記第２のＲＬＣ層エンティティからの第１のＲＬＣ  ＳＤＵを受信し、前記第１のＲＬＣ層エンティティと前記ＭＡＣ層エンティティを利用して前記第１のＲＬＣ  ＳＤＵをＭＡＣ  ＰＤＵとして処理し、前記通信ユニット６０３を介して前記ＭＡＣ  ＰＤＵを送信するように構成される。
【０１１４】
一例として、前記第１のＲＬＣ層エンティティとＭＡＣ層エンティティを利用して前記第１のＲＬＣ  ＳＤＵをＭＡＣ  ＰＤＵとして処理し、前記通信ユニット６０３を介して前記ＭＡＣ  ＰＤＵ形態を送信する時に、前記処理ユニット６０２は、前記第１のＲＬＣ層エンティティを利用して前記第１のＲＬＣ  ＳＤＵを第１のＲＬＣ  ＰＤＵとしてカプセル化し、前記ＭＡＣ層エンティティに前記第１のＲＬＣ  ＰＤＵを送信し、前記ＭＡＣ層エンティティを利用して前記第１のＲＬＣ  ＰＤＵを前記ＭＡＣ  ＰＤＵとしてカプセル化し、前記通信ユニット６０３を介して前記ＭＡＣ  ＰＤＵを送信するように構成される。
【０１１５】
一例として、前記処理ユニット６０２は、前記ＰＤＣＰ層エンティティのデータコピー伝送機能がアクティブ化されたことを検出する場合、前記第１のＲＬＣ層エンティティを有効化させた後、前記ＰＤＣＰ層エンティティがＰＤＣＰ  ＳＤＵを受信したことが検出された場合、前記ＰＤＣＰ層エンティティを利用して前記ＰＤＣＰ  ＳＤＵをＰＤＣＰ  ＰＤＵとしてカプセル化し、前記ＰＤＣＰ層エンティティを利用して前記第１のＲＬＣ層エンティティと前記第２のＲＬＣ層エンティティに前記ＰＤＣＰ  ＰＤＵを送信するように構成される。
【０１１６】
この例において、前記処理ユニット６０２は、前記第１のＲＬＣ層エンティティと前記第２のＲＬＣ層エンティティに前記ＰＤＣＰ  ＰＤＵを送信した後、前記ＰＤＣＰ層エンティティのデータコピー伝送機能がオフされたことを検出する場合、前記ＰＤＣＰ層エンティティを利用して前記第１のＲＬＣ層エンティティにプリセット指示を送信し、前記第１のＲＬＣ層エンティティを利用して前記プリセット指示を受信し、前記プリセット指示に基づいて前記ＰＤＣＰ  ＰＤＵに対応する前記第１のＲＬＣ層エンティティ内の第２のＲＬＣ  ＳＤＵを削除するように構成され、前記第２のＲＬＣ  ＳＤＵは、前記第１のＲＬＣ層エンティティにより第２のＲＬＣ  ＰＤＵとしてカプセル化されない。
【０１１７】
処理ユニット６０２がプロセッサ、通信ユニット６０３が通信インターフェース、記憶ユニット６０１がメモリである場合、本発明の実施例に係る端末は、図４Ａ又は図５Ａの端末であってもよい。
【０１１８】
集積ユニットを用いた場合、図７は、上記実施例に係るネットワーク側デバイスの機能的な構成を示すブロック図である。ネットワーク側デバイス７００は、処理ユニット７０２と、通信ユニット７０３とを備える。処理ユニット７０２は、ネットワーク側デバイスの動作を制御管理するために使用され、例えば、処理ユニット７０２は、ネットワーク側デバイスが図２Ａのステップ２Ａ０３、図２Ｃのステップ２ｂ０６、図３のステップ３０４、及び/又は本明細書に記載の技術のための他のプロセスを実行することをサポートするために使用される。通信ユニット７０３は、ネットワーク側デバイスが他の装置、例えば図４(Ａ)や図５(Ａ)に示す端末との間で通信を行う際に、その通信を支援するものである。また、ネットワーク側デバイスは、ネットワーク側デバイスのプログラムコード及びデータを記憶する記憶ユニット７０１を有していてもよい。
【０１１９】
ここで、処理ユニット７０２は、プロセッサ又はコントローラであってよく、例えば、中央処理装置( Ｃｅｎｔｒａｌ Ｐｒｏｃｅｓｓｉｎｇ Ｕｎｉｔ：ＣＰＵ )、汎用プロセッサ、デジタル信号プロセッサ( Ｄｉｇｉｔａｌ Ｓｉｇｎａｌ Ｐｒｏｃｅｓｓｏｒ：ＤＳＰ )、特定用途向け集積回路( Ａｐｐｌｉｃａｔｉｏｎ−Ｓｐｅｃｉｆｉｃ Ｉｎｔｅｇｒａｔｅｄ Ｃｉｒｃｕｉｔ：ＡＳＩＣ )、フィールドプログラマブルゲートアレイ( Ｆｉｅｌｄ Ｐｒｏｇｒａｍｍａｂｌｅ Ｇａｔｅ Ａｒｒａｙ：ＦＰＧＡ )、又は他のプログラマブル論理デバイス、トランジスタロジックデバイス、ハードウェアコンポーネント、又はこれらの任意の組み合わせであってよい。本開示に関連して説明された様々な例示的な論理ブロック、モジュール、および回路を実装または実行することができる。プロセッサはまた、例えば、１つ以上のマイクロプロセッサの組み合わせ、ＤＳＰとマイクロプロセッサの組み合わせなどを含む、計算機能を実装する組み合わせであってもよい。通信ユニット７０３は、送受信機、送受信回路、無線チップ等であり、記憶ユニット７０１は、メモリ等である。
【０１２０】
ここで、前記処理ユニット７０２が前記通信ユニット７０３を介して端末のＭＡＣ  ＰＤＵを取得し、前記ＭＡＣ  ＰＤＵは、第１のＲＬＣ層エンティティとＭＡＣ層エンティティとが第１のＰＤＣＰ  ＰＤＵを処理したものであり、前記第１のＰＤＣＰ  ＰＤＵは、前記端末がＰＤＣＰ層エンティティのデータコピー伝送機能がアクティブ化されたことを検出する場合、前記第１のＲＬＣ層エンティティを有効化させ、前記ＰＤＣＰ層エンティティを利用して確定した第１のＰＤＣＰ  ＳＤＵに関連する前記第１のＰＤＣＰ  ＰＤＵであって、前記第１のＲＬＣ層エンティティに送信した前記第１のＰＤＣＰ  ＰＤＵであり、前記第２のＲＬＣ層エンティティが有効化させた状態にある。
【０１２１】
又は、
ここで、前記処理ユニット７０２は、前記通信ユニット７０３を介して端末のＭＡＣ  ＰＤＵを取得し、前記ＭＡＣ  ＰＤＵは、第１のＲＬＣ層エンティティとＭＡＣ層エンティティが第１のＲＬＣ  ＳＤＵを処理したものであり、前記第１のＲＬＣ  ＳＤＵは、前記端末がＰＤＣＰ層エンティティのデータコピー伝送機能がアクティブ化されたことを検出した場合、前記第１のＲＬＣ層エンティティを有効化させ、前記第１のＲＬＣ層エンティティを利用して第２のＲＬＣ層エンティティから受信した前記第１のＲＬＣ  ＳＤＵであり、前記第２のＲＬＣ層エンティティが有効化させた状態にある。
【０１２２】
処理ユニット７０２がプロセッサ、通信ユニット７０３が送受信機、記憶ユニット７０１がメモリである場合、本発明の実施例に係るネットワーク側デバイスは、図４Ｂ又は図５Ｂに示すネットワーク側デバイスであってもよい。
【０１２３】
本発明の実施例は、端末を提供し、図８に示すように、説明の便宜上、本発明の実施例に関連する部分のみを示し、具体的な技術の詳細は開示されていないが、本発明の実施例の方法の部分を参照されたい。この端末は、携帯電話、タブレット、ＰＤＡ ( Ｐｅｒｓｏｎａｌ Ｄｉｇｉｔａｌ Ａｓｓｉｓｔａｎｔ、携帯情報端末)、ＰＯＳ ( Ｐｏｉｎｔ ｏｆ Ｓａｌｅｓ、販売端末)、車載コンピュータなどを含む任意の端末機器であってよく、端末は、携帯電話を例とする。
【０１２４】
図８は、本発明の実施例に係る端末に係る携帯電話機の一部の構成を示すブロック図である。図８を参照すると、携帯電話機は、無線周波数( Ｒａｄｉｏ Ｆｒｅｑｕｅｎｃｙ：ＲＦ )回路９１０、メモリ９２０、入力ユニット９３０、表示ユニット９４０、センサ９５０、オーディオ回路９６０、ＷｉＦｉモジュール９７０、プロセッサ９８０、電源９９０などを備える。図８に示される携帯電話の構造は、携帯電話を限定するものではなく、図示されるよりも多いか少ない構成要素を含んでもよく、特定の構成要素を組み合わせたり、異なる構成要素を配置してもよいことは、当業者には理解されるであろう。
【０１２５】
以下、図８を参照して携帯電話機の各構成部材について具体的に説明する。
【０１２６】
ＲＦ回路９１０は、情報の受信および送信に使用され得る。一般に、ＲＦ回路９１０は、アンテナ、少なくとも１つの増幅器、送受信機、結合器、低雑音増幅器( Ｌｏｗ Ｎｏｉｓｅ Ａｍｐｌｉｆｉｅｒ：ＬＮＡ )、デュプレクサなどを含むが、これらに限定されない。さらに、ＲＦ回路９１０は、無線通信を介してネットワークおよび他のデバイスと通信することもできる。上記のワイヤレス通信は、限定されないが、全地球移動通信システム( Ｇｌｏｂａｌ Ｓｙｓｔｅｍ ｏｆ Ｍｏｂｉｌｅ ｃｏｍｍｕｎｉｃａｔｉｏｎ：ＧＳＭ )、ユニバーサルパケット無線サービス( Ｇｅｎｅｒａｌ Ｐａｃｋｅｔ Ｒａｄｉｏ Ｓｅｒｖｉｃｅ：ＧＰＲＳ )、符号分割多元接続( Ｃｏｄｅ Ｄｉｖｉｓｉｏｎ Ｍｕｌｔｉｐｌｅ Ａｃｃｅｓｓ：ＣＤＭＡ )、ブロードバンド符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ：ＷＣＤＭＡ )、ロングタームエボリューション( Ｌｏｎｇ Ｔｅｒｍ Ｅｖｏｌｕｔｉｏｎ：ＬＴＥ )、電子メール、ショートメッセージサービス( Ｓｈｏｒｔ Ｍｅｓｓａｇｉｎｇ Ｓｅｒｖｉｃｅ：ＳＭＳ )などを含む、任意の通信標準またはプロトコルを使用し得る。
【０１２７】
メモリ９２０は、ソフトウェアプログラム及びモジュールを格納するために使用されてもよく、プロセッサ９８０は、メモリ９２０に格納されたソフトウェアプログラム及びモジュールを実行することによって、携帯電話の様々な機能アプリケーション及びデータ処理を実行する。メモリ９２０は、オペレーティングシステム、少なくとも１つの機能に必要なアプリケーションなどを格納することができるプログラム格納領域と、データ格納領域とを主に含んでもよい。記憶データ領域には、携帯電話機の使用に応じて作成されたデータ等が記憶される。さらに、メモリ９２０は、高速ランダムアクセスメモリを含んでもよく、少なくとも１つの磁気ディスク記憶装置、フラッシュメモリデバイス、または他の揮発性固体記憶デバイスなどの不揮発性メモリを含んでもよい。
【０１２８】
入力ユニット９３０は、数字又は文字情報の入力を受信し、携帯電話機の使用者の設定及び機能制御に関するキー信号入力を生成するために使用される。具体的には、入力ユニット９３０は、指紋認識モジュール９３１及び他の入力装置９３２を含む。指紋認識モジュール９３１は、ユーザが存在する指紋データを取得することができる。入力ユニット９３０は、指紋認識モジュール９３１に加えて、他の入力装置９３２を含んでもよい。具体的には、他の入力装置９３２は、タッチスクリーン、物理的なキーボード、機能キー(例えば、音量調節キー、スイッチキーなど)、トラックボール、マウス、ジョイスティックなどのうちの１つ以上を含み得るが、これらに限定されない。
【０１２９】
表示ユニット９４０は、ユーザが入力した情報、またはユーザに提供された情報を表示するために使用され、携帯電話機の様々なメニューを表示するために使用される。表示ユニット９４０は、表示画面９４１を含んでもよく、任意選択的に、液晶ディスプレイ( Ｌｉｑｕｉｄ Ｃｒｙｓｔａｌ Ｄｉｓｐｌａｙ：ＬＣＤ )、有機発光ダイオード( Ｏｒｇａｎｉｃ Ｌｉｇｈｔ−Ｅｍｉｔｔｉｎｇ Ｄｉｏｄｅ：ＯＬＥＤ )などの形態で構成されてもよい。図８では、指紋認識モジュール９３１と表示画面９４１は、２つの独立した部品として携帯電話の入力及び入力機能を実現するが、いくつかの実施例において、指紋認識モジュール９３１と表示画面９４１を統合して携帯電話の入力及び再生機能を実現することができる。
【０１３０】
携帯電話は、光センサ、モーションセンサ、及び他のセンサなどの少なくとも１つのセンサ９５０を更に含むことができる。具体的には、光センサは、周辺光センサ及び近接センサを含み、周辺光センサは、周辺光の明暗に応じて表示画面９４１の輝度を調節し、近接センサは、携帯電話が耳に移動したときに表示画面９４１及び/又はバックライトをオフにすることができる。モーションセンサの一種として、加速度計センサは、様々な方向(一般的には３軸)の加速度の大きさを検出し、静止時は重力の大きさ及び方向を検出し、携帯電話機の姿勢を認識するアプリケーション(例えば、縦横画面切替、関連ゲーム、磁力計の姿勢較正)、振動認識関連機能(例えば、歩数計、ストローク)等に用いることができる。携帯電話に配置可能なジャイロスコープ、気圧計、湿度計、温度計、赤外線センサ等の他のセンサについては説明を省略する。
【０１３１】
オーディオ回路９６０、スピーカ９６１、マイク９６２は、ユーザと携帯電話との間のオーディオインターフェースを提供し得る。オーディオ回路９６０は、受信されたオーディオデータを変換した電気信号をスピーカ９６１に伝送し、スピーカ９６１で音声信号に変換して再生する。一方、マイク９６２は、集音した音声信号を電気信号に変換し、オーディオ回路９６０で受信して音声データに変換し、音声データ再生処理ユニット９８０で処理した後、ＲＦ回路９１０を介して他の携帯電話機等に送信したり、メモリ９２０に再生して処理する。
【０１３２】
ＷｉＦｉは、近距離無線送信技術に属し、ＷｉＦｉモジュール９７０を通じて、携帯電話は、ユーザが無線ブロードバンドインターネットアクセスを提供する電子メールの送受信、ウェブページの閲覧、ストリーミングメディアへのアクセスなどを支援し得る。図８はＷｉＦｉモジュール９７０を示しているが、携帯電話の必須構成ではなく、必要に応じて発明の本質を変更しない範囲で完全に省略できることは理解される。
【０１３３】
プロセッサ９８０は、携帯電話機の制御センターであり、各種のインターフェース及び回線を用いて携帯電話機全体の各部を接続し、メモリ９２０に格納されたソフトウェアプログラム及び/又はモジュールを実行又は実行し、メモリ９２０に格納されたデータを呼び出して携帯電話機の各種機能及び処理データを実行することにより、携帯電話機全体の監視を行う。任意選択で、プロセッサ９８０は、１つまたは複数の処理ユニットを備えてもよく、好ましくは、プロセッサ９８０は、オペレーティングシステム、ユーザインターフェース、およびアプリケーションなどを主に処理するアプリケーションプロセッサと、ワイヤレス通信を主に処理するモデムプロセッサとを統合することができる。プロセッサ９８０に上記モデムプロセッサが統合されなくてもよいことが理解される。
【０１３４】
携帯電話は、好ましくは、電源管理システムを介してプロセッサ９８０に論理的に接続され得る様々な構成要素に電力を供給するための電池のような電源９９０をさらに含み、これにより、充電、放電、および電力消費の管理などを電源管理システムを介して管理する機能が実現される。
【０１３５】
図示されていないが、携帯電話は、カメラ、ブルートゥースモジュールなどをさらに含むことができ、ここではその説明を省略する。
【０１３６】
前述の図２Ａ、図２Ｃ-図３に示される実施例において、各ステップ方法における端末側のフローは、当該携帯電話機の構成に基づいて実現されてもよい。
【０１３７】
前記４Ａ、図５Ａに示した実施例において、各手段の機能は、この携帯電話機の構成に基づいて実現することができる。
【０１３８】
本願の実施例は、コンピューター読み取り可能な記憶媒体を提供し、電子データ交換のためのコンピュータープログラムが記憶され、ここで、前記コンピュータープログラムによりコンピューターが上記の方法実施例の端末に記載の全部又は一部のステップを実行する。
【０１３９】
本願の実施例は、コンピューター読み取り可能な記憶媒体を提供し、電子データ交換のためのコンピュータープログラムが記憶され、ここで、前記コンピュータープログラムによりコンピューターが上記の方法実施例のネットワーク側デバイスに記載の全部又は一部のステップを実行する。
【０１４０】
本願の実施例は、上記の方法実施例のユーザーデバイスに記載の方法をコンピュータに実行させるように動作可能なコンピュータプログラムを記憶した非一時的コンピュータ可読記憶媒体を備えるコンピュータプログラム製品を提供し、前記コンピュータープログラムによりコンピューターが上記の方法実施例の端末に記載の全部又は一部のステップを実行する。当該コンピュータープログラム製品は、１つのソフトウェアインストールパッケージであってもよい。
【０１４１】
本願の実施例は、上記の方法実施例のユーザーデバイスに記載の方法をコンピュータに実行させるように動作可能なコンピュータプログラムを記憶した非一時的コンピュータ可読記憶媒体を備えるコンピュータプログラム製品を提供し、前記コンピュータープログラムによりコンピューターが上記の方法実施例のネットワーク側デバイスに記載の全部又は一部のステップを実行する。当該コンピュータープログラム製品は、１つのソフトウェアインストールパッケージであってもよい。
【０１４２】
本出願の実施例に記載された方法またはアルゴリズムのステップは、ハードウェアで実現されてもよく、プロセッサがソフトウェア命令を実行する方式で実現されてもよい。ソフトウェア命令は、ランダムアクセスメモリ( Ｒａｎｄｏｍ Ａｃｃｅｓｓ Ｍｅｍｏｒｙ：ＲＡＭ )、フラッシュメモリ、リードオンリーメモリ( Ｒｅａｄ Ｏｎｌｙ Ｍｅｍｏｒｙ：ＲＯＭ )、消去可能プログラマブルリードオンリーメモリ( Ｅｒａｓａｂｌｅ Ｐｒｏｇｒａｍｍａｂｌｅ ＲＯＭ：ＥＰＲＯＭ )、電気的消去可能プログラマブルリードオンリーメモリ( Ｅｌｅｃｔｒｉｃａｌｌｙ ＥＰＲＯＭ：ＥＥＰＲＯＭ )、レジスタ、ハードディスク、モバイルハードディスク、リードオンリーディスク( ＣＤ−ＲＯＭ )、または当技術分野で周知の任意の他の形態の記憶媒体に格納され得る、対応するソフトウェアモジュールから構成され得る。例示的な記憶媒体は、プロセッサが記憶媒体から情報を読み取り、記憶媒体に情報を書き込むことを可能にするように、プロセッサに結合される。もちろん、記憶媒体はプロセッサの一部であってもよい。プロセッサおよび記憶媒体は、ＡＳＩＣ内に配置され得る。また、ＡＳＩＣは、アクセスネットワークデバイス、ターゲットネットワークデバイス、またはコアネットワークデバイス内に配置され得る。もちろん、プロセッサおよび記憶媒体は、アクセスネットワークデバイス、ターゲットネットワークデバイス、またはコアネットワークデバイス内に個別構成要素として存在してもよい。
【０１４３】
当業者は、上述の１つ以上の例において、本願の実施例に記載される機能が、ソフトウェア、ハードウェア、ファームウェア、またはそれらの任意の組合せによって、全体的にまたは部分的に実装され得ることを認識するであろう。ソフトウェアで実装する場合、全体的に又は部分的にコンピュータプログラム製品の形態で実装することができる。コンピュータプログラム製品は、１つ以上のコンピュータ命令を含む。コンピュータプログラム命令は、コンピュータ上でロードされ実行されると、本願の実施例にしたがったフローまたは機能を全体的にまたは部分的に生成する。コンピュータは、汎用コンピュータ、専用コンピュータ、コンピュータネットワーク、又は他のプログラム可能な装置であってもよい。コンピュータ命令は、コンピュータ可読記憶媒体に記憶されてもよく、または、例えば、１つのウェブサイト、コンピュータ、サーバ、またはデータセンターから、別のウェブサイト、コンピュータ、サーバ、またはデータセンターへ、有線(例えば、同軸ケーブル、光ファイバ、デジタル加入者線( Ｄｉｇｉｔａｌ Ｓｕｂｓｃｒｉｂｅｒ Ｌｉｎｅ：ＤＳＬ ) )、または無線(例えば、赤外線、無線、マイクロ波など)手段によって送信されてもよい。コンピュータ可読記憶媒体は、コンピュータによってアクセス可能な任意の利用可能な媒体、または１つ以上の利用可能な媒体と一体化されたサーバ、データセンターなどを含むデータ記憶デバイスであり得る。利用可能な媒体は、磁気媒体(例えば、フロッピーディスク、ハードディスク、磁気テープ)、光学媒体(例えば、デジタルビデオディスク( Ｄｉｇｉｔａｌ Ｖｉｄｅｏ Ｄｉｓｃ：ＤＶＤ ) )、又は半導体媒体(例えば、ソリッドステートドライブ( ＳＳＤ ) )などであってもよい。
【手続補正２】
【補正対象書類名】特許請求の範囲
【補正対象項目名】全文
【補正方法】変更
【補正の内容】
【特許請求の範囲】
【請求項１】
端末に応用されるデータ伝送方法であって、
前記端末は、ＰＤＣＰ層エンティティ、第１のＲＬＣ層エンティティ、第２のＲＣＬ層エンティティ及びＭＡＣ層エンティティを含み、
前記方法は、
前記ＰＤＣＰ層エンティティのデータコピー伝送機能がアクティブ化されたことを検出する場合、前記第１のＲＬＣ層エンティティを有効化させることと、
前記ＰＤＣＰ層エンティティを利用して第１のＰＤＣＰ  ＳＤＵに関連する第１のＰＤＣＰ  ＰＤＵを確定し、前記第１のＲＬＣ層エンティティに前記第１のＰＤＣＰ  ＰＤＵを送信することとを含み、
前記第２のＲＬＣ層エンティティが有効化させた状態にあり、
前記第１のＰＤＣＰ  ＰＤＵは、前記第１のＲＬＣ層エンティティと前記ＭＡＣ層エンティティとが第１のＰＤＣＰ  ＰＤＵをＭＡＣ  ＰＤＵとして処理して送信するために用いられる
ことを特徴とするデータ伝送方法。
【請求項２】
前記ＰＤＣＰ層エンティティを利用して第１のＰＤＣＰ  ＳＤＵに関連する第１のＰＤＣＰ  ＰＤＵを確定することは、
前記ＰＤＣＰ層エンティティが所定の条件を満たしていると検出した場合、前記ＰＤＣＰ層エンティティを利用して、予め記憶されたＰＤＣＰ  ＰＤＵのバックアップを前記第１のＰＤＣＰ  ＳＤＵに関連する前記第１のＰＤＣＰ  ＰＤＵとして確定することを含む
ことを特徴とする請求項１に記載のデータ伝送方法。
【請求項３】
前記所定の条件は、
前記ＰＤＣＰ層エンティティ内のタイマＤｉｓｃａｒｄ  Ｔｉｍｅｒがタイムアウトしないこと、
前記ＰＤＣＰ層エンティティの状態レポートＳｔａｔｕｓ  Ｒｅｐｏｒｔが前記第１のＰＤＣＰ  ＰＤＵの削除を示さないこと、
前記ＰＤＣＰ層エンティティが前記第２のＲＬＣ層エンティティにより送信された前記第１のＰＤＣＰ  ＰＤＵの削除指示を受信しないことのうちの少なくとも１つを含む
ことを特徴とする請求項２に記載のデータ伝送方法。
【請求項４】
前記第１のＰＤＣＰ  ＰＤＵは、前記第１のＲＬＣ層エンティティが前記第１のＰＤＣＰ  ＰＤＵを第１のＲＬＣ  ＰＤＵとしてカプセル化し、前記ＭＡＣ層エンティティに前記第１のＲＬＣ  ＰＤＵを送信するために用いられ、
前記第１のＲＬＣ  ＰＤＵは、前記ＭＡＣ層エンティティが前記第１のＲＬＣ  ＰＤＵを前記ＭＡＣ  ＰＤＵとしてカプセル化し、前記ＭＡＣ  ＰＤＵを送信するために用いられる
ことを特徴とする請求項１〜３のいずれか１項に記載のデータ伝送方法。
【請求項５】
前記ＰＤＣＰ層エンティティのデータコピー伝送機能がアクティブ化されたことを検出する場合、前記第１のＲＬＣ層エンティティを有効化させた後、前記方法は、さらに、
前記ＰＤＣＰ層エンティティが第２のＰＤＣＰ  ＳＤＵを受信したことを検出された場合、前記ＰＤＣＰ層エンティティを利用して前記第２のＰＤＣＰ  ＳＤＵを第２のＰＤＣＰ  ＰＤＵとしてカプセル化することと、
前記ＰＤＣＰ層エンティティを利用して前記第１のＲＬＣ層エンティティと前記第２のＲＬＣ層エンティティに前記第２のＰＤＣＰ  ＰＤＵを送信することとを含む
ことを特徴とする請求項１〜４のいずれか１項に記載のデータ伝送方法。
【請求項６】
前記第１のＲＬＣ層エンティティと前記第２のＲＬＣ層エンティティに前記第２のＰＤＣＰ  ＰＤＵを送信した後、前記方法は、さらに、
前記ＰＤＣＰ層エンティティのデータコピー伝送機能がオフされたことを検出する場合、前記ＰＤＣＰ層エンティティを利用して前記第１のＲＬＣ層エンティティにプリセット指示を送信することと、
前記第１のＲＬＣ層エンティティを利用して前記プリセット指示を受信し、前記プリセット指示に基づいて前記第２のＰＤＣＰ  ＰＤＵに対応する前記第１のＲＬＣ層エンティティ内の第２のＲＬＣ  ＳＤＵを削除することとを含み、
前記第２のＲＬＣ  ＳＤＵは、前記第１のＲＬＣ層エンティティにより第２のＲＬＣ  ＰＤＵとしてカプセル化されない
ことを特徴とする請求項５に記載のデータ伝送方法。
【請求項７】
端末に応用されるデータ伝送方法であって、
前記端末は、ＰＤＣＰ層エンティティ、第１のＲＬＣ層エンティティ、第２のＲＣＬ層エンティティ及びＭＡＣ層エンティティを含み、
前記方法は、
前記ＰＤＣＰ層エンティティのデータコピー伝送機能がアクティブ化されたことを検出する場合、前記第１のＲＬＣ層エンティティを有効化させることと、
前記第１のＲＬＣ層エンティティを利用して前記第２のＲＬＣ層エンティティからの第１のＲＬＣ  ＳＤＵを受信することと、
前記第１のＲＬＣ層エンティティと前記ＭＡＣ層エンティティを利用して、前記第１のＲＬＣ  ＳＤＵをＭＡＣ  ＰＤＵとして処理し、前記ＭＡＣ  ＰＤＵを送信することとを含み、
前記第２のＲＬＣ層エンティティを有効化させた状態にある
ことを特徴とするデータ伝送方法。
【請求項８】
前記第１のＲＬＣ層エンティティとＭＡＣ層エンティティを利用して、前記第１のＲＬＣ  ＳＤＵをＭＡＣ  ＰＤＵとして処理し、前記ＭＡＣ  ＰＤＵを送信することは、
前記第１のＲＬＣ層エンティティを利用して前記第１のＲＬＣ  ＳＤＵを第１のＲＬＣ  ＰＤＵとしてカプセル化し、前記ＭＡＣ層エンティティに前記第１のＲＬＣ  ＰＤＵを送信することと、
前記ＭＡＣ層エンティティを利用して、前記第１のＲＬＣ  ＰＤＵを前記ＭＡＣ  ＰＤＵとしてカプセル化し、前記ＭＡＣ  ＰＤＵを送信することとを含む
ことを特徴とする請求項７に記載のデータ伝送方法。
【請求項９】
前記ＰＤＣＰ層エンティティのデータコピー伝送機能がアクティブ化されたことを検出する場合、前記第１のＲＬＣ層エンティティを有効化させた後、前記方法は、さらに、
前記ＰＤＣＰ層エンティティがＰＤＣＰ  ＳＤＵを受信したことが検出された場合、前記ＰＤＣＰ層エンティティを利用して前記ＰＤＣＰ  ＳＤＵをＰＤＣＰ  ＰＤＵとしてカプセル化することと、
前記ＰＤＣＰ層エンティティを利用して前記第１のＲＬＣ層エンティティと前記第２のＲＬＣ層エンティティに前記ＰＤＣＰ  ＰＤＵを送信することとを含む
ことを特徴とする請求項７又は８に記載のデータ伝送方法。
【請求項１０】
前記第１のＲＬＣ層エンティティと前記第２のＲＬＣ層エンティティに前記ＰＤＣＰ  ＰＤＵを送信した後、前記方法は、
前記ＰＤＣＰ層エンティティのデータコピー伝送機能がオフされたことを検出する場合、前記ＰＤＣＰ層エンティティを利用して前記第１のＲＬＣ層エンティティにプリセット指示を送信することと、
前記第１のＲＬＣ層エンティティを利用して前記プリセット指示を受信し、前記プリセット指示に基づいて前記ＰＤＣＰ  ＰＤＵに対応する前記第１のＲＬＣ層エンティティ内の第２のＲＬＣ  ＳＤＵを削除することとを含み、
前記第２のＲＬＣ  ＳＤＵは、前記第１のＲＬＣ層エンティティにより第２のＲＬＣ  ＰＤＵとしてカプセル化されない
ことを特徴とする請求項９に記載のデータ伝送方法。
【請求項１１】
処理ユニット及び通信ユニットを含む端末であって、
前記処理ユニットは、ＰＤＣＰ層エンティティのデータコピー伝送機能がアクティブ化されたことを検出する場合、第１のＲＬＣ層エンティティを有効化させ、前記ＰＤＣＰ層エンティティを利用して第１のＰＤＣＰ  ＳＤＵに関連する第１のＰＤＣＰ  ＰＤＵを確定し、前記第１のＲＬＣ層エンティティに前記第１のＰＤＣＰ  ＰＤＵを送信し、前記第１のＲＬＣ層エンティティとＭＡＣ層エンティティを利用して前記第１のＰＤＣＰ  ＰＤＵをＭＡＣ  ＰＤＵとして処理し、前記通信ユニットを介して送信するように構成され、
第２のＲＬＣ層エンティティを有効化させる状態になる
ことを特徴とする端末。
【請求項１２】
処理ユニット及び通信ユニットを含むネットワーク側デバイスであって、
前記処理ユニットは、前記通信ユニットを介して端末のＭＡＣ  ＰＤＵを取得するように構成され、
前記ＭＡＣ  ＰＤＵは、第１のＲＬＣ層エンティティとＭＡＣ層エンティティとが第１のＰＤＣＰ  ＰＤＵを処理したものであり、
前記第１のＰＤＣＰ  ＰＤＵは、前記端末がＰＤＣＰ層エンティティのデータコピー伝送機能がアクティブ化されたことを検出する場合、前記第１のＲＬＣ層エンティティを有効化させ、前記ＰＤＣＰ層エンティティを利用して確定した第１のＰＤＣＰ  ＳＤＵに関連する前記第１のＰＤＣＰ  ＰＤＵであって、前記第１のＲＬＣ層エンティティに送信した前記第１のＰＤＣＰ  ＰＤＵであり、
前記第２のＲＬＣ層エンティティを有効化させた状態にある
ことを特徴とするネットワーク側デバイス。
【請求項１３】
処理ユニット及び通信ユニットを含む端末であって、
前記処理ユニットは、ＰＤＣＰ層エンティティのデータコピー伝送機能がアクティブ化されたことを検出する場合、第１のＲＬＣ層エンティティを有効化させ、前記第１のＲＬＣ層エンティティを利用して前記第２のＲＬＣ層エンティティからの第１のＲＬＣ  ＳＤＵを受信し、前記第１のＲＬＣ層エンティティとＭＡＣ層エンティティを利用して前記第１のＲＬＣ  ＳＤＵをＭＡＣ  ＰＤＵとして処理し、前記通信ユニットを介して前記ＭＡＣ  ＰＤＵを送信するように構成され、
第２のＲＬＣ層エンティティを有効化させる状態になる
ことを特徴とする端末。
【請求項１４】
プロセッサ、メモリ、通信インターフェース、及び１つ以上のプログラムを含む端末であって、
前記１つ以上のプログラムが前記メモリに記憶され、前記プロセッサにより実行され、
前記プログラムは、請求項１〜１０のいずれか１項に記載の方法のステップを実行する命令を含む
ことを特徴とする端末。
【請求項１５】
電子データ交換のためのコンピュータプログラムが記憶され、
前記コンピュータプログラムは、コンピュータにより請求項１〜１０のいずれか１項に記載の方法を実行する
ことを特徴とするコンピューター読み取り可能な記憶媒体。
【国際調査報告】
2020532154.tif 000016
2020532154.tif 000017
2020532154.tif 000018
2020532154.tif 000019